(57)【要約】      （修正有）【課題】記念日等を盛り上げることのできるシステムを提供する。【解決手段】近距離認証手段１０は、端末装置Ｔ２が近傍にいるかどうかを判断し、開封日認証手段３２は、当日が開封可能日であるかどうかを判断する。オブジェクト認証手段６は、撮像されたオブジェクト２が、予め定められたオブジェクト２の撮像画像であるかどうかを判断し、位置認証手段８は、撮像部４によるオブジェクト２の撮像位置が、予め定められた所定の位置に合致するかどうかを判断する。発掘認証手段３０は、全ての端末装置Ｔ２の開封日認証手段３２、近距離認証手段１０、オブジェクト認証手段６、位置認証手段８の認証結果が全て正当であれば、記録部２０に記録されているタイムカプセル・メッセージ２６を読み出し、記録されていたキーを用いて開封し、開封されたタイムカプセル・メッセージを表示部３６に表示する。【選択図】図２
2018205831.tif 000002
【特許請求の範囲】
【請求項１】
複数のユーザによって使用される複数の端末装置を備えたタイムカプセル・システムであって、
前記端末装置は、
他の端末装置のユーザを識別するための識別情報をグループ端末情報として記録部に記録する識別情報記録手段と、
記録部に記録されている個別メッセージを、前記グループに属する他の端末装置に送信する個別メッセージ送信手段と、
撮像部によって撮像されたオブジェクトの撮像画像が、予め定められたオブジェクトの画像と合致するかどうかによって行うオブジェクト認証のための処理を行うオブジェクト認証手段と、
位置検出部の出力を参照して、前記撮像部による撮像が予め定められた所定位置にて行われたか否かによって行う位置認証のための処理を行う位置認証手段と、
前記グループに属する他の端末装置の全てと所定距離内にいるかどうかを認証する近距離認証のための処理を行う近距離認証手段と、
埋蔵処理の際に、前記グループに属する全端末装置について、少なくとも前記オブジェクト認証、前記位置認証、前記近距離認証を含む埋蔵認証のための処理を行う埋蔵認証処理手段と、
埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段と、
発掘処理の際に、開封可能日であるかどうかを認証する開封日認証のための処理を行う開封日認証手段と、
発掘処理の際に、前記グループに属する全端末装置について、少なくとも前記開封日認証、前記オブジェクト認証、前記位置認証、前記近距離認証を含む発掘認証のための処理を行う発掘認証処理手段と、
発掘処理の際に、前記発掘認証が正当であると判断されると、前記記録部に記録されたタイムカプセルメッセージを開封して表示する発掘手段と、
を備えたタイムカプセル・システム。
【請求項２】
タイムカプセルシステムを構成する端末装置をコンピュータによって実現するためのタイムカプセル・プログラムであって、コンピュータを、
他の端末装置のユーザを識別するための識別情報をグループ端末情報として記録部に記録する識別情報記録手段と、
記録部に記録されている個別メッセージを、前記グループに属する他の端末装置に送信する個別メッセージ送信手段と、
撮像部によって撮像されたオブジェクトの撮像画像が、予め定められたオブジェクトの画像と合致するかどうかによって行うオブジェクト認証のための処理を行うオブジェクト認証手段と、
位置検出部の出力を参照して、前記撮像部による撮像が予め定められた所定位置にて行われたか否かによって行う位置認証のための処理を行う位置認証手段と、
前記グループに属する他の端末装置の全てと所定距離内にいるかどうかを認証する近距離認証のための処理を行う近距離認証手段と、
埋蔵処理の際に、前記グループに属する全端末装置について、少なくとも前記オブジェクト認証、前記位置認証、前記近距離認証を含む埋蔵認証のための処理を行う埋蔵認証処理手段と、
埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段と、
発掘処理の際に、開封可能日であるかどうかを認証する開封日認証のための処理を行う開封日認証手段と、
発掘処理の際に、前記グループに属する全端末装置について、少なくとも前記開封日認証、前記オブジェクト認証、前記位置認証、前記近距離認証を含む発掘認証のための処理を行う発掘認証処理手段と、
発掘処理の際に、前記発掘認証が正当であると判断されると、前記記録部に記録されたタイムカプセルメッセージを開封して表示する発掘手段として機能させるためのタイムカプセル・プログラム。
【請求項３】
複数のユーザによって使用される複数の端末装置を備えたタイムカプセル・システムであって、
前記端末装置は、
他の端末装置のユーザを識別するための識別情報をグループ端末情報として記録部に記録する識別情報記録手段と、
記録部に記録されている個別メッセージを、前記グループに属する他の端末装置に送信する個別メッセージ送信手段と、
前記グループに属する他の端末装置の全てと所定距離内にいるかどうかを認証する近距離認証のための処理を行う近距離認証手段と、
埋蔵処理の際に、前記グループに属する全端末装置について、少なくとも前記近距離認証を含む埋蔵認証のための処理を行う埋蔵認証処理手段と、
埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段と、
発掘処理の際に、開封可能日であるかどうかを認証する開封日認証のための処理を行う開封日認証手段と、
発掘処理の際に、前記グループに属する全端末装置について、少なくとも前記開封日認証、前記近距離認証を含む発掘認証のための処理を行う発掘認証処理手段と、
発掘処理の際に、前記発掘認証が正当であると判断されると、前記記録部に記録されたタイムカプセルメッセージを開封して表示する発掘手段と、
を備えたタイムカプセル・システム。
【請求項４】
タイムカプセルシステムを構成する端末装置をコンピュータによって実現するためのタイムカプセル・プログラムであって、コンピュータを、
他の端末装置のユーザを識別するための識別情報をグループ端末情報として記録部に記録する識別情報記録手段と、
記録部に記録されている個別メッセージを、前記グループに属する他の端末装置に送信する個別メッセージ送信手段と、
前記グループに属する他の端末装置の全てと所定距離内にいるかどうかを認証する近距離認証のための処理を行う近距離認証手段と、
埋蔵処理の際に、前記グループに属する全端末装置について、少なくとも前記近距離認証を含む埋蔵認証のための処理を行う埋蔵認証処理手段と、
埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段と、
発掘処理の際に、開封可能日であるかどうかを認証する開封日認証のための処理を行う開封日認証手段と、
発掘処理の際に、前記グループに属する全端末装置について、少なくとも前記開封日認証、前記近距離認証を含む発掘認証のための処理を行う発掘認証処理手段と、
発掘処理の際に、前記発掘認証が正当であると判断されると、前記記録部に記録されたタイムカプセルメッセージを開封して表示する発掘手段として機能させるためのタイムカプセル・プログラム。
【請求項５】
複数のユーザによって使用される複数の端末装置を備えたタイムカプセル・システムであって、
前記端末装置は、
他の端末装置のユーザを識別するための識別情報をグループ端末情報として記録部に記録する識別情報記録手段と、
記録部に記録されている個別メッセージを、前記グループに属する他の端末装置に送信する個別メッセージ送信手段と、
位置検出部の出力を参照して、前記端末装置が予め定められた所定位置にあるか否かによって行う位置認証のための処理を行う位置認証手段と、
埋蔵処理の際に、前記グループに属する全端末装置について、少なくとも前記位置認証を含む埋蔵認証のための処理を行う埋蔵認証処理手段と、
埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段と、
発掘処理の際に、開封可能日であるかどうかを認証する開封日認証のための処理を行う開封日認証手段と、
発掘処理の際に、前記グループに属する全端末装置について、少なくとも前記開封日認証、前記位置認証を含む発掘認証のための処理を行う発掘認証処理手段と、
発掘処理の際に、前記発掘認証が正当であると判断されると、前記記録部に記録されたタイムカプセルメッセージを開封して表示する発掘手段と、
を備えたタイムカプセル・システム。
【請求項６】
タイムカプセルシステムを構成する端末装置をコンピュータによって実現するためのタイムカプセル・プログラムであって、コンピュータを、
他の端末装置のユーザを識別するための識別情報をグループ端末情報として記録部に記録する識別情報記録手段と、
記録部に記録されている個別メッセージを、前記グループに属する他の端末装置に送信する個別メッセージ送信手段と、
位置検出部の出力を参照して、前記端末装置が予め定められた所定位置にあるか否かによって行う位置認証のための処理を行う位置認証手段と、
埋蔵処理の際に、前記グループに属する全端末装置について、少なくとも前記位置認証を含む埋蔵認証のための処理を行う埋蔵認証処理手段と、
埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段と、
発掘処理の際に、開封可能日であるかどうかを認証する開封日認証のための処理を行う開封日認証手段と、
発掘処理の際に、前記グループに属する全端末装置について、少なくとも前記開封日認証、前記位置認証を含む発掘認証のための処理を行う発掘認証処理手段と、
発掘処理の際に、前記発掘認証が正当であると判断されると、前記記録部に記録されたタイムカプセルメッセージを開封して表示する発掘手段として機能させるためのタイムカプセル・プログラム。
【請求項７】
複数のユーザによって使用される複数の端末装置を備えたタイムカプセル・システムであって、
前記端末装置は、
他の端末装置のユーザを識別するための識別情報をグループ端末情報として記録部に記録する識別情報記録手段と、
記録部に記録されている個別メッセージを、前記グループに属する他の端末装置に送信する個別メッセージ送信手段と、
撮像部によって撮像されたオブジェクトの撮像画像が、予め定められたオブジェクトの画像と合致するかどうかによって行うオブジェクト認証のための処理を行うオブジェクト認証手段と、
埋蔵処理の際に、前記グループに属する全端末装置について、少なくとも前記オブジェクト認証を含む埋蔵認証のための処理を行う埋蔵認証処理手段と、
埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段と、
発掘処理の際に、開封可能日であるかどうかを認証する開封日認証のための処理を行う開封日認証手段と、
発掘処理の際に、前記グループに属する全端末装置について、少なくとも前記開封日認証、前記オブジェクト認証を含む発掘認証のための処理を行う発掘認証処理手段と、
発掘処理の際に、前記発掘認証が正当であると判断されると、前記記録部に記録されたタイムカプセルメッセージを開封して表示する発掘手段と、
を備えたタイムカプセル・システム。
【請求項８】
タイムカプセルシステムを構成する端末装置をコンピュータによって実現するためのタイムカプセル・プログラムであって、コンピュータを、
他の端末装置のユーザを識別するための識別情報をグループ端末情報として記録部に記録する識別情報記録手段と、
記録部に記録されている個別メッセージを、前記グループに属する他の端末装置に送信する個別メッセージ送信手段と、
撮像部によって撮像されたオブジェクトの撮像画像が、予め定められたオブジェクトの画像と合致するかどうかによって行うオブジェクト認証のための処理を行うオブジェクト認証手段と、
埋蔵処理の際に、前記グループに属する全端末装置について、少なくとも前記オブジェクト認証を含む埋蔵認証のための処理を行う埋蔵認証処理手段と、
埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段と、
発掘処理の際に、開封可能日であるかどうかを認証する開封日認証のための処理を行う開封日認証手段と、
発掘処理の際に、前記グループに属する全端末装置について、少なくとも前記開封日認証、前記オブジェクト認証を含む発掘認証のための処理を行う発掘認証処理手段と、
発掘処理の際に、前記発掘認証が正当であると判断されると、前記記録部に記録されたタイムカプセルメッセージを開封して表示する発掘手段として機能させるためのタイムカプセル・プログラム。
【請求項９】
複数のユーザによって使用される複数の端末装置を備えたタイムカプセル埋蔵システムであって、
前記端末装置は、
他の端末装置のユーザを識別するための識別情報をグループ端末情報として記録部に記録する識別情報記録手段と、
記録部に記録されている個別メッセージを、前記グループに属する他の端末装置に送信する個別メッセージ送信手段と、
撮像部によって撮像されたオブジェクトの撮像画像が、予め定められたオブジェクトの画像と合致するかどうかによって行うオブジェクト認証のための処理を行うオブジェクト認証手段と、
埋蔵処理の際に、前記グループに属する全端末装置について、少なくとも前記オブジェクト認証を含む埋蔵認証のための処理を行う埋蔵認証処理手段と、
埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段と、
を備えたタイムカプセル埋蔵システム。
【請求項１０】
タイムカプセル埋蔵システムを構成する端末装置をコンピュータによって実現するためのタイムカプセル埋蔵プログラムであって、コンピュータを、
他の端末装置のユーザを識別するための識別情報をグループ端末情報として記録部に記録する識別情報記録手段と、
記録部に記録されている個別メッセージを、前記グループに属する他の端末装置に送信する個別メッセージ送信手段と、
撮像部によって撮像されたオブジェクトの撮像画像が、予め定められたオブジェクトの画像と合致するかどうかによって行うオブジェクト認証のための処理を行うオブジェクト認証手段と、
埋蔵処理の際に、前記グループに属する全端末装置について、少なくとも前記オブジェクト認証を含む埋蔵認証のための処理を行う埋蔵認証処理手段と、
埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段として機能させるためのタイムカプセル埋蔵プログラム。
【請求項１１】
複数のユーザによって使用される複数の端末装置を備えたタイムカプセル発掘システムであって、
前記端末装置は、
発掘処理の際に、開封可能日であるかどうかを認証する開封日認証のための処理を行う開封日認証手段と、
発掘処理の際に、前記グループに属する全端末装置について、少なくとも前記開封日認証、前記オブジェクト認証を含む発掘認証のための処理を行う発掘認証処理手段と、
発掘処理の際に、前記発掘認証が正当であると判断されると、前記記録部に記録されたタイムカプセルメッセージを開封して表示する発掘手段と、
を備えたタイムカプセル発掘システム。
【請求項１２】
タイムカプセル発掘システムを構成する端末装置をコンピュータによって実現するためのタイムカプセル発掘プログラムであって、コンピュータを、
発掘処理の際に、開封可能日であるかどうかを認証する開封日認証のための処理を行う開封日認証手段と、
発掘処理の際に、前記グループに属する全端末装置について、少なくとも前記開封日認証、前記オブジェクト認証を含む発掘認証のための処理を行う発掘認証処理手段と、
発掘処理の際に、前記発掘認証が正当であると判断されると、前記記録部に記録されたタイムカプセルメッセージを開封して表示する発掘手段として機能させるためのタイムカプセル発掘プログラム。
【請求項１３】
請求項１、２、７〜１２のいずれかのシステムまたはプログラムにおいて、
前記複数の端末装置のそれぞれのオブジェクト認証手段が、前記撮像部によって撮像されたオブジェクトの撮像画像が、予め定められたオブジェクトの画像と合致するかどうかによってオブジェクト認証が正当であるかどうかの判断を行うことを特徴とするシステムまたはプログラム。
【請求項１４】
請求項１、２、７〜１２のいずれかのシステムまたはプログラムにおいて、
前記複数の端末装置のうち一つの端末装置のオブジェクト認証手段が、前記撮像部によって撮像されたオブジェクトの撮像画像が、予め定められたオブジェクトの画像と合致するかどうかによってオブジェクト認証が正当であるかどうかの判断を行い、当該判断結果を、直接またはサーバ装置を介して他の端末装置に送信し、
他の端末装置のオブジェクト認証手段は当該判断結果を受信してオブジェクト認証を行うことを特徴とするシステムまたはプログラム。
【請求項１５】
請求項１、２、５、６のいずれかのシステムまたはプログラムにおいて、
前記複数の端末装置のそれぞれの位置認証手段が、端末装置が所定位置にいるかどうかによって位置認証が正当であるかどうかの判断を行うことを特徴とするシステムまたはプログラム。
【請求項１６】
請求項１、２、５、６のいずれかのシステムまたはプログラムにおいて、
前記複数の端末装置のうち一つの端末装置の位置認証手段が、端末装置が所定位置にいるかどうかによって位置認証が正当であるかどうかの判断を行い、当該判断結果を、直接またはサーバ装置を介して他の端末装置に送信し、
他の端末装置の位置認証手段は当該判断結果を受信して位置認証を行うことを特徴とするシステムまたはプログラム。
【請求項１７】
請求項１〜４のいずれかのシステムまたはプログラムにおいて、
前記複数の端末装置のそれぞれの近距離認証手段は、前記グループに属する他の端末装置の全てと前記近距離通信にて通信可能な範囲にいるかどうかを判断する処理を行うことと特徴とするシステムまたはプログラム。
【請求項１８】
請求項１〜４のいずれかのシステムまたはプログラムにおいて、
前記複数の端末装置のうち一つの端末装置の近距離認証手段が、前記グループに属する他の端末装置の全てと前記近距離通信にて通信可能な範囲にいるかどうかを判断し、当該判断結果を、直接またはサーバ装置を介して他の端末装置に送信し、
他の端末装置の近距離認証手段は、当該判断結果を受信して認証を行うことを特徴とするシステムまたはプログラム。
【請求項１９】
請求項１〜１０のいずれかのシステムまたはプログラムにおいて、
前記複数の端末装置のそれぞれの識別情報記録手段は、近距離通信によって通信可能な範囲にいる端末装置から選択された複数の端末装置のユーザをグループとする処理を行い、当該グループに属する端末装置のユーザを識別するための識別情報をグループ端末情報として記録部に記録する処理を行うことを特徴とするシステムまたはプログラム。
【請求項２０】
請求項１〜１０のいずれかのシステムまたはプログラムにおいて、
前記複数の端末装置のうち一つの端末装置の識別情報記録手段が、近距離通信によって通信可能な範囲にいる端末装置から選択された複数の端末装置のユーザでグループを形成する処理を行ってグループ端末情報を生成し、当該グループ端末情報を、直接またはサーバ装置を介して他の端末装置に送信し、
他の端末装置の識別情報記録手段は、受信したグループ端末情報を記録部に記録することを特徴とするシステムまたはプログラム。
【請求項２１】
請求項１〜１０のいずれかのシステムまたはプログラムにおいて、
前記複数の端末装置のそれぞれは、前記グループに属する他の端末装置から送信されてきた個別メッセージと、前記記録部に記録されている個別メッセージを統合して、開封可能日、前記グループ端末情報を有するタイムカプセルメッセージを作成する処理を行うことを特徴とするシステムまたはプログラム。
【請求項２２】
請求項１〜１０のいずれかのシステムまたはプログラムにおいて、
前記複数の端末装置のうちの一つが、前記グループに属する他の端末装置から送信されてきた個別メッセージと、前記記録部に記録されている個別メッセージを統合して、開封可能日、前記グループ端末情報を有するタイムカプセルメッセージを生成する処理を行い、当該タイムカプセルメッセージを、直接またはサーバ装置を介して他の端末装置に送信し、
他の端末装置は、当該タイムカプセルメッセージを受信することを特徴とするシステムまたはプログラム。
【請求項２３】
請求項１〜１０のいずれかのシステムまたはプログラムにおいて、
前記複数の端末装置のそれぞれの埋蔵認証処理手段は、前記グループに属する全端末装置について、前記埋蔵認証が正当であるか否かを判断する処理を行うことを特徴とするシステムまたはプログラム。
【請求項２４】
請求項１〜１０のいずれかのシステムまたはプログラムにおいて、
前記複数の端末装置のうち一つの端末装置の埋蔵認証処理手段が、前記グループに属する全端末装置について、前記埋蔵認証が正当であるか否かを判断し、当該判断結果を、直接またはサーバ装置を介して他の端末装置に送信し、
他の端末装置は当該判断結果を受信して認証を行うことを特徴とするシステムまたはプログラム。
【請求項２５】
請求項１〜８、１１、１２のいずれかのシステムまたはプログラムにおいて、
前記複数の端末装置のそれぞれの開封日認証手段は、発掘処理の際に、開封可能日であるかどうかを判断する処理を行うことを特徴とするシステムまたはプログラム。
【請求項２６】
請求項１〜８、１１、１２のいずれかのシステムまたはプログラムにおいて、
前記複数の端末装置のうちの一つの端末装置の開封日認証手段が、発掘処理の際に、開封可能日であるかどうかを判断して、当該判断結果を、直接またはサーバ装置を介して他の端末装置に送信し、
他の端末装置は、当該判断結果を受信することを特徴とするシステムまたはプログラム。
【請求項２７】
請求項１〜８、１１、１２のいずれかのタイムカプセル・システムまたはタイムカプセル・プログラムにおいて、
前記複数の端末装置のそれぞれの発掘認証処理手段は、前記グループに属する全端末装置について、前記発掘認証が正当であるか否かを判断する処理を行うことを特徴とするタイムカプセル・システムまたはタイムカプセル・プログラム。
【請求項２８】
請求項１〜８、１１、１２のいずれかのタイムカプセル・システムまたはタイムカプセル・プログラムにおいて、
前記複数の端末装置のうち一つの端末装置の発掘認証処理手段が、前記グループに属する全端末装置について、前記発掘認証が正当であるか否かを判断し、当該判断結果を、直接またはサーバ装置を介して他の端末装置に送信し、
他の端末装置の発掘認証処理手段は、当該判断結果を受信して認証を行うことを特徴とするタイムカプセル・システムまたはタイムカプセル・プログラム。
【請求項２９】
請求項１〜１０のいずれかのシステムまたはプログラムにおいて、
前記端末装置と通信可能に設けられたサーバ装置が、選択された複数の端末装置のユーザをグループ化してグループ端末情報を生成する処理を行い、
前記端末装置の識別情報記録手段は、前記サーバ装置からグループ端末情報を受信して記録することを特徴とするシステムまたはプログラム。
【請求項３０】
請求項１〜１０のいずれかのシステムまたはプログラムにおいて、
前記端末装置と通信可能に設けられたサーバ装置が、各端末装置から受け取った認証のための情報または認証結果に基づいて埋蔵認証が正当であるかどうかを判断し、
前記端末装置の埋蔵認証処理手段は、当該結果を受信して埋蔵認証を行うことを特徴とするシステムまたはプログラム。
【請求項３１】
請求項１〜１０のいずれかのシステムまたはプログラムにおいて、
前記端末装置と通信可能に設けられたサーバ装置が、各端末装置から受け取った個別メッセージを統合したメッセージ、または、各個別メッセージごとに、開封可能日、前記グループ端末情報を有するタイムカプセルメッセージを生成し、
前記端末装置の埋蔵手段は、前記サーバ装置からタイムカプセルメッセージを受信して処理を行うことを特徴とするシステムまたはプログラム。
【請求項３２】
請求項１〜１０のいずれかのシステムまたはプログラムにおいて、
前記端末装置と通信可能に設けられたサーバ装置が、各端末装置から受け取った認証のための情報または認証結果に基づいて発掘認証が正当であるかどうかを判断し、
前記端末装置の発掘認証処理手段は、当該結果を受信して発掘認証を行うことを特徴とするシステムまたはプログラム。
【請求項３３】
請求項１、２、７、８のいずれかのシステムまたはプログラムにおいて、
前記埋蔵認証時のオブジェクトと、前記発掘認証時のオブジェクトは異なる形状であることを特徴とするシステムまたはプログラム。
【請求項３４】
請求項１、２、７、８のいずれかのシステムまたはプログラムにおいて、
前記埋蔵認証時のオブジェクトと、前記発掘認証時のオブジェクトは異なる場所にあることを特徴とするシステムまたはプログラム。
【請求項３５】
請求項５、６のいずれかのシステムまたはプログラムにおいて、
前記埋蔵認証時の場所と、前記発掘認証時の場所が異なることを特徴とするシステムまたはプログラム。
【請求項３６】
請求項３４または３５システムまたはプログラムにおいて、
前記埋蔵時または発掘時に、商品またはサービスの招待券または割引券を各端末装置に表示させるよう構成したことを特徴とするシステムまたはプログラム。
【請求項３７】
請求項１〜８、１１、１２のいずれかのシステムまたはプログラムにおいて、
各端末装置は、記録部に記録されているタイムカプセル・メッセージの開封開始日、開封終了日に基づいて、当該開始日または終了日の当日またはその所定前の日になると、開封可能通知を表示部に表示することを特徴とするシステムまたはプログラム。
【請求項３８】
請求項２９〜３２のいずれかのシステムまたはプログラムにおいて、
前記サーバ装置は、記録部に記録されているタイムカプセル・メッセージの開封開始日、開封終了日に基づいて、当該開始日または終了日の当日またはその所定前の日になると、開封可能通知を各端末装置に送信することを特徴とするシステムまたはプログラム。
【請求項３９】
複数のユーザによって使用される複数の端末装置を用いたタイムカプセル方法であって、
前記端末装置は、
グループに属する複数の端末装置のユーザを識別するための識別情報をグループ端末情報として記録部に記録し、
記録部に記録されている個別メッセージを、前記グループに属する他の端末装置に送信し、
埋蔵処理の際に、前記グループに属する他の端末装置から送信されてきた個別メッセージと、前記記録部に記録されている個別メッセージを統合して、開封可能日、前記グループ端末情報を有するタイムカプセルメッセージとし、開封条件が満たされないと当該タイムカプセルメッセージが開封できない状態にて記録部に記録し、
発掘処理の際に、開封可能日であるかどうかを認証する開封日認証のための処理を行い、
発掘処理の際に、前記グループに属する他の端末装置の全てと所定距離内にいるかどうかを認証する近距離認証のための処理を行い、
発掘処理の際に、前記開封日認証、近距離認証を含む開封条件に基づく発掘認証が正当であると判断されると、前記記録部に記録されたタイムカプセルメッセージを開封して表示することを特徴とするタイムカプセル方法。
【請求項４０】
少なくとも一つの送信側端末装置と少なくとも一つの受信側端末装置とサーバ装置を備えたメッセージ・システムであって、
前記送信側端末装置は、
作成されたメッセージをカプセル化メッセージとし、開封条件が満たされないと当該カプセル化メッセージが開封できない状態にて、前記サーバ装置に送信するメッセージ作成手段と、
送信側端末装置および受信側端末装置のユーザを識別するための識別情報をグループ端末情報として記録部に記録するとともに前記サーバ装置に送信する識別情報記録手段と、
撮像部によって撮像されたオブジェクトの撮像画像が、予め定められたオブジェクトの画像と合致するかどうかによって行うオブジェクト認証のための処理を行うオブジェクト認証手段と、
位置検出部の出力を参照して、前記撮像部による撮像が予め定められた所定位置にて行われたか否かによって行う位置認証のための処理を行う位置認証手段と、
少なくとも前記オブジェクト認証、前記位置認証を含む個別開封認証のための処理を行って結果をサーバ装置に送信する個別開封認証処理手段と、
前記サーバ装置から送信されてきた前記統合カプセル化メッセージを受信して表示部に表示するメッセージ開封手段と、
を備え、
前記サーバ装置は、
前記送信側端末装置から送信されてきたカプセル化メッセージを受信して記録部に記録するメッセージ受信手段と、
前記送信側端末装置から送信されてきたグループ端末情報を受信して記録部に記録するグループ端末情報受信手段と、
前記グループ端末情報を参照して、当該グループに属する１以上の送信側端末装置のカプセル化メッセージを統合して統合カプセル化メッセージとするメッセージ統合手段と、
前記グループ端末情報を参照して、当該グループに属する送信側端末装置および受信側端末装置の全てから、個別開封認証が正当である旨を受信すると、送信側端末装置および受信側端末装置に対して、前記統合カプセル化メッセージを送信するメッセージ送信手段と、
を備え、
前記受信側端末装置は、
撮像部によって撮像されたオブジェクトの撮像画像が、予め定められたオブジェクトの画像と合致するかどうかによって行うオブジェクト認証のための処理を行うオブジェクト認証手段と、
位置検出部の出力を参照して、前記撮像部による撮像が予め定められた所定位置にて行われたか否かによって行う位置認証のための処理を行う位置認証手段と、
少なくとも前記オブジェクト認証、前記位置認証を含む個別開封認証のための処理を行って結果をサーバ装置に送信する個別開封認証処理手段と、
前記サーバ装置から送信されてきた前記統合カプセル化メッセージを受信して表示部に表示するメッセージ開封手段と、
を備えたメッセージ・システム。
【請求項４１】
メッセージ・システムのための送信側端末装置をコンピュータによって実現するための端末プログラムであって、コンピュータを、
作成されたメッセージをカプセル化メッセージとし、開封条件が満たされないと当該カプセル化メッセージが開封できない状態にて、前記サーバ装置に送信するメッセージ作成手段と、
送信側端末装置および受信側端末装置のユーザを識別するための識別情報をグループ端末情報として記録部に記録するとともに前記サーバ装置に送信する識別情報記録手段と、
撮像部によって撮像されたオブジェクトの撮像画像が、予め定められたオブジェクトの画像と合致するかどうかによって行うオブジェクト認証のための処理を行うオブジェクト認証手段と、
位置検出部の出力を参照して、前記撮像部による撮像が予め定められた所定位置にて行われたか否かによって行う位置認証のための処理を行う位置認証手段と、
少なくとも前記オブジェクト認証、前記位置認証を含む個別開封認証のための処理を行って結果をサーバ装置に送信する個別開封認証処理手段と、
前記サーバ装置から送信されてきた前記統合カプセル化メッセージを受信して表示部に表示するメッセージ開封手段として機能させるための端末プログラム。
【請求項４２】
メッセージ・システムのための受信側端末装置をコンピュータによって実現するための端末プログラムであって、コンピュータを、
撮像部によって撮像されたオブジェクトの撮像画像が、予め定められたオブジェクトの画像と合致するかどうかによって行うオブジェクト認証のための処理を行うオブジェクト認証手段と、
位置検出部の出力を参照して、前記撮像部による撮像が予め定められた所定位置にて行われたか否かによって行う位置認証のための処理を行う位置認証手段と、
少なくとも前記オブジェクト認証、前記位置認証を含む個別開封認証のための処理を行って結果をサーバ装置に送信する個別開封認証処理手段と、
前記サーバ装置から送信されてきた前記統合カプセル化メッセージを受信して表示部に表示するメッセージ開封手段として機能させるための端末プログラム。
【請求項４３】
１以上の送信側端末装置と１以上の受信側端末装置を備えたメッセージ・システムであって、前記送信側端末装置にはリーダ端末装置が含まれており、
前記リーダ端末装置は、
作成されたメッセージをカプセル化メッセージとし、開封条件が満たされないと当該カプセル化メッセージが開封できない状態にて記録するメッセージ作成手段と、
送信側端末装置および受信側端末装置のユーザを識別するための識別情報をグループ端末情報として記録部に記録する識別情報記録手段と、
他の送信側端末装置からカプセル化メッセージを受信し、自らのカプセル化メッセージと統合して統合カプセル化メッセージとするメッセージ統合手段と、
撮像部によって撮像されたオブジェクトの撮像画像が、予め定められたオブジェクトの画像と合致するかどうかによって行うオブジェクト認証のための処理を行うオブジェクト認証手段と、
位置検出部の出力を参照して、前記撮像部による撮像が予め定められた所定位置にて行われたか否かによって行う位置認証のための処理を行う位置認証手段と、
少なくとも前記オブジェクト認証、前記位置認証を含む個別開封認証のための処理を行う個別開封認証処理手段と、
前記グループに属する全ての送信側端末装置および受信側端末装置の個別開封認証が正当であれば、当該グループに属する他の送信側端末装置および受信側端末装置に対して、前記統合カプセル化メッセージを送信するメッセージ送信手段と、
前記グループに属する全ての送信側端末装置および受信側端末装置の個別開封認証が正当であれば、前記統合カプセル化メッセージを表示部に表示するメッセージ開封手段と、
を備え、
前記リーダ端末装置以外の送信側端末装置は、
作成されたメッセージをカプセル化メッセージとし、開封条件が満たされないと当該カプセル化メッセージが開封できない状態にて記録するメッセージ作成手段と、
送信側端末装置および受信側端末装置のユーザを識別するための識別情報をグループ端末情報として記録部に記録する識別情報記録手段と、
前記グループ端末情報を参照して、リーダ端末装置にカプセル化メッセージを送信するメッセージ送信手段と、
撮像部によって撮像されたオブジェクトの撮像画像が、予め定められたオブジェクトの画像と合致するかどうかによって行うオブジェクト認証のための処理を行うオブジェクト認証手段と、
位置検出部の出力を参照して、前記撮像部による撮像が予め定められた所定位置にて行われたか否かによって行う位置認証のための処理を行う位置認証手段と、
少なくとも前記オブジェクト認証、前記位置認証を含む個別開封認証のための処理を行って、認証結果をリーダ端末装置に送信する個別開封認証処理手段と、
前記リーダ端末装置から送信されてきた前記統合カプセル化メッセージを受信して表示部に表示するメッセージ開封手段と、
前記受信側端末装置は、
撮像部によって撮像されたオブジェクトの撮像画像が、予め定められたオブジェクトの画像と合致するかどうかによって行うオブジェクト認証のための処理を行うオブジェクト認証手段と、
位置検出部の出力を参照して、前記撮像部による撮像が予め定められた所定位置にて行われたか否かによって行う位置認証のための処理を行う位置認証手段と、
少なくとも前記オブジェクト認証、前記位置認証を含む個別開封認証のための処理を行って結果を少なくとも前記リーダ端末装置に送信する個別開封認証処理手段と、
前記リーダ端末装置から送信されてきた前記カプセル化メッセージを受信して表示部に表示するメッセージ開封手段と、
を備えたメッセージ・システム。
【請求項４４】
リーダ端末装置を含む送信側端末装置および受信側端末装置を備えて構成されるメッセージ・システムのためのリーダ端末装置をコンピュータによって実現するための端末プログラムであって、コンピュータを、
作成されたメッセージをカプセル化メッセージとし、開封条件が満たされないと当該カプセル化メッセージが開封できない状態にて記録するメッセージ作成手段と、
送信側端末装置および受信側端末装置のユーザを識別するための識別情報をグループ端末情報として記録部に記録する識別情報記録手段と、
他の送信側端末装置からカプセル化メッセージを受信し、自らのカプセル化メッセージと統合して統合カプセル化メッセージとするメッセージ統合手段と、
撮像部によって撮像されたオブジェクトの撮像画像が、予め定められたオブジェクトの画像と合致するかどうかによって行うオブジェクト認証のための処理を行うオブジェクト認証手段と、
位置検出部の出力を参照して、前記撮像部による撮像が予め定められた所定位置にて行われたか否かによって行う位置認証のための処理を行う位置認証手段と、
少なくとも前記オブジェクト認証、前記位置認証を含む個別開封認証のための処理を行う個別開封認証処理手段と、
前記グループに属する全ての送信側端末装置および受信側端末装置の個別開封認証が正当であれば、当該グループに属する他の送信側端末装置および受信側端末装置に対して、前記統合カプセル化メッセージを送信するメッセージ送信手段と、
前記グループに属する全ての送信側端末装置および受信側端末装置の個別開封認証が正当であれば、前記統合カプセル化メッセージを表示部に表示するメッセージ開封手段として機能させるための端末プログラム。
【請求項４５】
リーダ端末装置を含む送信側端末装置および受信側端末装置を備えて構成されるメッセージ・システムのための受信側端末装置をコンピュータによって実現するための端末プログラムであって、コンピュータを、
撮像部によって撮像されたオブジェクトの撮像画像が、予め定められたオブジェクトの画像と合致するかどうかによって行うオブジェクト認証のための処理を行うオブジェクト認証手段と、
位置検出部の出力を参照して、前記撮像部による撮像が予め定められた所定位置にて行われたか否かによって行う位置認証のための処理を行う位置認証手段と、
少なくとも前記オブジェクト認証、前記位置認証を含む個別開封認証のための処理を行って結果を少なくとも前記リーダ端末装置に送信する個別開封認証処理手段と、
前記リーダ端末装置から送信されてきた前記カプセル化メッセージを受信して表示部に表示するメッセージ開封手段として機能させるための端末プログラム。
【請求項４６】
少なくとも一つの送信側端末装置と少なくとも一つの受信側端末装置とサーバ装置を備えたメッセージ・システムであって、
前記送信側端末装置は、
作成されたメッセージをカプセル化メッセージとし、開封条件が満たされないと当該カプセル化メッセージが開封できない状態にて、前記サーバ装置に送信するメッセージ作成手段と、
送信側端末装置および受信側端末装置のユーザを識別するための識別情報をグループ端末情報として記録部に記録するとともに前記サーバ装置に送信する識別情報記録手段と、
少なくとも下記(1)〜(3)のいずれか一つの認証を含む個別開封認証のための処理を行って結果をサーバ装置に送信する個別開封認証処理手段と、
(1)撮像部によって撮像されたオブジェクトの撮像画像が、予め定められたオブジェクトの画像と合致するかどうかによって行うオブジェクト認証、
(2)位置検出部の出力を参照して、前記撮像部による撮像が予め定められた所定位置にて行われたか否かによって行う位置認証のための処理を行う位置認証手段と、
(3)前記グループに属する他の送信側端末装置および受信側端末装置の全てと所定距離内にいるかどうかを認証する近距離認証のための処理を行う近距離認証手段と、
前記サーバ装置から送信されてきた前記統合カプセル化メッセージを受信して表示部に表示するメッセージ開封手段と、
を備え、
前記サーバ装置は、
前記送信側端末装置から送信されてきたカプセル化メッセージを受信して記録部に記録するメッセージ受信手段と、
前記送信側端末装置から送信されてきたグループ端末情報を受信して記録部に記録するグループ端末情報受信手段と、
前記グループ端末情報を参照して、当該グループに属する１以上の送信側端末装置のカプセル化メッセージを統合して統合カプセル化メッセージとするメッセージ統合手段と、
前記グループ端末情報を参照して、当該グループに属する送信側端末装置および受信側端末装置の全てから、個別開封認証が正当である旨を受信すると、送信側端末装置および受信側端末装置に対して、前記統合カプセル化メッセージを送信するメッセージ送信手段と、
を備え、
前記受信側端末装置は、
少なくとも下記(1)〜(3)のいずれか一つの認証を含む個別開封認証のための処理を行って結果をサーバ装置に送信する個別開封認証処理手段と、
(1)撮像部によって撮像されたオブジェクトの撮像画像が、予め定められたオブジェクトの画像と合致するかどうかによって行うオブジェクト認証、
(2)位置検出部の出力を参照して、前記撮像部による撮像が予め定められた所定位置にて行われたか否かによって行う位置認証のための処理を行う位置認証手段と、
(3)前記グループに属する他の送信側端末装置および受信側端末装置の全てと所定距離内にいるかどうかを認証する近距離認証のための処理を行う近距離認証手段と、
前記サーバ装置から送信されてきた前記統合カプセル化メッセージを受信して表示部に表示するメッセージ開封手段と、
を備えたメッセージ・システム。
【請求項４７】
メッセージ・システムのための送信側端末装置をコンピュータによって実現するための端末プログラムであって、コンピュータを、
作成されたメッセージをカプセル化メッセージとし、開封条件が満たされないと当該カプセル化メッセージが開封できない状態にて、前記サーバ装置に送信するメッセージ作成手段と、
送信側端末装置および受信側端末装置のユーザを識別するための識別情報をグループ端末情報として記録部に記録するとともに前記サーバ装置に送信する識別情報記録手段と、
少なくとも下記(1)〜(3)のいずれか一つの認証を含む個別開封認証のための処理を行って結果をサーバ装置に送信する個別開封認証処理手段と、
(1)撮像部によって撮像されたオブジェクトの撮像画像が、予め定められたオブジェクトの画像と合致するかどうかによって行うオブジェクト認証、
(2)位置検出部の出力を参照して、前記撮像部による撮像が予め定められた所定位置にて行われたか否かによって行う位置認証、
(3)前記グループに属する他の送信側端末装置および受信側端末装置の全てと所定距離内にいるかどうかを認証する近距離認証、
前記サーバ装置から送信されてきた前記統合カプセル化メッセージを受信して表示部に表示するメッセージ開封手段として機能させるための端末プログラム。
【請求項４８】
メッセージ・システムのための受信側端末装置をコンピュータによって実現するための端末プログラムであって、コンピュータを、
少なくとも下記(1)〜(3)のいずれか一つの認証を含む個別開封認証のための処理を行って結果をサーバ装置に送信する個別開封認証処理手段と、
(1)撮像部によって撮像されたオブジェクトの撮像画像が、予め定められたオブジェクトの画像と合致するかどうかによって行うオブジェクト認証、
(2)位置検出部の出力を参照して、前記撮像部による撮像が予め定められた所定位置にて行われたか否かによって行う位置認証、
(3)前記グループに属する他の送信側端末装置および受信側端末装置の全てと所定距離内にいるかどうかを認証する近距離認証、
前記サーバ装置から送信されてきた前記統合カプセル化メッセージを受信して表示部に表示するメッセージ開封手段として機能させるための端末プログラム。
【請求項４９】
１以上の送信側端末装置と１以上の受信側端末装置を備えたメッセージ・システムであって、前記送信側端末装置にはリーダ端末装置が含まれており、
前記リーダ端末装置は、
作成されたメッセージをカプセル化メッセージとし、開封条件が満たされないと当該カプセル化メッセージが開封できない状態にて記録するメッセージ作成手段と、
送信側端末装置および受信側端末装置のユーザを識別するための識別情報をグループ端末情報として記録部に記録する識別情報記録手段と、
他の送信側端末装置からカプセル化メッセージを受信し、自らのカプセル化メッセージと統合して統合カプセル化メッセージとするメッセージ統合手段と、
少なくとも下記(1)〜(3)のいずれか一つの認証を含む個別開封認証のための処理を行う個別開封認証処理手段と、
(1)撮像部によって撮像されたオブジェクトの撮像画像が、予め定められたオブジェクトの画像と合致するかどうかによって行うオブジェクト認証、
(2)位置検出部の出力を参照して、前記撮像部による撮像が予め定められた所定位置にて行われたか否かによって行う位置認証、
(3)前記グループに属する他の送信側端末装置および受信側端末装置の全てと所定距離内にいるかどうかを認証する近距離認証、
前記グループに属する全ての送信側端末装置および受信側端末装置の個別開封認証が正当であれば、当該グループに属する他の送信側端末装置および受信側端末装置に対して、前記統合カプセル化メッセージを送信するメッセージ送信手段と、
前記グループに属する全ての送信側端末装置および受信側端末装置の個別開封認証が正当であれば、前記統合カプセル化メッセージを表示部に表示するメッセージ開封手段と、
を備え、
前記リーダ端末装置以外の送信側端末装置は、
作成されたメッセージをカプセル化メッセージとし、開封条件が満たされないと当該カプセル化メッセージが開封できない状態にて記録するメッセージ記録手段と、
送信側端末装置および受信側端末装置のユーザを識別するための識別情報をグループ端末情報として記録部に記録する識別情報記録手段と、
前記グループ端末情報を参照して、リーダ端末装置にカプセル化メッセージを送信するメッセージ送信手段と、
少なくとも下記(1)〜(3)のいずれか一つの認証を含む個別開封認証のための処理を行う個別開封認証処理手段と、
(1)撮像部によって撮像されたオブジェクトの撮像画像が、予め定められたオブジェクトの画像と合致するかどうかによって行うオブジェクト認証、
(2)位置検出部の出力を参照して、前記撮像部による撮像が予め定められた所定位置にて行われたか否かによって行う位置認証、
(3)前記グループに属する他の送信側端末装置および受信側端末装置の全てと所定距離内にいるかどうかを認証する近距離認証、
前記リーダ端末装置から送信されてきた前記統合カプセル化メッセージを受信して表示部に表示するメッセージ開封手段と、
前記受信側端末装置は、
少なくとも下記(1)〜(3)のいずれか一つの認証を含む個別開封認証のための処理を行う個別開封認証処理手段と、
(1)撮像部によって撮像されたオブジェクトの撮像画像が、予め定められたオブジェクトの画像と合致するかどうかによって行うオブジェクト認証、
(2)位置検出部の出力を参照して、前記撮像部による撮像が予め定められた所定位置にて行われたか否かによって行う位置認証、
(3)前記グループに属する他の送信側端末装置および受信側端末装置の全てと所定距離内にいるかどうかを認証する近距離認証、
前記リーダ端末装置から送信されてきた前記カプセル化メッセージを受信して表示部に表示するメッセージ開封手段と、
を備えたメッセージ・システム。
【請求項５０】
リーダ端末装置を含む送信側端末装置および受信側端末装置を備えて構成されるメッセージ・システムのためのリーダ端末装置をコンピュータによって実現するための端末プログラムであって、コンピュータを、
作成されたメッセージをカプセル化メッセージとし、開封条件が満たされないと当該カプセル化メッセージが開封できない状態にて記録するメッセージ作成手段と、
送信側端末装置および受信側端末装置のユーザを識別するための識別情報をグループ端末情報として記録部に記録する識別情報記録手段と、
他の送信側端末装置からカプセル化メッセージを受信し、自らのカプセル化メッセージと統合して統合カプセル化メッセージとするメッセージ統合手段と、
少なくとも下記(1)〜(3)のいずれか一つの認証を含む個別開封認証のための処理を行う個別開封認証処理手段と、
(1)撮像部によって撮像されたオブジェクトの撮像画像が、予め定められたオブジェクトの画像と合致するかどうかによって行うオブジェクト認証、
(2)位置検出部の出力を参照して、前記撮像部による撮像が予め定められた所定位置にて行われたか否かによって行う位置認証、
(3)前記グループに属する他の送信側端末装置および受信側端末装置の全てと所定距離内にいるかどうかを認証する近距離認証、
前記グループに属する全ての送信側端末装置および受信側端末装置の個別開封認証が正当であれば、当該グループに属する他の送信側端末装置および受信側端末装置に対して、前記統合カプセル化メッセージを送信するメッセージ送信手段と、
前記グループに属する全ての送信側端末装置および受信側端末装置の個別開封認証が正当であれば、前記統合カプセル化メッセージを表示部に表示するメッセージ開封手段として機能させるための端末プログラム。
【請求項５１】
リーダ端末装置を含む送信側端末装置および受信側端末装置を備えて構成されるメッセージ・システムのための受信側端末装置をコンピュータによって実現するための端末プログラムであって、コンピュータを、
少なくとも下記(1)〜(3)のいずれか一つの認証を含む個別開封認証のための処理を行う個別開封認証処理手段と、
(1)撮像部によって撮像されたオブジェクトの撮像画像が、予め定められたオブジェクトの画像と合致するかどうかによって行うオブジェクト認証、
(2)位置検出部の出力を参照して、前記撮像部による撮像が予め定められた所定位置にて行われたか否かによって行う位置認証、
(3)前記グループに属する他の送信側端末装置および受信側端末装置の全てと所定距離内にいるかどうかを認証する近距離認証、
前記リーダ端末装置から送信されてきた前記カプセル化メッセージを受信して表示部に表示するメッセージ開封手段ととして機能させるための端末プログラム。
【発明の詳細な説明】
【技術分野】
【０００１】
この発明は、カプセル化したメッセージを複数人で埋蔵し、開封日にこれを発掘して閲覧することのできるシステムに関するものである。また、カプセル化したメッセージを相手方に送信し、開封日にこれを開封して閲覧することのできるシステムに関するものである。
【背景技術】
【０００２】
特許文献１には、サーバ装置に開示時期を設定した上でデータを登録し、開示時期が来ると端末装置からサーバ装置上のデータを閲覧可能とするシステムが開示されている。
【０００３】
さらに、特許文献２には、メッセージ送信において、送信者が開示日時や気象条件等を指定してメッセージを登録し、開示日時や指定の気象条件となれば、当該メッセージを相手方に送信するシステムが開示されている。
【先行技術文献】
【特許文献】
【０００４】
【特許文献１】特開２００６−２７７０２１
【特許文献２】特開２０１５−１４９５３６
【発明の開示】
【発明が解決しようとする課題】
【０００５】
しかしながら、上記のような従来技術においては、複数人が集まってメッセージを格納し、記念日などに複数人が集まって格納したメッセージを開封したりすることで、記念日等を盛り上げることのできるシステムを提供することはできなかった。
【０００６】
また、従来技術では、予め相手方にメッセージを送信しておき、開封日に相手方が所定の行動を行うことで当該メッセージを開封することのできるメッセージシステムを提供することはできなかった。
【０００７】
この発明は、少なくとも、上記のいずれかの問題を解決したシステムを提供することを目的とする。
【課題を解決するための手段】
【０００８】
この発明の独立して適用可能ないくつかの特徴を以下列挙する。
【０００９】
(1)(2)この発明に係るタイムカプセル・システムは、複数のユーザによって使用される複数の端末装置を備えたタイムカプセル・システムであって、
前記端末装置は、他の端末装置のユーザを識別するための識別情報をグループ端末情報として記録部に記録する識別情報記録手段と、記録部に記録されている個別メッセージを、前記グループに属する他の端末装置に送信する個別メッセージ送信手段と、撮像部によって撮像されたオブジェクトの撮像画像が、予め定められたオブジェクトの画像と合致するかどうかによって行うオブジェクト認証のための処理を行うオブジェクト認証手段と、位置検出部の出力を参照して、前記撮像部による撮像が予め定められた所定位置にて行われたか否かによって行う位置認証のための処理を行う位置認証手段と、前記グループに属する他の端末装置の全てと所定距離内にいるかどうかを認証する近距離認証のための処理を行う近距離認証手段と、埋蔵処理の際に、前記グループに属する全端末装置について、少なくとも前記オブジェクト認証、前記位置認証、前記近距離認証を含む埋蔵認証のための処理を行う埋蔵認証処理手段と、埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段と、発掘処理の際に、開封可能日であるかどうかを認証する開封日認証のための処理を行う開封日認証手段と、発掘処理の際に、前記グループに属する全端末装置について、少なくとも前記開封日認証、前記オブジェクト認証、前記位置認証、前記近距離認証を含む発掘認証のための処理を行う発掘認証処理手段と、発掘処理の際に、前記発掘認証が正当であると判断されると、前記記録部に記録されたタイムカプセルメッセージを開封して表示する発掘手段とを備えている。
【００１０】
したがって、グループ全員が集合してオブジェクト認証、位置認証によってタイムカプセルを埋蔵し、開封可能日にグループ全員が集合して近距離認証、オブジェクト認証、位置認証によってタイムカプセルを発掘することができる。
【００１１】
(3)(4)この発明に係るタイムカプセル・システムは、複数のユーザによって使用される複数の端末装置を備えたタイムカプセル・システムであって、
前記端末装置は、他の端末装置のユーザを識別するための識別情報をグループ端末情報として記録部に記録する識別情報記録手段と、記録部に記録されている個別メッセージを、前記グループに属する他の端末装置に送信する個別メッセージ送信手段と、前記グループに属する他の端末装置の全てと所定距離内にいるかどうかを認証する近距離認証のための処理を行う近距離認証手段と、埋蔵処理の際に、前記グループに属する全端末装置について、少なくとも前記近距離認証を含む埋蔵認証のための処理を行う埋蔵認証処理手段と、埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段と、発掘処理の際に、開封可能日であるかどうかを認証する開封日認証のための処理を行う開封日認証手段と、発掘処理の際に、前記グループに属する全端末装置について、少なくとも前記開封日認証、前記近距離認証を含む発掘認証のための処理を行う発掘認証処理手段と、発掘処理の際に、前記発掘認証が正当であると判断されると、前記記録部に記録されたタイムカプセルメッセージを開封して表示する発掘手段とを備えている。
【００１２】
したがって、グループ全員が集合して近距離認証によってタイムカプセルを埋蔵し、開封可能日にグループ全員が集合して近距離認証によってタイムカプセルを発掘することができる。
【００１３】
(5)(6)この発明に係るタイムカプセル・システムは、複数のユーザによって使用される複数の端末装置を備えたタイムカプセル・システムであって、
前記端末装置は、他の端末装置のユーザを識別するための識別情報をグループ端末情報として記録部に記録する識別情報記録手段と、記録部に記録されている個別メッセージを、前記グループに属する他の端末装置に送信する個別メッセージ送信手段と、位置検出部の出力を参照して、前記端末装置が予め定められた所定位置にあるか否かによって行う位置認証のための処理を行う位置認証手段と、埋蔵処理の際に、前記グループに属する全端末装置について、少なくとも前記位置認証を含む埋蔵認証のための処理を行う埋蔵認証処理手段と、埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段と、発掘処理の際に、開封可能日であるかどうかを認証する開封日認証のための処理を行う開封日認証手段と、発掘処理の際に、前記グループに属する全端末装置について、少なくとも前記開封日認証、前記位置認証を含む発掘認証のための処理を行う発掘認証処理手段と、発掘処理の際に、前記発掘認証が正当であると判断されると、前記記録部に記録されたタイムカプセルメッセージを開封して表示する発掘手段とを備えている。
【００１４】
したがって、グループ全員の位置認証によってタイムカプセルを埋蔵し、開封可能日にグループ全員の位置認証によってタイムカプセルを発掘することができる。
【００１５】
(7)(8)この発明に係るタイムカプセル・システムは、複数のユーザによって使用される複数の端末装置を備えたタイムカプセル・システムであって、
前記端末装置は、他の端末装置のユーザを識別するための識別情報をグループ端末情報として記録部に記録する識別情報記録手段と、記録部に記録されている個別メッセージを、前記グループに属する他の端末装置に送信する個別メッセージ送信手段と、撮像部によって撮像されたオブジェクトの撮像画像が、予め定められたオブジェクトの画像と合致するかどうかによって行うオブジェクト認証のための処理を行うオブジェクト認証手段と、埋蔵処理の際に、前記グループに属する全端末装置について、少なくとも前記オブジェクト認証を含む埋蔵認証のための処理を行う埋蔵認証処理手段と、埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段と、発掘処理の際に、開封可能日であるかどうかを認証する開封日認証のための処理を行う開封日認証手段と、発掘処理の際に、前記グループに属する全端末装置について、少なくとも前記開封日認証、前記オブジェクト認証を含む発掘認証のための処理を行う発掘認証処理手段と、発掘処理の際に、前記発掘認証が正当であると判断されると、前記記録部に記録されたタイムカプセルメッセージを開封して表示する発掘手段とを備えている。
【００１６】
したがって、グループ全員が集合してオブジェクト認証によってタイムカプセルを埋蔵し、開封可能日にグループ全員が集合してオブジェクト認証によってタイムカプセルを発掘することができる。
【００１７】
(9)(10)この発明に係るタイムカプセル埋蔵システムは、複数のユーザによって使用される複数の端末装置を備えたタイムカプセル埋蔵システムであって、
前記端末装置は、他の端末装置のユーザを識別するための識別情報をグループ端末情報として記録部に記録する識別情報記録手段と、記録部に記録されている個別メッセージを、前記グループに属する他の端末装置に送信する個別メッセージ送信手段と、撮像部によって撮像されたオブジェクトの撮像画像が、予め定められたオブジェクトの画像と合致するかどうかによって行うオブジェクト認証のための処理を行うオブジェクト認証手段と、埋蔵処理の際に、前記グループに属する全端末装置について、少なくとも前記オブジェクト認証を含む埋蔵認証のための処理を行う埋蔵認証処理手段と、埋蔵処理の際に、前記埋蔵認証が正当であると判断されると、前記グループに属する他の端末装置から送信されてきた個別メッセージと、前記記録部に記録されている個別メッセージを統合したメッセージ、または、各個別メッセージごとに、開封可能日、前記グループ端末情報を有するタイムカプセルメッセージとし、開封条件が満たされないと当該タイムカプセルメッセージが開封できない状態にて記録部に記録する埋蔵手段とを備えている。
【００１８】
したがって、グループ全員が集合してオブジェクト認証によってタイムカプセルを埋蔵することができる。
【００１９】
(11)(12)この発明に係るタイムカプセル発掘システムは、複数のユーザによって使用される複数の端末装置を備えたタイムカプセル発掘システムであって、
前記端末装置は、発掘処理の際に、開封可能日であるかどうかを認証する開封日認証のための処理を行う開封日認証手段と、発掘処理の際に、前記グループに属する全端末装置について、少なくとも前記開封日認証、前記オブジェクト認証を含む発掘認証のための処理を行う発掘認証処理手段と、発掘処理の際に、前記発掘認証が正当であると判断されると、前記記録部に記録されたタイムカプセルメッセージを開封して表示する発掘手段とを備えている。
【００２０】
したがって、グループ全員が集合してオブジェクト認証によってタイムカプセルを発掘することができる。
【００２１】
(13)この発明に係るシステムは、複数の端末装置のそれぞれのオブジェクト認証手段が、撮像部によって撮像されたオブジェクトの撮像画像が、予め定められたオブジェクトの画像と合致するかどうかによってオブジェクト認証が正当であるかどうかの判断を行うことを特徴としている。
【００２２】
各端末装置においてオブジェクト認証の実体的判断を行うので、認証の正確性が向上する。
【００２３】
(14)この発明に係るシステムは、複数の端末装置のうち一つの端末装置のオブジェクト認証手段が、撮像部によって撮像されたオブジェクトの撮像画像が、予め定められたオブジェクトの画像と合致するかどうかによってオブジェクト認証が正当であるかどうかの判断を行い、当該判断結果を、直接またはサーバ装置を介して他の端末装置に送信し、他の端末装置のオブジェクト認証手段は当該判断結果を受信してオブジェクト認証を行うことを特徴としている。
【００２４】
したがって、他の端末装置はオブジェクト認証の実体的判断を行う必要がなく処理負担が軽減される。
【００２５】
(15)この発明に係るシステムは、複数の端末装置のそれぞれの位置認証手段が、端末装置が所定位置にいるかどうかによって位置認証が正当であるかどうかの判断を行うことを特徴としている。
【００２６】
各端末装置において位置認証の実体的判断を行うので、認証の正確性が向上する。
【００２７】
(16)この発明に係るシステムは、複数の端末装置のうち一つの端末装置の位置認証手段が、端末装置が所定位置にいるかどうかによって位置認証が正当であるかどうかの判断を行い、当該判断結果を、直接またはサーバ装置を介して他の端末装置に送信し、他の端末装置の位置認証手段は当該判断結果を受信して位置認証を行うことを特徴としている。
【００２８】
したがって、他の端末装置は位置認証の実体的判断を行う必要がなく処理負担が軽減される。
【００２９】
(17)この発明に係るシステムは、複数の端末装置のそれぞれの近距離認証手段は、前記グループに属する他の端末装置の全てと前記近距離通信にて通信可能な範囲にいるかどうかを判断する処理を行うことと特徴としている。
【００３０】
各端末装置において近距離認証の実体的判断を行うので、認証の正確性が向上する。
【００３１】
(18)この発明に係るシステムは、複数の端末装置のうち一つの端末装置の近距離認証手段が、前記グループに属する他の端末装置の全てと前記近距離通信にて通信可能な範囲にいるかどうかを判断し、当該判断結果を、直接またはサーバ装置を介して他の端末装置に送信し、他の端末装置の近距離認証手段は、当該判断結果を受信して認証を行うことを特徴としている。
【００３２】
したがって、他の端末装置は近距離認証の実体的判断を行う必要がなく処理負担が軽減される。
【００３３】
(19)この発明に係るシステムは、複数の端末装置のそれぞれの識別情報記録手段は、近距離通信によって通信可能な範囲にいる端末装置から選択された複数の端末装置のユーザをグループとする処理を行い、当該グループに属する端末装置のユーザを識別するための識別情報をグループ端末情報として記録部に記録する処理を行うことを特徴としている。
【００３４】
各端末装置においてグループ端末情報の生成を行うので、処理が確実である。
【００３５】
(20)この発明に係るシステムは、複数の端末装置のうち一つの端末装置の識別情報記録手段が、近距離通信によって通信可能な範囲にいる端末装置から選択された複数の端末装置のユーザでグループを形成する処理を行ってグループ端末情報を生成し、当該グループ端末情報を、直接またはサーバ装置を介して他の端末装置に送信し、他の端末装置の識別情報記録手段は、受信したグループ端末情報を記録部に記録することを特徴としている。
【００３６】
したがって、他の端末装置はグループ端末情報を記録するために必要なほとんどの処理を行う必要がなく処理負担が軽減される。
【００３７】
(21)この発明に係るシステムは、複数の端末装置のそれぞれは、前記グループに属する他の端末装置から送信されてきた個別メッセージと、前記記録部に記録されている個別メッセージを統合して、開封可能日、前記グループ端末情報を有するタイムカプセルメッセージを作成する処理を行うことを特徴としている。
【００３８】
各端末装置においてタイムカプセルメッセージを生成するので、処理が確実である。
【００３９】
(22)この発明に係るシステムは、複数の端末装置のうちの一つが、前記グループに属する他の端末装置から送信されてきた個別メッセージと、前記記録部に記録されている個別メッセージを統合して、開封可能日、前記グループ端末情報を有するタイムカプセルメッセージを生成する処理を行い、当該タイムカプセルメッセージを、直接またはサーバ装置を介して他の端末装置に送信し、他の端末装置は、当該タイムカプセルメッセージを受信することを特徴としている。
【００４０】
したがって、他の端末装置はタイムカプセルメッセージを記録するために必要なほとんどの処理を行う必要がなく処理負担が軽減される。
【００４１】
(23)この発明に係るシステムは、複数の端末装置のそれぞれの埋蔵認証処理手段は、前記グループに属する全端末装置について、前記埋蔵認証が正当であるか否かを判断する処理を行うことを特徴としている。
【００４２】
各端末装置において、全ての端末装置の個別埋蔵認証が正当であるか否かを判断しているので、認証処理の正確性が向上する。
【００４３】
(24)この発明に係るシステムは、複数の端末装置のうち一つの端末装置の埋蔵認証処理手段が、前記グループに属する全端末装置について、前記埋蔵認証が正当であるか否かを判断し、当該判断結果を、直接またはサーバ装置を介して他の端末装置に送信し、他の端末装置は当該判断結果を受信して認証を行うことを特徴としている。
【００４４】
したがって、他の端末装置は総合的な埋蔵認証を行うために必要なほとんどの処理を行う必要がなく処理負担が軽減される。
【００４５】
(25)この発明に係るシステムは、複数の端末装置のそれぞれの開封日認証手段は、発掘処理の際に、開封可能日であるかどうかを判断する処理を行うことを特徴としている。
【００４６】
各端末装置において、開封日認証の実体的判断を行うので、認証の確実性が向上する。
【００４７】
(26)この発明に係るシステムは、複数の端末装置のうちの一つの端末装置の開封日認証手段が、発掘処理の際に、開封可能日であるかどうかを判断して、当該判断結果を、直接またはサーバ装置を介して他の端末装置に送信し、他の端末装置は、当該判断結果を受信することを特徴としている。
【００４８】
したがって、他の端末装置は開封日認証を行うために必要なほとんどの処理を行う必要がなく処理負担が軽減される。
【００４９】
(27)この発明に係るシステムは、複数の端末装置のそれぞれの発掘認証処理手段は、前記グループに属する全端末装置について、前記発掘認証が正当であるか否かを判断する処理を行うことを特徴としている。
【００５０】
各端末装置において、全ての端末装置の個別発掘認証が正当であるか否かを判断しているので、認証処理の正確性が向上する。
【００５１】
(28)この発明に係るシステムは、複数の端末装置のうち一つの端末装置の発掘認証処理手段が、前記グループに属する全端末装置について、前記発掘認証が正当であるか否かを判断し、当該判断結果を、直接またはサーバ装置を介して他の端末装置に送信し、他の端末装置の発掘認証処理手段は、当該判断結果を受信して認証を行うことを特徴としている。
【００５２】
したがって、他の端末装置は総合的な発掘認証を行うために必要なほとんどの処理を行う必要がなく処理負担が軽減される。
【００５３】
(29)この発明に係るシステムは、端末装置と通信可能に設けられたサーバ装置が、選択された複数の端末装置のユーザをグループ化してグループ端末情報を生成する処理を行い、前記端末装置の識別情報記録手段は、前記サーバ装置からグループ端末情報を受信して記録することを特徴としている。
【００５４】
したがって、各端末装置では、サーバ装置からのグループ端末情報を受信して記録すればよいので、処理負担が軽減される。
【００５５】
(30)この発明に係るシステムは、端末装置と通信可能に設けられたサーバ装置が、各端末装置から受け取った認証のための情報または認証結果に基づいて埋蔵認証が正当であるかどうかを判断し、前記端末装置の埋蔵認証処理手段は、当該結果を受信して埋蔵認証を行うことを特徴としている。
【００５６】
したがって、各端末装置では、サーバ装置からの埋蔵認証結果を受信して判断すればよいので、処理負担が軽減される。
【００５７】
(31)この発明に係るシステムは、端末装置と通信可能に設けられたサーバ装置が、各端末装置から受け取った個別メッセージを統合したメッセージ、または、各個別メッセージごとに、開封可能日、前記グループ端末情報を有するタイムカプセルメッセージを生成し、前記端末装置の埋蔵手段は、前記サーバ装置からタイムカプセルメッセージを受信して処理を行うことを特徴としている。
【００５８】
したがって、各端末装置では、サーバ装置からのタイムカプセルメッセージを受信して記録すればよいので、処理負担が軽減される。
【００５９】
(32)この発明に係るシステムは、端末装置と通信可能に設けられたサーバ装置が、各端末装置から受け取った認証のための情報または認証結果に基づいて発掘認証が正当であるかどうかを判断し、前記端末装置の発掘認証処理手段は、当該結果を受信して発掘認証を行うことを特徴としている。
【００６０】
したがって、各端末装置では、サーバ装置からの発掘認証結果を受信して判断すればよいので、処理負担が軽減される。
【００６１】
(33)この発明に係るシステムは、埋蔵認証時のオブジェクトと、発掘認証時のオブジェクトは異なる形状であることを特徴としている。
【００６２】
埋蔵認証と発掘認証を異なるオブジェクトとすることで、変化を与えることができる。
【００６３】
(34)この発明に係るシステムは、埋蔵認証時のオブジェクトと、発掘認証時のオブジェクトは異なる場所にあることを特徴としている。
【００６４】
埋蔵認証と発掘認証の場所を異なる場所とすることで、変化を与えることができる。
【００６５】
(35)この発明に係るシステムは、埋蔵認証時の場所と、発掘認証時の場所が異なることを特徴としている。
【００６６】
埋蔵認証の際の位置認証の場所と、発掘認証の際の位置認証の場所を異ならせることで、変化を与えることができる。
【００６７】
(36)この発明に係るシステムは、埋蔵時または発掘時に、商品またはサービスの招待券または割引券を各端末装置に表示させるよう構成したことを特徴としている。
【００６８】
したがって、ユーザにとって興味深いシステムを構築することができる。
【００６９】
(37)この発明に係るシステムは、各端末装置は、記録部に記録されているタイムカプセル・メッセージの開封開始日、開封終了日に基づいて、当該開始日または終了日の当日またはその所定前の日になると、開封可能通知を表示部に表示することを特徴としている。
【００７０】
したがって、開封可能日を通知して忘れないようにすることができる。
【００７１】
(38)この発明に係るシステムは、サーバ装置は、記録部に記録されているタイムカプセル・メッセージの開封開始日、開封終了日に基づいて、当該開始日または終了日の当日またはその所定前の日になると、開封可能通知を各端末装置に送信することを特徴としている。
【００７２】
したがって、サーバ装置の方から開封可能日を通知して忘れないようにすることができる。
【００７３】
(39)この発明に係るタイムカプセル方法は、複数のユーザによって使用される複数の端末装置を用いたタイムカプセル方法であって、
前記端末装置は、グループに属する複数の端末装置のユーザを識別するための識別情報をグループ端末情報として記録部に記録し、記録部に記録されている個別メッセージを、前記グループに属する他の端末装置に送信し、埋蔵処理の際に、前記グループに属する他の端末装置から送信されてきた個別メッセージと、前記記録部に記録されている個別メッセージを統合して、開封可能日、前記グループ端末情報を有するタイムカプセルメッセージとし、開封条件が満たされないと当該タイムカプセルメッセージが開封できない状態にて記録部に記録し、発掘処理の際に、開封可能日であるかどうかを認証する開封日認証のための処理を行い、発掘処理の際に、前記グループに属する他の端末装置の全てと所定距離内にいるかどうかを認証する近距離認証のための処理を行い、発掘処理の際に、前記開封日認証、近距離認証を含む開封条件に基づく発掘認証が正当であると判断されると、前記記録部に記録されたタイムカプセルメッセージを開封して表示することを特徴としている。
【００７４】
したがって、グループ全員によってタイムカプセルを埋蔵し、開封可能日にグループ全員が集合してタイムカプセルを発掘することができる。
【００７５】
(40)(41)(42)この発明に係るメッセージ・システムは、少なくとも一つの送信側端末装置と少なくとも一つの受信側端末装置とサーバ装置を備えたメッセージ・システムであって、
前記送信側端末装置は、作成されたメッセージをカプセル化メッセージとし、開封条件が満たされないと当該カプセル化メッセージが開封できない状態にて、前記サーバ装置に送信するメッセージ作成手段と、送信側端末装置および受信側端末装置のユーザを識別するための識別情報をグループ端末情報として記録部に記録するとともに前記サーバ装置に送信する識別情報記録手段と、撮像部によって撮像されたオブジェクトの撮像画像が、予め定められたオブジェクトの画像と合致するかどうかによって行うオブジェクト認証のための処理を行うオブジェクト認証手段と、位置検出部の出力を参照して、前記撮像部による撮像が予め定められた所定位置にて行われたか否かによって行う位置認証のための処理を行う位置認証手段と、少なくとも前記オブジェクト認証、前記位置認証を含む個別開封認証のための処理を行って結果をサーバ装置に送信する個別開封認証処理手段と、前記サーバ装置から送信されてきた前記統合カプセル化メッセージを受信して表示部に表示するメッセージ開封手段とを備え、
前記サーバ装置は、前記送信側端末装置から送信されてきたカプセル化メッセージを受信して記録部に記録するメッセージ受信手段と、前記送信側端末装置から送信されてきたグループ端末情報を受信して記録部に記録するグループ端末情報受信手段と、前記グループ端末情報を参照して、当該グループに属する１以上の送信側端末装置のカプセル化メッセージを統合して統合カプセル化メッセージとするメッセージ統合手段と、前記グループ端末情報を参照して、当該グループに属する送信側端末装置および受信側端末装置の全てから、個別開封認証が正当である旨を受信すると、送信側端末装置および受信側端末装置に対して、前記統合カプセル化メッセージを送信するメッセージ送信手段とを備え、
前記受信側端末装置は、撮像部によって撮像されたオブジェクトの撮像画像が、予め定められたオブジェクトの画像と合致するかどうかによって行うオブジェクト認証のための処理を行うオブジェクト認証手段と、位置検出部の出力を参照して、前記撮像部による撮像が予め定められた所定位置にて行われたか否かによって行う位置認証のための処理を行う位置認証手段と、少なくとも前記オブジェクト認証、前記位置認証を含む個別開封認証のための処理を行って結果をサーバ装置に送信する個別開封認証処理手段と、前記サーバ装置から送信されてきた前記統合カプセル化メッセージを受信して表示部に表示するメッセージ開封手段とを備えている。
【００７６】
したがって、オブジェクト認証、位置認証を行うことによって開封可能なメッセージを送受信することができる。
【００７７】
(43)(44)(45)この発明に係るメッセージ・システムは、１以上の送信側端末装置と１以上の受信側端末装置を備えたメッセージ・システムであって、前記送信側端末装置にはリーダ端末装置が含まれており、
前記リーダ端末装置は、作成されたメッセージをカプセル化メッセージとし、開封条件が満たされないと当該カプセル化メッセージが開封できない状態にて記録するメッセージ記録手段と、送信側端末装置および受信側端末装置のユーザを識別するための識別情報をグループ端末情報として記録部に記録する識別情報記録手段と、他の送信側端末装置からカプセル化メッセージを受信し、自らのカプセル化メッセージと統合して統合カプセル化メッセージとするメッセージ統合手段と、撮像部によって撮像されたオブジェクトの撮像画像が、予め定められたオブジェクトの画像と合致するかどうかによって行うオブジェクト認証のための処理を行うオブジェクト認証手段と、位置検出部の出力を参照して、前記撮像部による撮像が予め定められた所定位置にて行われたか否かによって行う位置認証のための処理を行う位置認証手段と、少なくとも前記オブジェクト認証、前記位置認証を含む個別開封認証のための処理を行う個別開封認証処理手段と、前記グループに属する全ての送信側端末装置および受信側端末装置の個別開封認証が正当であれば、当該グループに属する他の送信側端末装置および受信側端末装置に対して、前記統合カプセル化メッセージを送信するメッセージ送信手段と、前記グループに属する全ての送信側端末装置および受信側端末装置の個別開封認証が正当であれば、前記統合カプセル化メッセージを表示部に表示するメッセージ開封手段とを備え、
前記リーダ端末装置以外の送信側端末装置は、作成されたメッセージをカプセル化メッセージとし、開封条件が満たされないと当該カプセル化メッセージが開封できない状態にて記録するメッセージ記録手段と、送信側端末装置および受信側端末装置のユーザを識別するための識別情報をグループ端末情報として記録部に記録する識別情報記録手段と、前記グループ端末情報を参照して、リーダ端末装置にカプセル化メッセージを送信するメッセージ送信手段と、撮像部によって撮像されたオブジェクトの撮像画像が、予め定められたオブジェクトの画像と合致するかどうかによって行うオブジェクト認証のための処理を行うオブジェクト認証手段と、位置検出部の出力を参照して、前記撮像部による撮像が予め定められた所定位置にて行われたか否かによって行う位置認証のための処理を行う位置認証手段と、少なくとも前記オブジェクト認証、前記位置認証を含む個別開封認証のための処理を行って、認証結果をリーダ端末装置に送信する個別開封認証処理手段と、前記リーダ端末装置から送信されてきた前記統合カプセル化メッセージを受信して表示部に表示するメッセージ開封手段とを備え、
前記受信側端末装置は、撮像部によって撮像されたオブジェクトの撮像画像が、予め定められたオブジェクトの画像と合致するかどうかによって行うオブジェクト認証のための処理を行うオブジェクト認証手段と、位置検出部の出力を参照して、前記撮像部による撮像が予め定められた所定位置にて行われたか否かによって行う位置認証のための処理を行う位置認証手段と、少なくとも前記オブジェクト認証、前記位置認証を含む個別開封認証のための処理を行って結果を少なくとも前記リーダ端末装置に送信する個別開封認証処理手段と、前記リーダ端末装置から送信されてきた前記カプセル化メッセージを受信して表示部に表示するメッセージ開封手段とを備えている。
【００７８】
したがって、オブジェクト認証、位置認証を行うことによって開封可能なメッセージを送受信することができる。
【００７９】
(46)(47)(48)この発明に係るメッセージ・システムは、少なくとも一つの送信側端末装置と少なくとも一つの受信側端末装置とサーバ装置を備えたメッセージ・システムであって、
前記送信側端末装置は、作成されたメッセージをカプセル化メッセージとし、開封条件が満たされないと当該カプセル化メッセージが開封できない状態にて、前記サーバ装置に送信するメッセージ作成手段と、送信側端末装置および受信側端末装置のユーザを識別するための識別情報をグループ端末情報として記録部に記録するとともに前記サーバ装置に送信する識別情報記録手段と、少なくとも下記(1)〜(3)のいずれか一つの認証を含む個別開封認証のための処理を行って結果をサーバ装置に送信する個別開封認証処理手段と、(1)撮像部によって撮像されたオブジェクトの撮像画像が、予め定められたオブジェクトの画像と合致するかどうかによって行うオブジェクト認証、(2)位置検出部の出力を参照して、前記撮像部による撮像が予め定められた所定位置にて行われたか否かによって行う位置認証のための処理を行う位置認証手段と、(3)前記グループに属する他の送信側端末装置および受信側端末装置の全てと所定距離内にいるかどうかを認証する近距離認証、前記サーバ装置から送信されてきた前記統合カプセル化メッセージを受信して表示部に表示するメッセージ開封手段とを備え、
前記サーバ装置は、前記送信側端末装置から送信されてきたカプセル化メッセージを受信して記録部に記録するメッセージ受信手段と、前記送信側端末装置から送信されてきたグループ端末情報を受信して記録部に記録するグループ端末情報受信手段と、前記グループ端末情報を参照して、当該グループに属する１以上の送信側端末装置のカプセル化メッセージを統合して統合カプセル化メッセージとするメッセージ統合手段と、前記グループ端末情報を参照して、当該グループに属する送信側端末装置および受信側端末装置の全てから、個別開封認証が正当である旨を受信すると、送信側端末装置および受信側端末装置に対して、前記統合カプセル化メッセージを送信するメッセージ送信手段とを備え、
前記受信側端末装置は、少なくとも下記(1)〜(3)のいずれか一つの認証を含む個別開封認証のための処理を行って結果をサーバ装置に送信する個別開封認証処理手段と、(1)撮像部によって撮像されたオブジェクトの撮像画像が、予め定められたオブジェクトの画像と合致するかどうかによって行うオブジェクト認証、(2)位置検出部の出力を参照して、前記撮像部による撮像が予め定められた所定位置にて行われたか否かによって行う位置認証、(3)前記グループに属する他の送信側端末装置および受信側端末装置の全てと所定距離内にいるかどうかを認証する近距離認証、前記サーバ装置から送信されてきた前記統合カプセル化メッセージを受信して表示部に表示するメッセージ開封手段とを備えている。
【００８０】
したがって、オブジェクト認証、位置認証を行うことによって開封可能なメッセージを送受信することができる。
【００８１】
(49(50(51)この発明に係るメッセージ・システムは、１以上の送信側端末装置と１以上の受信側端末装置を備えたメッセージ・システムであって、前記送信側端末装置にはリーダ端末装置が含まれており、
前記リーダ端末装置は、作成されたメッセージをカプセル化メッセージとし、開封条件が満たされないと当該カプセル化メッセージが開封できない状態にて記録するメッセージ記録手段と、送信側端末装置および受信側端末装置のユーザを識別するための識別情報をグループ端末情報として記録部に記録する識別情報記録手段と、他の送信側端末装置からカプセル化メッセージを受信し、自らのカプセル化メッセージと統合して統合カプセル化メッセージとするメッセージ統合手段と、少なくとも下記(1)〜(3)のいずれか一つの認証を含む個別開封認証のための処理を行う個別開封認証処理手段と、(1)撮像部によって撮像されたオブジェクトの撮像画像が、予め定められたオブジェクトの画像と合致するかどうかによって行うオブジェクト認証、(2)位置検出部の出力を参照して、前記撮像部による撮像が予め定められた所定位置にて行われたか否かによって行う位置認証、(3)前記グループに属する他の送信側端末装置および受信側端末装置の全てと所定距離内にいるかどうかを認証する近距離認証、前記グループに属する全ての送信側端末装置および受信側端末装置の個別開封認証が正当であれば、当該グループに属する他の送信側端末装置および受信側端末装置に対して、前記統合カプセル化メッセージを送信するメッセージ送信手段と、前記グループに属する全ての送信側端末装置および受信側端末装置の個別開封認証が正当であれば、前記統合カプセル化メッセージを表示部に表示するメッセージ開封手段とを備え、
前記リーダ端末装置以外の送信側端末装置は、作成されたメッセージをカプセル化メッセージとし、開封条件が満たされないと当該カプセル化メッセージが開封できない状態にて記録するメッセージ記録手段と、送信側端末装置および受信側端末装置のユーザを識別するための識別情報をグループ端末情報として記録部に記録する識別情報記録手段と、前記グループ端末情報を参照して、リーダ端末装置にカプセル化メッセージを送信するメッセージ送信手段と、少なくとも下記(1)〜(3)のいずれか一つの認証を含む個別開封認証のための処理を行う個別開封認証処理手段と、(1)撮像部によって撮像されたオブジェクトの撮像画像が、予め定められたオブジェクトの画像と合致するかどうかによって行うオブジェクト認証、(2)位置検出部の出力を参照して、前記撮像部による撮像が予め定められた所定位置にて行われたか否かによって行う位置認証、(3)前記グループに属する他の送信側端末装置および受信側端末装置の全てと所定距離内にいるかどうかを認証する近距離認証、前記リーダ端末装置から送信されてきた前記統合カプセル化メッセージを受信して表示部に表示するメッセージ開封手段とを備え、
前記受信側端末装置は、少なくとも下記(1)〜(3)のいずれか一つの認証を含む個別開封認証のための処理を行う個別開封認証処理手段と、(1)撮像部によって撮像されたオブジェクトの撮像画像が、予め定められたオブジェクトの画像と合致するかどうかによって行うオブジェクト認証、(2)位置検出部の出力を参照して、前記撮像部による撮像が予め定められた所定位置にて行われたか否かによって行う位置認証、(3)前記グループに属する他の送信側端末装置および受信側端末装置の全てと所定距離内にいるかどうかを認証する近距離認証、前記リーダ端末装置から送信されてきた前記カプセル化メッセージを受信して表示部に表示するメッセージ開封手段とを備えている。
【００８２】
したがって、オブジェクト認証、位置認証を行うことによって開封可能なメッセージを送受信することができる。
【００８３】
(A)この発明に係るメッセージ・システムは、送信側端末装置と受信側端末装置を備えたメッセージ・システムであって、
前記送信側端末装置は、記録部に記録されているメッセージに開封可能日を付してカプセル化メッセージとし、開封条件が満たされないと当該カプセル化メッセージが開封できない状態にて、前記受信側端末装置に送信する送信手段とを備え、
前記受信側端末装置は、前記送信側端末装置から送信されてきたカプセル化メッセージを受信して記録部に記録する受信手段と、開封可能日であるかどうかを認証する開封日認証のための処理を行う開封日認証手段と、撮像部によって撮像されたオブジェクトの撮像画像が、予め定められたオブジェクトの画像と合致するかどうかによって行うオブジェクト認証のための処理を行うオブジェクト認証手段と、位置検出部の出力を参照して、前記撮像部による撮像が予め定められた所定位置にて行われたか否かによって行う位置認証のための処理を行う位置認証手段と、少なくとも前記開封日認証、前記オブジェクト認証、前記位置認証を含む開封認証のための処理を行う開封認証処理手段と、前記開封認証が正当であると判断されると、前記記録部に記録されたカプセル化メッセージを開封して表示する開封手段とを備えている。
【００８４】
したがって、開封可能日に、オブジェクト認証、位置認証を行うことによって開封可能なメッセージを送受信することができる。
【００８５】
(B)この発明に係るメッセージシステムは、送信側端末装置と受信側端末装置を備えたメッセージ・システムであって、
前記送信側端末装置は、記録部に記録されているメッセージに開封可能日を付してカプセル化メッセージとし、開封条件が満たされないと当該カプセル化メッセージが開封できない状態にて、前記受信側端末装置に送信する送信手段とを備え、
前記受信側端末装置は、前記送信側端末装置から送信されてきたカプセル化メッセージを受信して記録部に記録する受信手段と、開封可能日であるかどうかを認証する開封日認証のための処理を行う開封日認証手段と、前記送信側端末装置と前記近距離通信にて通信可能な範囲にいるかどうかを認証する近距離認証のための処理を行う近距離認証手段と、少なくとも前記開封日認証、前記近距離認証を含む開封認証のための処理を行う開封認証処理手段と、前記開封認証が正当であると判断されると、前記記録部に記録されたカプセル化メッセージを開封して表示する開封手段とを備ええいる。
【００８６】
したがって、開封可能日に、送信側端末と受信側端末が集まることにより開封可能なメッセージを送受信することができる。
【００８７】
(C)この発明に係るメッセージ・システムは、送信側端末装置と受信側端末装置を備えたメッセージ・システムであって、
前記送信側端末装置は、記録部に記録されているメッセージに開封可能日を付してカプセル化メッセージとし、開封条件が満たされないと当該カプセル化メッセージが開封できない状態にて、前記受信側端末装置に送信する送信手段とを備え、
前記受信側端末装置は、前記送信側端末装置から送信されてきたカプセル化メッセージを受信して記録部に記録する受信手段と、開封可能日であるかどうかを認証する開封日認証のための処理を行う開封日認証手段と、位置検出部の出力を参照して、当該端末装置が所定位置にあるか否かによって行う位置認証のための処理を行う位置認証手段と、少なくとも前記開封日認証、前記位置認証を含む開封認証のための処理を行う開封認証処理手段と、前記開封認証が正当であると判断されると、前記記録部に記録されたカプセル化メッセージを開封して表示する開封手段とを備えている。
【００８８】
したがって、開封可能日に、位置認証を行うことによって開封可能なメッセージを送受信することができる。
【００８９】
(D)この発明に係るメッセージ・システムは、送信側端末装置と受信側端末装置を備えたメッセージ・システムであって、
前記送信側端末装置は、記録部に記録されているメッセージに開封可能日を付してカプセル化メッセージとし、開封条件が満たされないと当該カプセル化メッセージが開封できない状態にて、前記受信側端末装置に送信する送信手段とを備え、
前記受信側端末装置は、前記送信側端末装置から送信されてきたカプセル化メッセージを受信して記録部に記録する受信手段と、開封可能日であるかどうかを認証する開封日認証のための処理を行う開封日認証手段と、撮像部によって撮像されたオブジェクトの撮像画像が、予め定められたオブジェクトの画像と合致するかどうかによって行うオブジェクト認証のための処理を行うオブジェクト認証手段と、少なくとも前記開封日認証、前記オブジェクト認証を含む開封認証のための処理を行う開封認証処理手段と、前記開封認証が正当であると判断されると、前記記録部に記録されたカプセル化メッセージを開封して表示する開封手段とを備えている。
【００９０】
したがって、開封可能日に、オブジェクト認証を行うことによって開封可能なメッセージを送受信することができる。
【００９１】
(E)この発明に係るメッセージ方法は、送信側端末装置と受信側端末装置を用いたメッセージ方法であって、
前記送信側端末装置は、記録部に記録されているメッセージに開封可能日を付してカプセル化メッセージとし、開封条件が満たされないと当該カプセル化メッセージが開封できない状態にて、前記受信側端末装置に送信し、
前記受信側端末装置は、前記送信側端末装置から送信されてきたカプセル化メッセージを受信して記録部に記録し、開封可能日であるかどうかを認証する開封日認証のための処理を行い、少なくとも前記開封日認証を含む開封条件に基づく開封認証が正当であると判断されると、前記記録部に記録されたカプセル化メッセージを開封して表示することを特徴としている。
【００９２】
したがって、開封可能日を含む開封条件を満たす事によって開封可能なメッセージを送受信することができる。
【００９３】
「識別情報記録手段」は、自らグループ端末情報を生成して記録するものだけでなく、グループ端末情報を受け取って記録するものも含む概念である。実施形態においては、ステップＳ４６ａ、４６ｂ、４６ｃ、Ｓ６４５ａ、Ｓ６４５ｂ、Ｓ６４５ｃ、Ｓ６４６ａ、Ｓ６４６ｂ、Ｓ６４６ｃがこれに対応する。
【００９４】
「個別メッセージ送信手段」は、実施形態においては、ステップＳ４７ａ、Ｓ４８ｂ、Ｓ４９ｃがこれに対応する。
【００９５】
「オブジェクト認証手段」は、自らオブジェクトが登録されたオブジェクトに該当するかどうかの判断を行うものだけでなく、当該判断を受け取って認証を行うものも含む概念である。実施形態においては、ステップＳ６６ａ、Ｓ６６ｂ、Ｓ６６ｃ、Ｓ１２７ａ、Ｓ１２７ｂ、Ｓ１２７ｃ、Ｓ６６１ａ、Ｓ６６１ｂ、Ｓ６６１ｃ、Ｓ６５０ａ、Ｓ６５０ｂ、Ｓ６５０ｃがこれに対応する。
【００９６】
「位置認証手段」は、自ら端末装置の位置が所定位置にあるかどうかの判断を行うものだけでなく、当該判断を受け取って認証を行うものも含む概念である。実施形態においては、ステップＳ６８ａ、６８ｂ、６８ｃ、Ｓ６５２ａ、Ｓ６５２ｂ、Ｓ６５２ｃがこれに対応する。
【００９７】
「近距離認証手段」は、自ら他の端末装置が近距離範囲にあるかどうかの判断を行うものだけでなく、当該判断を受け取って認証を行うものも含む概念である。実施形態においては、ステップＳ６３ａ、Ｓ６３ｂ、Ｓ６３ｃ、Ｓ６５９ａ、Ｓ６５９ｂ、Ｓ６５９ｃがこれに対応する。
【００９８】
「埋蔵認証処理手段」は、自ら他の端末装置における埋蔵認証が正当であるかどうかの判断を行うものだけでなく、当該判断を受け取って認証を行うものも含む概念である。実施形態においては、ステップＳ８２ａ、８２ｂ、８２ｃがこれに該当する。
【００９９】
「開封日認証手段」は、自ら開封可能日に該当するかどうかの判断を行うものだけでなく、当該判断を受け取って認証を行うものも含む概念である。実施形態では、ステップＳ１２２ａ、Ｓ１２２ｂ、Ｓ１２２ｃがこれに該当する。
【０１００】
「発掘認証処理手段」は、自ら他の端末装置における発掘認証が正当であるかどうかの判断を行うものだけでなく、当該判断を受け取って認証を行うものも含む概念である。実施形態においては、ステップＳ１４２ａ、１４２ｂ、１４２ｃがこれに該当する。
【０１０１】
「発掘手段」は、実施形態においては、ステップＳ１４３ａ、Ｓ１４３ｂ、Ｓ１４３ｃがこれに対応する。
【０１０２】
「メッセージ作成手段」は、実施形態においては、ステップＳ２２８やＳ２２６がこれに対応する。
【０１０３】
「個別開封認証処理手段」は、自ら開封認証が正当であるかどうかの判断を行うものだけでなく、当該判断を受け取って認証を行うものも含む概念である。実施形態においては、ステップＳ６５３ａ、Ｓ６５３ｂ、Ｓ６５３ｃがこれに対応する。
【０１０４】
「メッセージ開封手段」は、実施形態においては、ステップＳ６５７ａ、Ｓ６５７ｂ、Ｓ６５７ｃがこれに対応する。
【０１０５】
「メッセージ受信手段」は、メッセージ自体を受信するだけでなくメッセージを識別するための識別子を受信する手段も含む概念である。実施形態においては、ステップＳ６７１がこれに対応する。
【０１０６】
「識別情報受信手段」は、実施形態においては、ステップＳ６７１がこれに対応する。
【０１０７】
「メッセージ統合手段」は、２つ以上のメッセージを統合するものだけでなく、１つのメッセージをそのまま統合メッセージとするものも含む概念である。実施形態では、ステップＳ６７２、Ｓ６４７ａがこれに対応する。
【０１０８】
「メッセージ送信手段」は、実施形態においては、ステップＳ６７５、Ｓ６５６ａがこれに対応する。
【０１０９】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【０１１０】
【図１】第１の実施形態によるタイムカプセル・システムの機能ブロック図である。
【図２】第１の実施形態によるタイムカプセル・システムの機能ブロック図である。
【図３】タイムカプセル・システムのシステム構成図である。
【図４】スマートフォンＴのハードウエア構成である。
【図５】サーバ装置Ｓのハードウエア構成である。
【図６】ユーザ登録処理のフローチャートである。
【図７】メッセージ作成処理のフローチャートである。
【図８】メッセージ作成画面の例である。
【図９】オブジェクト一覧のデータである。
【図１０】オブジェクトの例である。
【図１１】グループ作成処理のフローチャートである。
【図１２】グループ作成画面である。
【図１３】ロック化メッセージ交換処理のフローチャートである。
【図１４】ロック化メッセージのデータ構造である。
【図１５ａ】埋蔵処理のフローチャートである。
【図１５ｂ】埋蔵処理のフローチャートである。
【図１６】オブジェクト選択画面である。
【図１７】オブジェクト撮像画面である。
【図１８】埋蔵処理のフローチャートである。
【図１９】タイムカプセルのデータ構造である。
【図２０】開封可能日連絡処理のフローチャートである。
【図２１】開封可能日連絡の画面である。
【図２２】タイムカプセル一覧画面である。
【図２３ａ】発掘処理のフローチャートである。
【図２３ｂ】発掘処理のフローチャートである。
【図２４】発掘処理のフローチャートである。
【図２５】メッセージ表示画面である。
【図２６】二次元バーコードによる近距離認証を説明するための図である。
【図２７】他の例によるグループ形成のフローチャートである。
【図２８】他の例による発掘処理のフローチャートである。
【図２９】第２の実施形態によるタイムカプセル・システムの機能ブロック図である。
【図３０】第２の実施形態によるタイムカプセル・システムの機能ブロック図である。
【図３１】グループ形成処理のフローチャートである。
【図３２】ロック化メッセージ交換処理のフローチャートである。
【図３３】埋蔵処理のフローチャートである。
【図３４】埋蔵処理のフローチャートである。
【図３５】発掘処理のフローチャートである。
【図３６】発掘処理のフローチャートである。
【図３７】タイムカプセル・システムのその他の例による機能ブロック図である。
【図３８】タイムカプセル・システムのその他の例による機能ブロック図である。
【図３９】埋蔵処理のフローチャートである。
【図４０】発掘処理のフローチャートである。
【図４１】タイムカプセル・システムのその他の例による機能ブロック図である。
【図４２】タイムカプセル・システムのその他の例による機能ブロック図である。
【図４３】埋蔵処理のフローチャートである。
【図４４】発掘処理のフローチャートである。
【図４５】第３の実施形態によるメッセージ・システムの機能ブロック図である。
【図４６】スマートフォンＴのハードウエア構成である。
【図４７】サーバ装置Ｓのハードウエア構成である。
【図４８】メッセージ作成のフローチャートである。
【図４９】メッセージ作成画面を示す図である。
【図５０】メッセージのデータ構造を示す図である。
【図５１】オブジェクトデータの例である。
【図５２】メッセージ開封のフローチャートである。
【図５３】メッセージ開封のフローチャートである。
【図５４】メッセージ開封のフローチャートである。
【図５５】メッセージ開封のフローチャートである。
【図５６】メッセージ一覧画面である。
【図５７】他の例によるメッセージ開封のフローチャートである。
【図５８】第４の実施形態によるメッセージ・システムの機能ブロック図である。
【図５９】メッセージ作成のフローチャートである。
【図６０】メッセージ開封のフローチャートである。
【図６１】メッセージ開封のフローチャートである。
【図６２】メッセージ開封のフローチャートである。
【図６３】メッセージ開封のフローチャートである。
【図６４】他の例によるメッセージ開封のフローチャートである。
【図６５】第５の実施形態によるメッセージ・システムの機能ブロック図である。
【図６６】メッセージ・システムのシステム構成図である。
【図６７】スマートフォンＴのハードウエア構成である。
【図６８】サーバ装置Ｓのハードウエア構成である。
【図６９ａ】メッセージ作成のフローチャートである。
【図６９ｂ】メッセージ送信のフローチャートである。
【図７０】メッセージ作成画面である。
【図７１】カプセル化されたメッセージのデータ構造である。
【図７２】開封可能日連絡のフローチャートである。
【図７３】開封可能部連絡の画面である。
【図７４】メッセージ一覧画面である。
【図７５】開封処理のフローチャートである。
【図７６】オブジェクト撮像画面である。
【図７７】オブジェクト一覧のデータである。
【図７８】第６の実施形態によるメッセージ・システムの機能ブロック図である。
【図７９】開封処理のフローチャートである。
【発明を実施するための形態】
【０１１１】
１．第１の実施形態
1.1システムの機能構成
図１および図２に、この発明の一実施形態によるタイムカプセル・システムの機能ブロック図を示す。図１が埋蔵処理の際の機能ブロック図であり、図２が発掘処理の際の機能ブロック図である。
【０１１２】
図１において、端末装置Ｔ1、Ｔ2が示されているが、３台以上の端末装置を用いて構成するようにしてもよい。識別情報記録手段１４は、グループを構成する他の端末装置のユーザを識別するための識別情報を、グループ端末情報２２として記録部２０に記録する。個別メッセージ送信手段１６は、開封可能日を指定して記録部２０に記録されている個別メッセージ２４を、他の端末装置Ｔ2に送信する。
【０１１３】
近距離認証手段１０は、他の端末装置Ｔ2が近傍にいるかどうかを判断する。撮像部４は、所定の場所に設けられたオブジェクト２（モニュメントなど）を撮像する。オブジェクト認証手段６は、撮像されたオブジェクト２が、予め定められたオブジェクト２の撮像画像であるかどうかを判断する。位置認証手段８は、撮像部４によるオブジェクトの撮像位置が、予め定められた所定の位置に合致するかどうかを判断する。
【０１１４】
埋蔵認証手段１２は、全ての端末装置の近距離認証手段１０、オブジェクト認証手段６、位置認証手段８の認証結果が全て正当であれば、埋蔵認証が正当であると判断する。埋蔵手段１８は、埋蔵認証が正当であると判断されると、当該端末装置Ｔ1および他の端末装置Ｔ2の個別メッセージを統合したメッセージに、開封可能日、グループ端末情報を付けて、埋蔵認証済タイムカプセルメッセージ２６として記録部２０に記録する。なお、メッセージの統合は、予め行っておいてもよいし、タイムカプセルメッセージ２６の生成時に行ってもよい。
【０１１５】
埋蔵手段１８は、埋蔵認証済タイムカプセルメッセージ２６を記録部２０に記録する。このタイムカプセルメッセージ２６は、キーがないと開くことができないようにカプセル化されている。なお、埋蔵手段１８は、埋蔵認証を行う前に生成されて記録されているタイムカプセルメッセージの状態を示すフラグを「埋蔵認証済」に書き換えることで、埋蔵認証済タイムカプセルメッセージ２６を記録部２０に記録するようにしてもよい。
【０１１６】
以上のようにして、全ての端末装置Ｔ1、Ｔ2において、タイムカプセルメッセージ２６が記録されることになる。このようにして、埋蔵処理が行われる。
【０１１７】
発掘処理を示す図２において、近距離認証手段１０は、他の端末装置Ｔ2が近傍にいるかどうかを判断する。開封日認証手段３２は、内部のカレンダーなどに基づき、当日が開封可能日であるかどうかを判断する。撮像部４は、所定の場所に設けられたオブジェクト２（モニュメントなど）を撮像する。オブジェクト認証手段６は、撮像されたオブジェクト２が、予め定められたオブジェクト２の撮像画像であるかどうかを判断する。位置認証手段８は、撮像部４によるオブジェクトの撮像位置が、予め定められた所定の位置に合致するかどうかを判断する。
【０１１８】
発掘認証手段３０は、全ての端末装置の開封日認証手段３２、近距離認証手段１０、オブジェクト認証手段６、位置認証手段８の認証結果が全て正当であれば、発掘認証が正当であると判断する。発掘手段３４は、発掘認証が正当であると判断されると、記録部２０に記録されている埋蔵認証済タイムカプセル・メッセージ２６を読み出し、記録されていたキーを用いて開封する。開封されたタイムカプセル・メッセージは、表示部３６に表示される。さらにこのようにして発掘されたタイムカプセル・メッセージ２６の埋蔵フラグは「２」とされ、発掘済であることが記録される。
【０１１９】
以上のようにして、複数人のユーザが所定場所に集まってタイムカプセル・メッセージを埋蔵し、所定期間後に、再びユーザが所定場所に集まってタイムカプセル・メッセージを発掘することができる。
【０１２０】
1.2システムのハードウエア構成
図３に、一実施形態によるタイムカプセル・システムのハードウエア構成を示す。この実施形態では、端末装置であるスマートフォンＴ1、Ｔ2・・・Ｔnが設けられている。さらに、これらと通信可能なサーバ装置Ｓが設けられている。
【０１２１】
図４に、スマートフォンＴのハードウエア構成を示す。ＣＰＵ５０には、メモリ５２、ＧＰＳ受信機５３、タッチスクリーン５４、カメラ５５、不揮発性メモリ５６、通信回路５８、ブルーツース通信回路５９、Ｗｉｆｉ通信回路５７が接続されている。なお、通話回路などは省略している。
【０１２２】
タッチスクリーン５４は、表示を行うとともに、ユーザ操作による入力を受け付けるものである。通信回路５８は、インターネットと接続するためのものである。ブルーツース通信回路５９は、近距離通信を行うためのものである。ＧＰＳ受信機５３は、ＧＰＳ衛星からの信号を受信し、スマートフォンの現在の位置を出力するものである。
【０１２３】
不揮発性メモリ５６には、オペレーティングシステム６０、タイムカプセル・アプリケーション６２が記録されている。タイムカプセル・アプリケーション６２は、オペレーティングシステム６０と協働してその機能を発揮するものである。タイムカプセル・アプリケーション６２は、通信回路５８を介して、アプリケーション配信サイト（図示せず）からダウンロードしたものである。
【０１２４】
図５に、サーバ装置Ｓのハードウエア構成を示す。ＣＰＵ８０には、メモリ８２、ディスプレイ８４、ハードディスク８６、通信回路８８、ＤＶＤ−ＲＯＭドライブ８９が接続されている。
【０１２５】
通信回路８８は、インターネットと接続するためのものである。ハードディスク８６には、オペレーティングシステム９０、サーバプログラム９２が記録されている。サーバプログラム９２は、オペレーティングシステム９０と協働してその機能を発揮するものである。これらプログラムは、ＤＶＤ−ＲＯＭ９４に記録されていたものを、ＤＶＤ−ＲＯＭドライブ８９を介して、ハードディスク８６にインストールしたものである。
【０１２６】
1.3ユーザ登録処理
図６に、タイムカプセル・アプリケーション６２、サーバプログラム９２のユーザ登録処理におけるフローチャートを示す。
【０１２７】
スマートフォンＴのＣＰＵ５０（以下、スマートフォンＴと省略することがある）は、タイムカプセル・アプリケーション６２が初めて起動されようとすると、タッチスクリーン５４に新規登録画面を表示する（ステップＳ１）。
【０１２８】
ユーザは、スマートフォンＴのタッチスクリーン５４をタッチして、ユーザ名、パスワードなどを入力し登録ボタンを押す。これを受けて、スマートフォンＴは、入力されたユーザ名、パスワードなどをユーザ情報としてサーバ装置Ｓに送信する（ステップＳ２）。
【０１２９】
サーバ装置Ｓは、受信したユーザ情報をハードディスク８６に記録するとともに、アプリケーションを有効化（アクティベート）するためのキーを取得するためのＵＲＬをメールにて送信する（ステップＳ１１）。スマートフォンＴは、ユーザによってこのメールのＵＲＬがクリックされると、アクティベートのためのキーを取得し、タイムカプセル・アプリケーション６２を起動する（ステップＳ３）。
【０１３０】
スマートフォンＴにおいて、上記のユーザ登録処理がなされると、以降はこのアクティベートキーを用いてタイムカプセル・アプリケーション６２の起動が行われる。
【０１３１】
1.4埋蔵処理
埋蔵処理を行う際、あるいはその前に、各スマートフォンにてタイムカプセルに入れるメッセージを作成して記録しておく。図７に、タイムカプセル・アプリケーション６２、サーバプログラム９２のメッセージ作成処理におけるフローチャートを示す。
【０１３２】
ユーザは、タイムカプセル・アプリケーション６２を起動し、表示されたメニューからメッセージ作成処理を選択する。これを受けて、スマートフォンＴは、図８に示すような入力画面を、タッチスクリーン５４に表示する。
【０１３３】
この画面においては、カプセル名の入力領域１００、シーンの入力領域１０１、開封可能日の入力領域１０２、埋蔵オブジェクトの入力領域１０３、発掘オブジェクト１０５、メッセージの入力領域１０４が設けられている。ユーザは、スマートフォンＴを操作し、各領域に入力を行う（ステップＳ２２、Ｓ２３、Ｓ２４）。カプセル名は、メッセージに付す名称である。シーンは、タイムカプセルの種類（誕生日、バレンタインデー、結婚記念日など）であり、選択して入力できるようになっている。開封可能日は、将来開封を行う日である。開封可能となる開始日と終了日を設定することができる。メッセージは、タイムカプセルに入れるメッセージの内容である。文字だけでなく、写真や図も入力することができる。
【０１３４】
埋蔵オブジェクトの入力領域１０３、発掘オブジェクトの入力領域１０５には、予め登録されている場所にあるオブジェクトを選択して登録できるようになっている。図９に、タイムカプセル・アプリケーション６２に記録されているオブジェクトのデータの例を示す。
【０１３５】
図に示すように、オブジェクトＩＤ、オブジェクト名、座標、画像データなどが記録されている。座標は、当該オブジェクトの設置されている緯度・経度である。画像は、当該オブジェクトの画像データである。
【０１３６】
たとえば、オブジェクト「Harukasu Heart」は、あべのハルカス（商標）にある図１０Ａに示すようなモニュメントである。オブジェクト「フェリペ三世」は、志摩スペイン村（商標）にある図１０Ｂに示すようなモニュメントである。
【０１３７】
図１６に、オブジェクト選択画面を示す。ユーザは、この画面からオブジェクトを選択してオブジェクトの入力領域１０３に入力する。選択されたオブジェクトは、タイムカプセル埋蔵時、発掘時に用いられることになる。
【０１３８】
各領域への入力が終わると、ユーザは保存ボタン１０６をクリックする。これを受けて、スマートフォンＴは、メッセージをキーによってロックする（ステップＳ２５）。たとえば、キーを用いてメッセージを暗号化する。
【０１３９】
次に、スマートフォンＴは、オブジェクトＩＤ、カプセル名、シーン、開封可能日を付して、ロック化したメッセージを不揮発性メモリ５６に記録する（ステップＳ２６）。さらに、ロックを外すためのキーも不揮発性メモリ５６に記録する（ステップＳ２７）。
【０１４０】
スマートフォンＴは、ユーザ情報（ユーザ名など）、カプセル名、シーン、開封可能日、ロック化メッセージ、キーをサーバ装置Ｓに送信する（ステップＳ２８）。サーバ装置Ｓは、これを受信し、ハードディスク８６に記録する（ステップＳ３２）。
【０１４１】
各スマートフォンＴにてメッセージを記録すると、開封可能日の連絡を経て、次に、オブジェクト（モニュメントなど）の前に、全員で集合する。ここでは、オブジェクト「Harukasu Heart」の前に集合したものとする。また、３人のユーザが、それぞれ、スマートフォンＴ1、Ｔ2、Ｔ3を持っているものとする。
【０１４２】
モニュメントの前に集合したユーザは、お互いでグループを形成し、メッセージを交換して、タイムカプセルを埋蔵する処理を行う。図１１に、タイムカプセル・アプリケーション６２、サーバプログラム９２のユーザ埋蔵処理におけるフローチャートを示す。
【０１４３】
ユーザは、それぞれ、タイムカプセル・アプリケーションを起動する。次に、モード選択メニューから、一人のユーザが「マスタモード」、他のユーザが「スレーブモード」を選択する。これにより、たとえば、スマートフォンＴ1がマスタモードとなり、他のスマートフォンＴ2、Ｔ3がスレーブモードとなる（ステップＳ４１ａ、４１ｂ、４１ｃ）。
【０１４４】
マスタモードのスマートフォンＴ1は、ブルーツース通信回路５９によって通信可能な範囲内にいるスマートフォンを見つけ出し、互いに通信を行って、ユーザ名を取得する。さらに、そのユーザ名の一覧をタッチスクリーン５４に表示する（ステップＳ４２ａ）。
【０１４５】
図１２に、表示されたユーザ名一覧を示す。マスタモードのスマートフォンＴ1のユーザは、表示されたユーザ名一覧から、一緒にタイムカプセルを埋蔵するユーザを選択する（ステップＳ４３ａ）。近傍には、スマートフォンを持った無関係なユーザがいる可能性があり、このようなユーザも一覧として表示されるからである。
【０１４６】
ここでは、古谷栄男、松下正が選択されたものとする。スマートフォンＴ1のユーザが、決定ボタン１１２をクリックすると、当該ユーザを含めて、選択されたユーザによってグループが形成される。すなわち、スマートフォンＴ1のユーザが真島宏明であれば、真島宏明、古谷栄男、松下正の３人によってグループが形成されることになる。
【０１４７】
スマートフォンＴ1は、形成したグループを構成するユーザのユーザ名を、グループ端末情報として、選択された他のユーザのスマートフォンＴ2、Ｔ3に送信する（ステップＳ４４ａ）。この実施形態では、スマートフォンＴ1のブルーツース通信回路５９がこのグループ端末情報を送信し、スマートフォンＴ2、Ｔ3のブルーツース通信回路５９が受信するようにしている（ステップＳ４６ｂ、４６ｃ）。
【０１４８】
スマートフォンＴ1、Ｔ2、Ｔ3のそれぞれにおいて、グループ端末情報は、不揮発性メモリ５６に記録される（ステップＳ４６ａ、Ｓ４６ｂ、Ｓ４６ｃ）。さらに、スマートフォンＴ1は、グループ端末情報をサーバ装置Ｓにも送信する（ステップＳ４５ａ）。サーバ装置Ｓは、これを受信し、ハードディスク８６に記録する（ステップＳ５１）。
【０１４９】
以上のようにしてグループが形成されると、一人のユーザがリーダーである旨を入力する。なお、マスターモードとなったユーザが自動的にリーダになるようにしてもよい（第３の実施形態のリーダ決定処理を参照）。
【０１５０】
これにより、リーダーが決定される。続いて、図１３に示すように、各スマートフォンＴ1、Ｔ2、Ｔ3は、互いにロック化メッセージを交換して記録する（なお、グループ形成とメッセージ交換は連続して行わなくともよい）。スマートフォンＴ1は、不揮発性メモリ５６に記録しているロック化メッセージＡを、Ｗｉｆｉ通信回路５７により、グループの他のスマートフォンＴ2、Ｔ3に送信する（ステップＳ４７ａ）。他のスマートフォンＴ2、Ｔ3は、このロック化メッセージＡを不揮発性メモリ５６に記録する（ステップＳ４７ｂ、４７ｃ）。
【０１５１】
上記と同様にして、スマートフォンＴ2、Ｔ3は、ロック化メッセージＢ、Ｃを、他のスマートフォンに送信する（ステップＳ４８ｂ、Ｓ４９ｃ）。したがって、各スマートフォンＴ1、Ｔ2、Ｔ3の不揮発性メモリ５６には、グループに属する全てのスマートフォンＴ1、Ｔ2、Ｔ3のユーザが作成したロック化メッセージが記録されることになる。
【０１５２】
たとえば、スマートフォンＴ1の不揮発性メモリ５６には、図１４に示すように、ロック化メッセージＡ、Ｂ、Ｃが記録される。それぞれのロックを外すためのキーＡ、Ｂ、Ｃも併せて記録される。ただし、キーＡ、Ｂ、Ｃの使用は、タイムカプセルアプリケーション６２によって制御されており、ユーザが自由に使用することができないようになっている。
【０１５３】
次に、スマートフォンＴ1、Ｔ2、Ｔ3は、これらロック化メッセージを統合してタイムカプセルメッセージを生成する（ステップＳ５５ａ、Ｓ５５ｂ、Ｓ５５ｃ）。なお、各スマートフォンＴ1、Ｔ2、Ｔ3からサーバ装置Ｓにロック化メッセージを送信し、サーバ装置Ｓにて統合してタイムカプセルメッセージを生成し、各スマートフォンＴ1、Ｔ2、Ｔ3に送信するようにしてもよい。
【０１５４】
生成されたタイムカプセルメッセージは、不揮発性メモリ５６に記録される。なお、この実施形態では、各ユーザの作成したロック化メッセージのシーンが異なる場合、リーダー（たとえば、複数のユーザのうちリーダーであることを登録したユーザ）のシーンに合わせるようにしている。なお、シーンが同一のメッセージでなければ統合できないようにしてもよい。
【０１５５】
また、各ユーザの選択したオブジェクトが異なる場合、リーダーの選択したオブジェクトによってタイムカプセルメッセージが生成される。
【０１５６】
図１９に、統合されたタイムカプセルメッセージのデータ構造を示す。タイムカプセルとしての新たなＩＤが付されて記録される。メッセージＡ、メッセージＢ、メッセージＣは、それぞれキーによって暗号化が解かれており、全体としてのキーによって再び暗号化されている。このキーの使用も、タイムカプセルアプリケーション６２によって制御されており、ユーザが自由に使用することができないようになっている。なお、この実施形態では、各人の付したカプセル名（Ａ、Ｂ、Ｃ）が接続されてタイムカプセルメッセージのカプセル名（ＡＢＣ）とされている。
【０１５７】
また、各ユーザの開封可能日が異なる場合、各ユーザのうちのリーダーの開封可能日にあわせるようにしている。なお、各ユーザのうち開封開始日の最も早いものと、開封終了日の最も遅いものとを組み合わせて、新たな開封可能日を生成してこれを用いるようにしてもよい。
【０１５８】
埋蔵フラグは、作成がなされた段階では「０」（＝作成済）、埋蔵処理が終了すれば「１」（＝埋蔵済）、発掘処理がなされれば「２」（＝発掘済）となる。すなわち、「１」であれば埋蔵認証を経て記録された（埋蔵された）タイムカプセルメッセージであり、「０」であればまだ埋蔵なされていないことが示されている。ここでは、タイムカプセルが生成されただけであるから「０」が記録されることになる。
【０１５９】
各スマートフォンＴ1、Ｔ2、Ｔ3は、各ユーザのロック化メッセージおよび生成したタイムカプセルメッセージを、バックアップのためにサーバ装置Ｓに送信する（ステップＳ５６ａ、５６ｂ、５６ｃ）。サーバ装置Ｓは、これを受信し、ハードディスク８６に記録する（ステップＳ５２）。
【０１６０】
次に、各ユーザがスマートフォンＴ1、Ｔ2、Ｔ3のタッチスクリーン５４に表示されたメニューから埋蔵ボタン（図示せず）をクリックすると、各スマートフォンＴ1、Ｔ2、Ｔ3は、作成済タイムカプセルメッセージを埋蔵済タイムカプセルメッセージとして（埋蔵フラグを「１」に変更して）記録する処理を実行する。
【０１６１】
図１５ａに示すように、スマートフォンＴ1は、埋蔵ボタンがクリックされたかどうかを判断する（ステップＳ６０ａ）。埋蔵ボタンがクリックされると、スマートフォンＴ1は、カメラを起動し（ステップＳ６１ａ）、オブジェクト撮像用の画面を表示する（ステップＳ６４ａ）。
【０１６２】
これと並行して、スマートフォンＴ1は、ブルーツース通信回路５９によって、グループに属する全てのスマートフォンＴ2、Ｔ3との通信を試みる（ステップＳ６２ａ）。全てのスマートフォンＴ2、Ｔ3との通信を行うことができるかどうかを判断する（ステップＳ６３ａ）。すなわち、全員が所定近距離内にいるかどうかの近距離認証を行う。
【０１６３】
全員が所定距離内にいることが確認できると、スマートフォンＴ1は、タッチスクリーン５４に、オブジェクト撮像用の画面を表示する（ステップＳ６４ａ）。
【０１６４】
図１７に、オブジェクト撮像画面の例を示す。ファインダー領域１２０には、カメラによって捉えられた画像が表示される。ファインダー領域１２０には、タイムカプセルメッセージに記録されたオブジェクトＩＤに対応するオブジェクトの外形を示すガイドライン１２２が表示される。ユーザは、このガイドラインに合致するようにオブジェクトに対してカメラを向ける。
【０１６５】
スマートフォンＴ1は、撮像されたオブジェクトの画像が、予め登録されているオブジェクトの画像と合致するかどうかを判断する（ステップＳ６６ａ）。たとえば、撮像画像と登録画像を比較して（直接比較してもよいし、画像の特徴を算出して比較してもよい）類似度を算出し、類似度が所定値以上であれば合致すると判断する。
【０１６６】
合致していなければ、オブジェクト認証ＮＧとして、オブジェクトの撮像（ステップＳ６４ａ）に戻る。所定回数（所定時間でもよい（以下同じ））繰り返してＮＧの場合、再度の認証を促すメッセージを表示する。合致していれば、オブジェクト認証をＯＫとする。
【０１６７】
オブジェクト認証がＯＫであれば、スマートフォンＴ1は、オブジェクト撮像時の位置（緯度・経度）を、ＧＰＳ受信機５３から取得する（ステップＳ６７ａ）。スマートフォンＴ1は、取得した位置と、予め定められているオブジェクトの位置（図９参照）のずれが、所定距離内（たとえば、２００ｍ以内）に収まっているかどうかを判断する（ステップＳ６８ａ）。これは、オブジェクトのある現地に行かずに、オブジェクトの写真をカメラで撮像しているような場合を排除するためである。
【０１６８】
所定距離内に収まっていなければ位置認証ＮＧとして、オブジェクトの撮像（ステップＳ６４ａ）に戻る。所定回数繰り返してＮＧの場合、再度の認証を促すメッセージを表示する。所定距離内に収まっていれば、位置認証ＯＫとする。このように、オブジェクト認証、位置認証の双方がＯＫであれば、スマートフォンＴ1は、個別の埋蔵認証をＯＫとする（ステップＳ６９ａ）。
【０１６９】
以上、スマートフォンＴ1について説明したが、他のスマートフォンＴ2、Ｔ3においても同様の処理が行われる。
【０１７０】
上記のようにして、それぞれのスマートフォンＴ1、Ｔ2、Ｔ3において、個別の埋蔵認証が終了すると、各スマートフォンＴ1、Ｔ2、Ｔ3は、ブルーツース通信回路５９により、それぞれ個別埋蔵認証結果を他のスマートフォンに送信する（図１８、ステップＳ８１ａ、８１ｂ、８１ｃ）。スマートフォンＴ1は、自らの個別埋蔵認証結果および他のスマートフォンＴ2、Ｔ3から送信されてきた個別埋蔵認証結果に基づき、全てのスマートフォンにおける個別埋蔵認証結果がＯＫであるかどうかを判断する（ステップＳ８２ａ）。
【０１７１】
いずれか一つのスマートフォンでも個別埋蔵認証結果がＮＧであれば、埋蔵フラグの書き換えを行わず、埋蔵フラグを「０」としたまま終了する（なお、フラグは「０」「１」「２」ではなく、「Ｔ」「Ｆ」のようにしてもよい）。同様に、いずれか一つのスマートフォンと、ブルーツース通信回路５９による通信ができない場合（近くにいないなど）にも、個別埋蔵認証結果を得ることができないので、埋蔵フラグの書き換えを行わず、埋蔵フラグを「０」としたまま終了する。
【０１７２】
グループに属するユーザのスマートフォンＴ1、Ｔ2、Ｔ3の全てにおいて個別埋蔵認証結果がＯＫであれば、スマートフォンＴ1は、タイムカプセルメッセージ（図１９参照）の埋蔵フラグを「１」（＝埋蔵済）に書き換える（ステップＳ８３ａ）。
【０１７３】
他のスマートフォンＴ2、Ｔ3においても同様の処理が行われ、それぞれ、タイムカプセルの埋蔵フラグが「１」に書き換えられる（ステップＳ８１ｂ〜８３ｂ、８１ｃ〜８３ｃ）。このようにして、各スマートフォンＴ1、Ｔ2、Ｔ3において、埋蔵認証済タイムカプセルが記録されることになる。
【０１７４】
なお、スマートフォンＴ1、Ｔ2、Ｔ3のいずれかから（この実施形態ではリーダとなったスマートフォンＴ1から）、サーバ装置Ｓに対して、埋蔵フラグが「１」に書き換えられた旨が送信される（ステップＳ８４ａ）。サーバ装置Ｓは、これを受けて、ハードディスク８６に記録されているタイムカプセルメッセージの埋蔵フラグを書き換える（ステップＳ９１）。
【０１７５】
以上のようにして、埋蔵処理が終了する。これにより、各ユーザのスマートフォンＴ1、Ｔ2、Ｔ3に、埋蔵フラグが「１」となった埋蔵認証済タイムカプセルが記録されることになる。
【０１７６】
1.5開封可能日連絡
以上のようにして各ユーザのスマートフォンＴ1、Ｔ2、Ｔ3に埋蔵されたタイムカプセルにつき、タイムカプセル・アプリケーション６２は、予め設定した日に通知を行うようにしている。
【０１７７】
たとえば、開封開始日の当日、開封終了日の１日前などに通知を行うようにすることができる。この処理は、タイムカプセルに記録された開封可能日と内部のカレンダーの日付を比較することで実現することができる。また、通知は、オペレーティングシステムの通知機能（iPhone（商標）、iPad（商標）、Android（商標）などの通知機能）を用いて行うことができる。
【０１７８】
図２０に、タイムカプセル・アプリケーション６２の開封可能日連絡のフローチャートを示す。この処理は、常時実行されている。スマートフォンＴ1は、まず、カレンダーから当日の日付を取得する（ステップＳ１０１）。続いて、タイムカプセルの開封可能日（開始日／終了日）を読み出す（ステップＳ１０２）。
【０１７９】
スマートフォンＴ1は、当日が通知をすべき設定日かどうかを判断する（ステップＳ１０３）。たとえば、開始日が通知タイミングとして設定されていれば、当日が開始日であるかどうかを判断する。また、終了日から１日前が通知タイミングとして設定されていれば、当日が終了日の１日前であるかどうかを判断する。
【０１８０】
当日が通知タイミングであれば、スマートフォンＴ1は、オペレーティングシステムの通知機能を用いて、タッチスクリーン５４に開封可能日連絡を表示する（ステップＳ１０４）。当日が、いずれの通知タイミングにも合致しなければ、通知は行わない。開封可能日連絡１３０の表示例を図２１に示す。
【０１８１】
1.6発掘処理
タイムカプセル発掘の際には、タイムカプセルメッセージに指定されたオブジェクト（モニュメントなど）の前に、全員で集合する。なお、発掘の際のオブジェクトは、埋蔵の際のオブジェクトと同じオブジェクトとしてもよいし、異なるオブジェクトとしてもよい。
【０１８２】
図２３ａ、図２３ｂ、図２４に、タイムカプセル・アプリケーション６２の発掘処理のフローチャートを示す。各ユーザがスマートフォンＴ1、Ｔ2、Ｔ3のタッチスクリーン５４に表示されたメニューからタイムカプセル一覧を選択すると、図２２に示すようなタイムカプセル一覧画面が表示される。作成中カプセル、埋蔵中カプセル、掘出済カプセルのタブが設けられており、これらを選択することで、それぞれのステータスのタイムカプセルの一覧が表示される。図においては、埋蔵中カプセルのタブをクリックした場合を示している。ユーザが埋蔵したタイムカプセルの一覧と、発掘アイコン１３２が一覧として表示される。
【０１８３】
ユーザがいずれかのタイムカプセルのアイコン１３２を選択すると（図２１に示す、当日が開封可能日であるという連絡メッセージをクリックしてもよい）、当該タイムカプセルに対する発掘処理が開始される。以下、スマートフォンＴ1における処理を説明する。
【０１８４】
アイコン１３２がクリックされると（ステップＳ１２０ａ）、スマートフォンＴ1は、当該タイムカプセルの埋蔵フラグが「１」であるかどうかを判断する（ステップＳ１２１ａ）。埋蔵フラグが「１」でなければ、埋蔵処理のなされたタイムカプセルではないので、その旨を表示し処理を終了する（図２３ａにおいて省略）。なお、埋蔵フラグが「１」でないタイムカプセルについては、発掘アイコン１３２を表示しないかもしくはクリックできないようにしておいてもよい。
【０１８５】
埋蔵フラグが「１」であることが確認されると（ステップＳ１２１ａ）、スマートフォンＴ1は、内蔵カレンダーから本日の日付を取得し、タイムカプセルに付された開封可能日に該当するかどうかを判断する（ステップＳ１２２ａ）。開封可能日に該当しない場合、スマートフォンＴ1は、タッチスクリーン５４にその旨を表示し処理を終了する（図２３ａにおいて省略）。なお、開封可能日でないタイムカプセルは表示しないかもしくはクリックできないようにしておいてもよい。
【０１８６】
開封可能日に該当する場合、スマートフォンＴ1は、カメラ５５を起動する（ステップＳ１２３ａ）。続いて、ブルーツース通信回路５９によって、グループ端末情報を参照し、グループに属する全てのスマートフォンＴ2、Ｔ3との通信を試みる（ステップＳ１２４ａ）。全てのスマートフォンＴ2、Ｔ3との通信を行うことができるかどうかを判断する（ステップＳ１２５ａ）。すなわち、全員が所定近距離内にいるかどうかの近距離認証を行う。なお、このブルーツース通信による近距離認証を行わず、各ユーザが位置認証とオブジェクト認証を行ったことで,間接的に近距離にいることを認証するようにしてもよい。
【０１８７】
全員が所定距離内にいることが確認できると、スマートフォンＴ1は、図１７に示すようなオブジェクト撮像用の画面を表示する（ステップＳ１２６ａ）。ユーザは、ガイドライン１２２に合致するようにオブジェクトに対してカメラを向ける。
【０１８８】
スマートフォンＴ1は、撮像されたオブジェクトの画像が、予め登録されているオブジェクトの画像と合致するかどうかを判断する（ステップＳ１２７ａ）。たとえば、撮像画像と登録画像を比較して（直接比較してもよいし、画像の特徴を算出して比較してもよい）類似度を算出し、類似度が所定値以上であれば合致すると判断する。
【０１８９】
合致していなければ、オブジェクト認証ＮＧとして、オブジェクトの撮像（ステップＳ１２６ａ）に戻る。所定回数繰り返してＮＧの場合、再度の認証を促すメッセージを表示する。合致していれば、オブジェクト認証をＯＫとする。
【０１９０】
オブジェクト認証がＯＫであれば、スマートフォンＴ1は、オブジェクト撮像時の位置（緯度・経度）を、ＧＰＳ受信機５３から取得する（ステップＳ１２８ａ）。スマートフォンＴ1は、取得した位置と、予め定められているオブジェクトの位置（図９参照）のずれが、所定距離内（たとえば、２００ｍ以内）に収まっているかどうかを判断する（ステップＳ１２９ａ）。
【０１９１】
所定距離内に収まっていなければ位置認証ＮＧとして、オブジェクトの撮像（ステップＳ１２６ａ）に戻る。所定回数繰り返してＮＧの場合、再度の認証を促すメッセージを表示する。所定距離内に収まっていれば、位置認証ＯＫとする。このように、開封日認証、オブジェクト認証、位置認証のすべてがＯＫであれば、スマートフォンＴ1は、個別の発掘認証をＯＫとする（ステップＳ１３０ａ）。
【０１９２】
以上、スマートフォンＴ1について説明したが、他のスマートフォンＴ2、Ｔ3においても同様の処理が行われる。
【０１９３】
上記のようにして、それぞれのスマートフォンＴ1、Ｔ2、Ｔ3において、個別の発掘認証が終了すると、各スマートフォンＴ1、Ｔ2、Ｔ3は、ブル−ツース通信回路５９により、それぞれ個別発掘認証結果を他のスマートフォンに送信する（図２４、ステップＳ１４１ａ、１４１ｂ、１４１ｃ）。スマートフォンＴ1は、自らの個別発掘認証結果および他のスマートフォンＴ2、Ｔ3から送信されてきた個別発掘認証結果に基づき、全てのスマートフォンにおける個別発掘認証結果がＯＫであるかどうかを判断する（ステップＳ１４２ａ）。
【０１９４】
いずれか一つのスマートフォンでも個別発掘認証結果がＮＧであれば、処理を終了する。同様に、いずれか一つのスマートフォンと、ブルーツース通信回路５９による通信ができない場合（近くにいないなど）にも、個別発掘認証結果を得ることができないので、処理を終了する。
【０１９５】
グループに属するユーザのスマートフォンＴ1、Ｔ2、Ｔ3の全てにおいて個別発掘認証結果がＯＫであれば、スマートフォンＴ1は、キーを用いて不揮発性メモリ５６に記録しているタイムカプセルを開封する（ステップＳ１４３ａ）。さらに、開封したメッセージをタッチスクリーン５４に表示する（ステップＳ１４５ａ）。図２５に表示されたメッセージの例を示す。ユーザの作成したメッセージが表示されている。次ページのボタンをクリックすることで、他のユーザのメッセージを表示させることができる。
【０１９６】
以上のようにして、全員で埋蔵したタイムカプセルを、全員で開封することができる。
【０１９７】
1.7バックアップ処理
この実施形態においては、各ユーザが個別に生成したメッセージ、グループ端末情報、タイムカプセルなどは、各ユーザのスマートフォンに記録されるだけでなく、サーバ装置Ｓにも記録するようにしている（図７ステップＳ３２、図１１ステップＳ５１、図１３ステップＳ５２、図１８ステップＳ９１）。
【０１９８】
これにより、ユーザがスマートフォンを交換（機種変更）した場合に、サーバ装置Ｓにユーザ名を指定してログインし、サーバ装置Ｓに記録されているこれらバックアップデータをダウンロードすることができる。
【０１９９】
1.8その他
(1)上記実施形態では、バックアップのためにサーバ装置Ｓに、個別メッセージ、グループ端末情報、タイムカプセルなどを記録するようにしている。しかし、サーバ装置Ｓを設けなくともよい。この場合、ユーザがスマートフォンを交換した場合には、他のユーザの端末装置からこれらデータを取得できるようにすればよい。
【０２００】
(2)上記実施形態では、各ユーザが作成したメッセージに、それぞれ開封可能日やカプセル名を指定するようにしている。しかし、予め定められたユーザ（主たるユーザ）のみが開封可能日やカプセル名を指定できるようにしてもよい。この場合、ログインの際に、ユーザ自らが主たるユーザであるか、サブユーザであるかを指定する入力を行うようにするとよい。
【０２０１】
(3)上記実施形態では、ブルーツース通信による近距離通信を行っている。しかし、WiFi通信、FeliCa(商標）などの電磁誘導に基づく通信、赤外線通信など通信可能範囲が短い（たとえば、送信者と受信者が声を交わすことができる程度の範囲以下（たとえば３ｍ以下））通信方式を用いるようにしてもよい。
【０２０２】
(3)上記実施形態では、近距離通信によって近距離認証を行うようにしている。しかし、図２６に示すようにしてもよい。スマートフォンT1（たとえば、送信側モードに設定されたスマートフォン）において二次元バーコード（ＱＲコード（商標）など）の読取りアプリケーションを起動し、他のスマートフォンＴ2、Ｔ3においては、ユーザ名などを示した二次元バーコードをタッチスクリーン５４に表示する。
【０２０３】
スマートフォンＴ1のカメラ５５にて、他のスマートフォンＴ2の二次元バーコードを撮像し、読取りアプリケーションにてユーザ名などを取得する。これにより、スマートフォンＴ1において、グループ端末情報を生成することができる。生成されたグループ端末情報は、サーバ装置Ｓを介して、スマートフォンＴ2、Ｔ3に送信することができる。あるいは、スマートフォンＴ1のタッチスクリーン５４に、生成したグループ端末情報を示す二次元バーコードを表示し、これを他のスマートフォンＴ2、Ｔ3が読取って、取得するようにしてもよい。
【０２０４】
上記のような二次元バーコード（一次元バーコードであってもよい）によるスマートフォン間でのデータの交換は、メッセージの交換や認証結果の交換などにも用いることができる。
【０２０５】
(4)上記実施形態では、スマートフォンＴ1、Ｔ2、Ｔ3の間のデータ（個別メッセージやグループ端末情報等）の交換に、直接的なブルーツース通信を用いている。しかし、サーバ装置を介して交換するようにしてもよい。
【０２０６】
(5)上記実施形態では、マスタモードに設定したスマートフォンＴ1が、グループ端末情報を生成し、これを他のスマートフォンＴ2、Ｔ3に送信するようにしている（図１１ステップＳ４３ａ、４４ａ）。しかし、全てのスマートフォンＴ1、Ｔ2、Ｔ3において、それぞれ自らグループ端末情報を生成するようにしてもよい。
【０２０７】
また、サーバ装置Ｓにてグループ端末情報を生成するようにしてもよい。この場合、図１１に代えて図２７に示すような処理を行う。マスタモードに設定されたスマートフォンＴ1は、ブルーツース通信回路５９により近傍のスマートフォンを検索し、タッチスクリーン５４に表示する（ステップＳ４２ａ）。スマートフォンＴ1のユーザがタッチスクリーン５４を操作して、グループを形成するユーザを選択すると、スマートフォンＴ1は、自らのユーザ情報および選択された他のユーザ情報をサーバ装置Ｓに送信する（ステップＳ４３ａ）。サーバ装置Ｓは、受信したユーザ情報に基づいてグループ端末情報を生成し、記録する（ステップＳ５２）。さらに、生成したグループ端末情報を、スマートフォンＴ1、Ｔ2、Ｔ3に送信する（ステップＳ５３）。各スマートフォンＴ1、Ｔ2、Ｔ3では、これを受信して記録する（ステップＳ４６ａ、Ｓ４６ｂ、Ｓ４６ｃ）。
【０２０８】
(6)上記実施形態では、個別メッセージを他のスマートフォンに送信するために、ブルーツース通信回路５９を用いている（ステップＳ４７ａ、Ｓ４８ｂ、Ｓ４９ｃ）。しかし、その他の近距離通信を用いるようにしてもよい。また、サーバ装置Ｓを介して個別メッセージを他のスマートフォンに送信するようにしてもよい。メールによって送信するようにしてもよい。
【０２０９】
(7)上記実施形態では、オブジェクト認証、位置認証、近距離認証、開封日認証、埋蔵認証、発掘認証の実体的判断（ステップＳ６３ａ、６３ｂ、６３ｃ、ステップＳ６６ａ、Ｓ６６ｂ、Ｓ６６ｃ、ステップＳ６８ａ、６８ｂ、６８ｃ、ステップＳ８２ａ、８２ｂ、８２ｃ、ステップＳ１２２ａ、１２２ｂ、１２２ｃ、ステップＳ１２５ａ、１２５ｂ、１２５ｃ、ステップＳ１２７ａ、１２７ｂ、１２７ｃ、ステップＳ１２９ａ、１２９ｂ、１２９ｃ、ステップＳ１４２ａ、１４２ｂ、１４２ｃ）を、それぞれのスマートフォンＴ1、Ｔ2、Ｔ3にて実行するようにしている。しかし、いずれか一つのスマートフォンにてこれら認証の実体的判断を実行し、判断結果を他のスマートフォンに送信するようにしてもよい。オブジェクト認証、位置認証は、本来全てのスマートフォンにおいて実体的判断をすべきものである。しかし、近距離通信によって他のスマートフォンが近傍にいることが確認できるなら（たとえば、認証結果を近距離通信によって送信できるなら）、一つのスマートフォンがこれら認証の実体的判断を行い、その結果を近距離通信によって他のスマートフォンに送信するようにしても、認証の確実性は維持される。
【０２１０】
また、各認証ごとに、それぞれのスマートフォンにて実体的判断を行うか、一つのスマートフォンにて実体判断を行うかを変えるようにしてもよい。
【０２１１】
(8)上記実施形態では、オブジェクト認証、位置認証、近距離認証、開封日認証、埋蔵認証、発掘認証の実体的判断（ステップＳ６３ａ、６３ｂ、６３ｃ、ステップＳ６６ａ、Ｓ６６ｂ、Ｓ６６ｃ、ステップＳ６８ａ、６８ｂ、６８ｃ、ステップＳ８２ａ、８２ｂ、８２ｃ、ステップＳ１２２ａ、１２２ｂ、１２２ｃ、ステップＳ１２５ａ、１２５ｂ、１２５ｃ、ステップＳ１２７ａ、１２７ｂ、１２７ｃ、ステップＳ１２９ａ、１２９ｂ、１２９ｃ、ステップＳ１４２ａ、１４２ｂ、１４２ｃ）を、それぞれのスマートフォンＴ1、Ｔ2、Ｔ3にて実行するようにしている。しかし、実体的判断に必要な情報を各スマートフォンからサーバ装置Ｓに送信し、サーバ装置Ｓにて実体的判断を行うようにしてもよい。この場合、判断結果は、サーバ装置Ｓから各スマートフォンＴ1、Ｔ2、Ｔ3に送信されることになる。また、各認証ごとに、それぞれのスマートフォンにて実体的判断を行うか、サーバ装置Ｓにて実体判断を行うかを変えるようにしてもよい。
【０２１２】
図２８に、例として、オブジェクト認証の実体的判断をサーバ装置Ｓによって実行する場合のフローチャートを示す。各スマートフォンＴ1、Ｔ2、Ｔ3にてオブジェクトが撮像されると、撮像画像からオブジェクトの画像が抽出され、比較用データ（二値化データなど）が生成される。生成された比較用データは、サーバ装置Ｓに送信される（ステップＳ６５１ａ、６５１ｂ、６５１ｃ）。
【０２１３】
サーバ装置Ｓは、この比較用データを受信し、受信した比較用データが予め記録されているオブジェクトの比較用データと合致（所定範囲内の類似度であるかどうか）するかどうかを判断する（ステップＳ５４）。サーバ装置Ｓは、その判断結果を、スマートフォンＴ1、Ｔ2、Ｔ3に送信する（ステップＳ５４）。
【０２１４】
各スマートフォンＴ1、Ｔ2、Ｔ3はこの判断結果をうけて、判断結果に基づく処理をすすめる（ステップＳ６６１ａ、Ｓ６６１ｂ、Ｓ６６１ｃ）。
【０２１５】
図２８では、オブジェクト認証について例を示したが、他の認証についても同様に、サーバ装置Ｓにて判断を行うことができる。たとえば、開封日認証であれば、各スマートフォンＴ1、Ｔ2、Ｔ3からサーバ装置Ｓに対して開封日認証の要求を送信する。サーバ装置Ｓは、この要求に基づいて開封日認証の実体的判断を行い、その判断結果を各スマートフォンＴ1、Ｔ2、Ｔ3に送信する。各スマートフォンＴ1、Ｔ2、Ｔ3はその判断結果に基づいて以降の処理を行う。この場合、開封日認証の要求が、認証を行うために必要なデータとなる。
【０２１６】
(9)上記実施形態では、モニュメントを認証のためのオブジェクトとしている。しかし、所定場所における景色（山の稜線など）、人物（顔など）などをオブジェクトとしてもよい。
【０２１７】
(10)上記実施形態では、所定の方向から撮像したオブジェクト画像によって認証を行うようにしている。しかし、予めオブジェクトをいろいろな方向から撮像した画像の特徴データを用意しておくことで、ユーザがいずれの方向から撮像したオブジェクト画像であっても、認証を行えるようにすることができる。また、オブジェクトをポスターや絵画のような平面的なものとすることもできる。
【０２１８】
(11)上記実施形態では、オブジェクト画像データを記録しておき、これによって認証を行うようにしている。しかし、図２８のように、画像データそのものではなく、比較を行うために画像データを加工した比較用データ（二値化データや特徴データなど）を記録しておいて、認証を行うようにしてもよい。
【０２１９】
(12)上記実施形態では、オブジェクトの形状や色などによって認証を行うようにしている。しかし、オブジェクトにバーコードなどを設けておきこれを撮像して認証を行うようにしてもよい。また、二次元的な絵などをオブジェクトとする場合に、当該絵に透かし技術を使ってデータを埋め込んでおき、これを撮像してデータを復元し、当該復元データによって認証を行うようにしてもよい。
【０２２０】
(13)上記実施形態では、埋蔵処理の際に撮像が必要なオブジェクトと、発掘処理の際に撮像が必要なオブジェクトを同一としている。すなわち、発掘の際には、全員で埋蔵した場所のオブジェクトのところに集まって発掘を行うようにしている。
【０２２１】
しかし、埋蔵処理の際に撮像が必要なオブジェクトと、発掘処理の際に撮像が必要なオブジェクトを異なる場所にあるもの（異なる場所にある同一形状のオブジェクトまたは異なる場所にある異なる形状のオブジェクト）としてもよい。
【０２２２】
また、埋蔵処理の際に撮像が必要なオブジェクトと、発掘処理の際に撮像が必要なオブジェクトを異なる形状のもの（同じ場所にある異なる形状のオブジェクトまたは異なる場所にある異なる形状のオブジェクト）としてもよい。
【０２２３】
(14)上記実施形態では、発掘時にメッセージを表示する処理を行っている（ステップＳ１４５ａ、Ｓ１４５ｂ、Ｓ１４５ｃ）。これに加えて、商品やサービスの割引券・優待券・無料券などのチケットを表示するようにしてもよい。特に、発掘のためのオブジェクトの近傍の（近傍でなくともアプリケーションの運営主体やスポンサーが関連する）商店やレストラン、施設などに関するチケットであることが好ましい。
【０２２４】
同様に、埋蔵時にもこのようなチケットを表示するようにしてもよい。この場合、埋蔵のためのオブジェクトの近傍の（近傍でなくともアプリケーションの運営主体やスポンサーが関連する）商店やレストラン、施設などに関するチケットであることが好ましい。
【０２２５】
また、開封可能日通知（図２０ステップＳ１０２）の際に、このようなチケットを表示するようにしてもよい。この場合、発掘のためのオブジェクトの近傍の（近傍でなくともアプリケーションの運営主体やスポンサーが関連する）商店やレストラン、施設などに関するチケットであることが好ましい。
【０２２６】
なお、上記のようなチケットは、グループ全員に配布するようにしてもよいが、代表者一人（たとえば、送信側に設定したユーザなど）のみに配布し、全員で利用できるようにしてもよい。
【０２２７】
また、代表者が選択したユーザのみ、プログラムが選択したユーザのみが利用できるようにしてもよい。
【０２２８】
(15)上記実施形態では、発掘（埋蔵）のために一つのオブジェクトの認証を行うようにしている。しかし、発掘（埋蔵）のために複数のオブジェクト（同一場所もしくは異なる場所）による認証が必要であるようにしてもよい。
【０２２９】
(16)上記実施形態では、１つの開封期間を決定してタイムカプセルを生成し埋蔵するようにしている。しかし、複数の開封期間（第１の開封期間、第２の開封期間・・・）を設定してタイムカプセルを埋蔵するようにしてもよい。この場合、第１の開封期間に対応するメッセージ、第２の開封期間に対応するメッセージをそれぞれ記録するようにする。これにより、期間の進行とともに全員が集合して、その時期に応じたメッセージを開封することができる。
【０２３０】
(17)上記実施形態では、図２３ａのステップＳ１２４ａ、１２５ａ、ステップＳ１２４ｂ、１２５ｂ、ステップＳ１２４ｃ、１２５ｃにおいて、近距離認証を行うようにしている。しかし、これらを行わず、個別埋蔵認証の結果をブルーツース通信５９にて交換可能であることに基づいて、近距離認証を併せて行うようにしてもよい。発掘認証の際の近距離認証についても同様に、個別発掘認証の結果をブルーツース通信５９にて交換可能であることに基づいて、近距離認証を併せて行うようにしてもよい。
【０２３１】
(18)上記実施形態では、埋蔵時に近距離認証、オブジェクト認証、位置認証を行って埋蔵認証を行うようにしている。しかし、これらいずれか一つ以上を組み合わせて埋蔵認証を行うようにしてもよい。なお、二つ以上の認証を組み合わせて用いることが好ましい。
【０２３２】
(19)上記実施形態では、発掘時に開封日認証、近距離認証、オブジェクト認証、位置認証を行って発掘認証を行うようにしている。しかし、これらいずれか一つ以上を組み合わせて発掘認証を行うようにしてもよい。なお、二つ以上の認証を組み合わせて用いることが好ましい。また、開封日認証は必須とすることが好ましい。
【０２３３】
(20)上記実施形態では、グループのユーザ全てがメッセージを生成し、これらを統合してタイムカプセルとしている。しかし、いずれか一以上のユーザがメッセージを生成し、これらを統合してタイムカプセルとしてもよい。すなわち、メッセージを生成しないユーザが存在してもよい。
【０２３４】
(21)上記実施形態では、各人の指定した開封可能期間が異なる場合、リーダの指定した開封可能期間にあわせるようにしている。しかし、最も遅い開始日と最も早い終了日にて決定するようにしてもよい。
【０２３５】
また、各人の指定した開封可能期間が異なる場合、各開封可能期間ごとに異なるタイムカプセルを生成するようにしてもよい。この場合、開封可能期間が同じメッセージのみが統合されることになる。
【０２３６】
(22)上記実施形態では、埋蔵時、発掘時に認証が必要なオブジェクトの情報を、タイムカプセル・アプリケーション６２に記録するようにしている。しかし、オブジェクトの情報をサーバ装置Ｓに記録しておき、処理の際にタイムカプセル・アプリケーション６２がこれを取得するようにしてもよい。
【０２３７】
(23)上記実施形態では、各人の作成したメッセージの交換時（図１３のステップＳ５５ａ、Ｓ５５ｂ、Ｓ５５ｃ）に、メッセージを自動的に統合する処理を行っている。しかし、埋蔵ボタンがクリックされてから統合を行うようにしてもよい。また、統合対象候補となるメッセージを表示し、ユーザに選択させて統合を行うようにしてもよい。
【０２３８】
(24)上記実施形態では、図１６に示すようにオブジェクトを選択するようにしている。しかし、予め定めたオブジェクトを用いて処理を行うようにしてもよい。
【０２３９】
(25)上記実施形態では、図１７に示すように、オブジェクト撮像のためのガイドライン１２２を設けている。しかし、これを設けないようにしてもよい。
【０２４０】
(26)上記実施形態では、予めタイムカプセル・メッセージを生成しておき、埋蔵認証後、当該タイムカプセル・メッセージの埋蔵フラグを「１」に書き換えることで埋蔵済タイムカプセル・メッセージとしている。しかし、埋蔵認証を経た後に、メッセージを統合してタイムカプセル・メッセージを生成するようにしてもよい。この場合、必ずしも、埋蔵フラグは必要でない。
【０２４１】
(27)上記実施形態では、各ユーザのメッセージを統合してから埋蔵ボタンをクリックして埋蔵を行うようにしている。しかし、埋蔵ボタンをクリックすることで、統合から埋蔵までを連続して行うようにしてもよい。
【０２４２】
(28)なお、マスターモードやリーダモードの決定において、複数のユーザがマスターモードやリーダモードを選択した場合、最先のユーザを優先したり、ランダムに決定したりすることもできる。
【０２４３】
(29)上記実施形態では、発掘時に、このブルーツース通信による近距離認証を行っている。しかし、各ユーザが位置認証を行ったことで近距離にいることを認証（実質的な近距離認証）するようにしてもよい。また、サーバ装置Ｓに、各スマートフォンからの位置認証の結果（あるいは位置認証を含む認証結果）を送信すれば、別途近距離認証を行わなくとも、サーバ装置Ｓにおいて、各スマートフォンが近距離にいる場合にこれを認証することができる。
【０２４４】
(28)上記変形例は、その本質に反しない限り、互いに組み合わせて実施することができる。また、上記実施形態、変形例は、その本質に反しない限り、他の実施形態と組み合わせて実施することができる。
【０２４５】
２．第２の実施形態
2.1システムの機能構成
図２９および図３０に、第２の実施形態によるタイムカプセル・システムの機能ブロック図を示す。図２９が埋蔵処理の際の機能ブロック図であり、図３０が発掘処理の際の機能ブロック図である。
【０２４６】
第１の実施形態では、近距離認証、位置認証を行っていたが、この実施形態ではこれらを行わず、オブジェクト認証によって埋蔵、オブジェクト認証と開封日認証によって発掘を行うようにしている。
【０２４７】
図２９において、識別情報記録手段１４は、グループを構成する他の端末装置のユーザを識別するための識別情報を、グループ端末情報２２として記録部２０に記録する。個別メッセージ送信手段１６は、開封可能日を指定して記録部２０に記録されている個別メッセージ２４を、他の端末装置Ｔ2に送信する。
【０２４８】
オブジェクト認証手段６は、撮像されたオブジェクト２が、予め定められたオブジェクト２の撮像画像であるかどうかを判断する。
【０２４９】
埋蔵認証手段１２は、全ての端末装置のオブジェクト認証手段６の認証結果が正当であれば、埋蔵認証が正当であると判断する。埋蔵手段１８は、埋蔵認証が正当であると判断されると、当該端末装置Ｔ1および他の端末装置Ｔ2の個別メッセージを統合したメッセージに、開封可能日、グループ端末情報を付けて、タイムカプセルメッセージ２６として記録部２０に記録する。なお、メッセージの統合は、予め行っておいてもよいし、タイムカプセルメッセージ２６の生成時に行ってもよい。
【０２５０】
埋蔵手段１８は、埋蔵認証済タイムカプセルメッセージ２６を記録部２０に記録する。この埋蔵認証済タイムカプセルメッセージ２６は、キーがないと開くことができないようにカプセル化されている。なお、埋蔵手段１８は、埋蔵認証を行う前に生成されて記録されているタイムカプセルメッセージの状態を示すフラグを「埋蔵認証済」に書き換えることで、埋蔵認証済タイムカプセルメッセージ２６を記録部２０に記録するようにしてもよい。
【０２５１】
以上のようにして、全ての端末装置Ｔ1、Ｔ2において、埋蔵認証済タイムカプセルメッセージ２６が記録されることになる。このようにして、埋蔵処理が行われる。
【０２５２】
発掘処理を示す図３０において、開封日認証手段３２は、内部のカレンダーなどに基づき、当日が開封可能日であるかどうかを判断する。撮像部４は、所定の場所に設けられたオブジェクト２（モニュメントなど）を撮像する。オブジェクト認証手段６は、撮像されたオブジェクト２が、予め定められたオブジェクト２の撮像画像であるかどうかを判断する。
【０２５３】
発掘認証手段３０は、全ての端末装置の開封日認証手段３２、オブジェクト認証手段６の認証結果が全て正当であれば、発掘認証が正当であると判断する。発掘手段３４は、発掘認証が正当であると判断されると、記録部２０に記録されている埋蔵認証済タイムカプセル・メッセージ２６を読み出し、記録されていたキーを用いて開封する。開封されたタイムカプセル・メッセージは、表示部３６に表示される。
【０２５４】
2.2システムのハードウエア構成
システムのハードウェア構成は、上記第１の実施形態における図３、図４、図５と同じである。なお、この実施形態では、スマートフォンにおいて、ブルーツース通信回路５９、ＧＰＳ受信機５３は必ずしも必要でない。
【０２５５】
2.3ユーザ登録処理
ユーザ登録処理は、第１の実施形態（図６参照）と同じである。
【０２５６】
2.4埋蔵処理
埋蔵処理を行う際、あるいはその前に、各スマートフォンにてタイムカプセルに入れるメッセージを作成して記録しておく。各スマートフォンＴ1、Ｔ2、Ｔ3におけるメッセージ作成の処理は、第１の実施形態（図７参照）と同じである。
【０２５７】
図３１〜図３４に、タイムカプセル・アプリケーション６２、サーバプログラム９２のメッセージ作成処理より後の埋蔵処理フローチャートを示す。図３５、図３６に発掘処理フローチャートを示す。この実施形態では、ブルーツース通信回路５９によるグループ形成に代えて、サーバ装置Ｓによってグループを形成し、グループ端末情報を生成するようにしている。
【０２５８】
まず、グループを形成するユーザは、ユーザ情報（ユーザ名など）をサーバ装置Ｓに送信する（ステップＳ４１１ａ、４１１ｂ、４１１ｃ）。サーバ装置Ｓは、受信したユーザ情報に基づいてグループを形成し、グループ端末情報を生成する（ステップＳ５１１）。サーバ装置Ｓは、生成したグループ端末情報を各スマートフォンＴ1、Ｔ2、Ｔ3に送信する（ステップＳ５１２）。
【０２５９】
スマートフォンＴ1、Ｔ2、Ｔ3は、グループ端末情報を受信し不揮発性メモリ５６に記録する（ステップＳ４６ａ、４６ｂ、４６ｃ）。
【０２６０】
次に、各スマートフォンＴ1、Ｔ2、Ｔ3は、ロック化メッセージを互いに交換する。この実施形態では、ブルーツース通信回路５９を用いることなく、サーバ装置Ｓがロック化メッセージを集約し、各スマートフォンＴ1、Ｔ2、Ｔ3に送信するようにしている。
【０２６１】
まず、各スマートフォンＴ1、Ｔ2、Ｔ3は、それぞれロック化メッセージＡ、Ｂ、Ｃをサーバ装置Ｓに送信する（ステップＳ４７ａ、４７ｂ、４７ｃ）。サーバ装置Ｓはこれを受信し、全てのロック化メッセージＡ、Ｂ、Ｃを各スマートフォンＴ1、Ｔ2、Ｔ3に送信する（ステップＳ５１３）。
【０２６２】
各スマートフォンＴ1、Ｔ2、Ｔ3は、全てのロック化メッセージＡ、Ｂ、Ｃを受信し、不揮発性メモリ５６に記録する（ステップＳ４９ａ、４９ｂ、４９ｃ）。
【０２６３】
以上のようにして、互いのロック化メッセージを交換すると、次に、タイムカプセルを埋蔵するために、グループのユーザ全員が定められたオブジェクトの前に集合する。
【０２６４】
オブジェクトの前で、各ユーザはスマートフォンＴ1、Ｔ2、Ｔ3においてタイムカプセルアプリケーション６２を起動しログインする。各スマートフォンＴ1、Ｔ2、Ｔ3のユーザは、メニューから埋蔵ボタンを選択してクリックする。埋蔵ボタンが押されると（ステップＳ６０ａ、６０ｂ、６０ｃ）、スマートフォンＴ1、Ｔ2、Ｔ3は、カメラ５５を起動する（ステップＳ６１ａ、６１ｂ、６１ｃ）。さらに、図１７に示すような、オブジェクト撮像画面を表示する（ステップＳ６４ａ、６４ｂ、６４ｃ）。
【０２６５】
各スマートフォンＴ1、Ｔ2、Ｔ3のユーザは、カメラ５５にてオブジェクトを捉える。スマートフォンＴ1、Ｔ2、Ｔ3は、撮像されたオブジェクトが予め定められているオブジェクトと合致するかどうかを判断する（ステップＳ６６ａ、６６ｂ、６６ｃ）。
【０２６６】
合致すれば、個別の埋蔵認証をＯＫとする。この実施形態では、オブジェクト認証のみによって埋蔵認証を行っているので、オブジェクト認証がＯＫであれば、個別の埋蔵認証もＯＫとなる。
【０２６７】
合致していなければ、再び、オブジェクト撮像画面に戻って処理を繰り返す（ステップＳ６４ａ、６４ｂ、６４ｃ）。なお、所定回数繰り返して合致しない場合には、再度の認証を促すメッセージを表示する。
【０２６８】
各スマートフォンＴ1、Ｔ2、Ｔ3は、個別の埋蔵認証結果をサーバ装置Ｓに送信する（ステップＳ８１ａ、８１ｂ、８１ｃ）。サーバ装置Ｓは、これを受けて、グループに属するユーザの全てのスマートフォンＴ1、Ｔ2、Ｔ3について、個別埋蔵認証がＯＫであるかどうかを判断する。全ての個別埋蔵認証がＯＫであれば、埋蔵認証をＯＫとする。一つでもＮＧの個別埋蔵認証があれば、埋蔵認証をＮＧとする。
【０２６９】
埋蔵認証の判断結果は、各スマートフォンＴ1、Ｔ2、Ｔ3に送信される（ステップＳ９１１）。各スマートフォンＴ1、Ｔ2、Ｔ3は、埋蔵認証がＯＫであれば、記録しているロック化メッセージを統合してタイムカプセルを生成し（ステップＳ８３ａ、Ｓ８３ｂ、Ｓ８３ｃ）、不揮発性メモリ５６に記録する（ステップＳ８５ａ、Ｓ８５ｂ、Ｓ８５ｃ）。なお、タイムカプセルはサーバ装置Ｓにも送信され記録される（ステップＳ８４ａ、Ｓ９１）。
【０２７０】
以上のようにして、タイムカプセルの埋蔵処理が行われる。
【０２７１】
2.5開封可能日連絡
第１の実施形態では、各スマートフォンＴ1、Ｔ2、Ｔ3のタイムカプセルアプリケーション６２が、開封可能日に基づいて通知日を判断して連絡を表示するようにしていた。この実施形態では、サーバ装置Ｓが開封可能日に基づいて通知日を判断し、連絡を各スマートフォンＴ1、Ｔ2、Ｔ3に送信するようにしている。
【０２７２】
2.6発掘処理
タイムカプセル発掘の際には、予め定められた場所にあるオブジェクト（モニュメントなど）の前に、全員で集合する。図３５、図３６に、発掘の際のフローチャートを示す。
【０２７３】
オブジェクトの前で、各ユーザはスマートフォンＴ1、Ｔ2、Ｔ3においてタイムカプセルアプリケーション６２を起動する。各スマートフォンＴ1、Ｔ2、Ｔ3のユーザは、メニューから発掘ボタン（タイムカプセルのアイコン）を選択してクリックする。発掘ボタンが押されると（ステップＳ１２０ａ、１２０ｂ、１２０ｃ）、スマートフォンＴ1、Ｔ2、Ｔ3は、その日が開封可能であるかどうかを判断する（ステップＳ１２２ａ、１２２ｂ、１２２ｃ）。
【０２７４】
開封可能日でなければ、その旨を表示し、処理を終了する（図において省略）。開封可能日であれば、スマートフォンＴ1、Ｔ2、Ｔ3は、カメラ５５を起動する（ステップＳ１２３ａ、１２３ｂ、１２３ｃ）。さらに、図１７に示すような、オブジェクト撮像画面を表示する（ステップＳ１２６ａ、１２６ｂ、１２６ｃ）。
【０２７５】
各スマートフォンＴ1、Ｔ2、Ｔ3のユーザは、カメラ５５にてオブジェクトを捉えると、スマートフォンＴ1、Ｔ2、Ｔ3は、撮像したオブジェクトが予め定められているオブジェクトと合致するかどうかを判断する（ステップＳ１２７ａ、１２７ｂ、１２７ｃ）。
【０２７６】
合致すれば、個別の発掘認証をＯＫとする。合致していなければ、再び、オブジェクト撮像画面に戻って処理を繰り返す（ステップＳ１２６ａ、１２６ｂ、１２６ｃ）。なお、所定回数繰り返して合致しない場合には、再度の認証を促すメッセージを表示する。
【０２７７】
各スマートフォンＴ1、Ｔ2、Ｔ3は、個別の発掘認証結果をサーバ装置Ｓに送信する（ステップＳ１４１ａ、１４１ｂ、１４１ｃ）。サーバ装置Ｓは、これを受けて、グループに属するユーザの全てのスマートフォンＴ1、Ｔ2、Ｔ3について、個別発掘認証がＯＫであるかどうかを判断する。全ての個別発掘認証がＯＫであれば、発掘認証をＯＫとする。一つでもＮＧの個別発掘認証があれば、発掘認証をＮＧとする。
【０２７８】
発掘認証の判断結果は、各スマートフォンＴ1、Ｔ2、Ｔ3に送信される（ステップＳ９１２）。各スマートフォンＴ1、Ｔ2、Ｔ3は、発掘認証がＯＫであれば、記録しているタイムカプセル・メッセージをキーにより開封し（ステップＳ１４３ａ、Ｓ１４３ｂ、Ｓ１４３ｃ）、タッチスクリーン５４に表示する（ステップＳ１４５ａ、Ｓ１４５ｂ、Ｓ１４５ｃ）。
【０２７９】
以上のようにして、埋蔵したタイムカプセルの発掘処理が行われる。
【０２８０】
なお、この実施形態では、開封日認証の他はオブジェクト認証のみによって埋蔵認証、発掘認証を行っている。このため、オブジェクトのある場所に行かずに、オブジェクトの写真を撮像することで認証をしようとするユーザが出てくる可能性がある。これを許容する場合は問題ないが、許容しない場合には、第１の実施形態のように位置認証と組み合わせることが好ましい。
【０２８１】
また、位置認証を用いずに、時間と共に変化するオブジェクトを用いるようにしてもよい。たとえば、オブジェクトとして所定場所にある絵画や彫刻などを指定する。この絵画や彫刻を所定期間ごと（たとえば毎日）に取り替えるようにすれば、上記のような不正な認証を減らすことができる。なお、この場合、サーバ装置Ｓにおいて、上記オブジェクトの変更に応じて比較基準となるオブジェクトのデータ（特徴データ）を変更し、サーバ装置Ｓにおいてオブジェクト認証の実体的判断を行うことが好ましい（図２８参照）。
【０２８２】
また、オブジェクトとして指定場所にあるディスプレイの画像を用いるようにしてもよい。この画像をサーバ装置Ｓからの制御によってリアルタイム性を持って変化させれば（サーバ側のオブジェクトデータも同時に変化させれば）、確実に上記のような不正を防止することができる。
【０２８３】
2.7その他
(1)上記第２の実施形態は、第１の実施形態の一部と組み合わせて、あるいは交換して実施可能である。また、上記第２の実施形態は、第１の実施形態のその他に記載の変形例と組み合わせて実施可能である。
【０２８４】
３．その他の実施形態
上記第２の実施形態では、開封日認証以外に、オブジェクト認証によって埋蔵と発掘を行うようにしている。しかし、これに代えて、近距離認証や位置認証によって埋蔵と発掘を行うようにしてもよい。
【０２８５】
図３７、図３８に、埋蔵と発掘に近距離認証を用いたシステムの機能ブロック図を示す。図３７が埋蔵時、図３８が発掘時の機能ブロック図である。
【０２８６】
図３７において、識別情報記録手段１４は、グループを構成する他の端末装置のユーザを識別するための識別情報を、グループ端末情報として記録部２０に記録する。個別メッセージ送信手段１６は、開封可能日を指定して記録部２０に記録されている個別メッセージ２４を、他の端末装置Ｔ2に送信する。
【０２８７】
近距離認証手段１０は、グループに属する他の全てのユーザの端末装置が所定距離内にあるかどうかを判断する。
【０２８８】
埋蔵認証手段１２は、近距離認証手段１０の認証結果が正当であれば、埋蔵認証が正当であると判断する。埋蔵手段１８は、埋蔵認証が正当であると判断されると、当該端末装置Ｔ1および他の端末装置Ｔ2の個別メッセージを統合したメッセージに、開封可能日、グループ端末情報を付けて、タイムカプセルメッセージ２６として記録部２０に記録する。なお、メッセージの統合は、予め行っておいてもよいし、タイムカプセルメッセージ２６の生成時に行ってもよい。
【０２８９】
埋蔵手段１８は、生成したタイムカプセルメッセージ２６を記録部２０に記録する。このタイムカプセルメッセージ２６は、キーがないと開くことができないようにカプセル化されている。
【０２９０】
以上のようにして、全ての端末装置Ｔ1、Ｔ2において、タイムカプセルメッセージ２６が記録されることになる。このようにして、埋蔵処理が行われる。
【０２９１】
発掘処理を示す図３８において、開封日認証手段３２は、内部のカレンダーなどに基づき、当日が開封可能日であるかどうかを判断する。近距離認証手段１０は、グループに属する他の全てのユーザの端末装置が所定距離内にあるかどうかを判断する。
【０２９２】
発掘認証手段３０は、開封日認証手段３２、近距離認証手段１０の認証結果が全て正当であれば、発掘認証が正当であると判断する。発掘手段３４は、発掘認証が正当であると判断されると、記録部２０に記録されているタイムカプセル・メッセージ２６を読み出し、記録されていたキーを用いて開封する。開封されたタイムカプセル・メッセージは、表示部３６に表示される。
【０２９３】
したがって、この実施形態では、グループのユーザ全員が集まってタイムカプセルを埋蔵し、開封可能日となれば、ユーザ全員が集まってタイムカプセルを開封することができる。
【０２９４】
タイムカプセルアプリケーション６２とサーバプログラム９２のフローチャートは、第２の実施形態のオブジェクト認証を近距離認証に代えたものとすることができる。あるいは、第１の実施形態において、開封日認証と近距離認証のみとしたものとすることができる。
【０２９５】
第１の実施形態を基本とした場合、そのフローチャートは、図１５ａ、図１５ｂを図３９に示すように置き換えるとともに、図２３ａ、図２３ｂを図４０に示すように置き換えたものとなる。
【０２９６】
図４１、図４２に、埋蔵と発掘に位置認証を用いたシステムの機能ブロック図を示す。図４１が埋蔵時、図４２が発掘時の機能ブロック図である。
【０２９７】
図４１において、識別情報記録手段１４は、グループを構成する他の端末装置のユーザを識別するための識別情報を、グループ端末情報として記録部２０に記録する。個別メッセージ送信手段１６は、開封可能日を指定して記録部２０に記録されている個別メッセージ２４を、他の端末装置Ｔ2に送信する。
【０２９８】
位置認証手段８は、スマートフォンを持ったユーザが所定の位置にいるかどうかを判断する。
【０２９９】
埋蔵認証手段１２は、位置認証手段８の認証結果が正当であれば、埋蔵認証が正当であると判断する。埋蔵手段１８は、埋蔵認証が正当であると判断されると、当該端末装置Ｔ1および他の端末装置Ｔ2の個別メッセージを統合したメッセージに、開封可能日、グループ端末情報を付けて、タイムカプセルメッセージ２６として記録部２０に記録する。なお、メッセージの統合は、予め行っておいてもよいし、タイムカプセルメッセージ２６の生成時に行ってもよい。
【０３００】
埋蔵手段１８は、生成したタイムカプセルメッセージ２６を記録部２０に記録する。このタイムカプセルメッセージ２６は、キーがないと開くことができないようにカプセル化されている。
【０３０１】
以上のようにして、全ての端末装置Ｔ1、Ｔ2において、タイムカプセルメッセージ２６が記録されることになる。このようにして、埋蔵処理が行われる。
【０３０２】
発掘処理を示す図４２において、開封日認証手段３２は、内部のカレンダーなどに基づき、当日が開封可能日であるかどうかを判断する。位置認証手段８は、スマートフォンを持ったユーザが所定の位置にいるかどうかを判断する。
【０３０３】
発掘認証手段３０は、開封日認証手段３２、位置認証手段８の認証結果が全て正当であれば、発掘認証が正当であると判断する。発掘手段３４は、発掘認証が正当であると判断されると、記録部２０に記録されているタイムカプセル・メッセージ２６を読み出し、記録されていたキーを用いて開封する。開封されたタイムカプセル・メッセージは、表示部３６に表示される。
【０３０４】
したがって、この実施形態では、グループのユーザ全員が所定の位置に集まってタイムカプセルを埋蔵し、開封可能日となれば、ユーザ全員が所定の位置に集まってタイムカプセルを開封することができる。
【０３０５】
タイムカプセルアプリケーション６２とサーバプログラム９２のフローチャートは、第２の実施形態のオブジェクト認証を位置認証に代えたものとすることができる。あるいは、第１の実施形態において、開封日認証と位置認証のみとしたものとすることができる。
【０３０６】
第１の実施形態を基本とした場合、そのフローチャートは、図１５ａ、図１５ｂを図４３に示すように置き換えるとともに、図２３ａ、図２３ｂを図４４に示すように置き換えたものとなる。
【０３０７】
上記各実施形態において用いたオブジェクト認証手段、位置認証手段、近距離認証手段などは、組み合わせて埋蔵認証、発掘認証に用いることができる。また、上記では埋蔵認証と発掘認証において同じ認証を用いているが、異なる認証を用いるようにしてもよい。さらに、上記各実施形態では、開封日認証をもちいているがこれを用いないようにしてもよい。
【０３０８】
４．第３の実施形態
4.1システムの機能構成
図４５に、この発明の第３の実施形態によるメッセージシステムの機能ブロック図を示す。この実施形態では、端末装置Ｔ1、Ｔ2がメッセージを作成し、これを統合したメッセージを端末装置Ｔ1、Ｔ2、Ｔ3が受信する場合について説明する。
【０３０９】
端末装置Ｔ1のメッセージ作成手段３１は、ユーザ操作によりメッセージを作成し、記録部に記録する。さらに、このメッセージをサーバ装置Ｓに送信する。同様に、端末装置Ｔ2のメッセージ作成手段（図示せず）も、メッセージをサーバ装置Ｓに送信する。
【０３１０】
サーバ装置Ｓのメッセージ受信手段１３は、端末装置Ｔ1、Ｔ2から送信されてきたメッセージを受信し、記録部に記録する。
【０３１１】
メッセージ開封可能日になると、端末装置Ｔ1、Ｔ2、Ｔ3のユーザは、所定のオブジェクトの前に集合する。そして、いずれかの端末装置にて、近距離通信の通信範囲内にいるユーザの端末装置から、グループを形成したいユーザを選択する。
【０３１２】
たとえば、端末装置Ｔ1がユーザを選択してグループを形成し、グループ端末情報（選択されたユーザ、端末装置の情報）を生成したとする。端末装置Ｔ1の識別情報記録手段１４は、生成したグループ端末情報をサーバ装置Ｓに送信する。サーバ装置Ｓの識別情報受信手段１５は、受信したグループ端末情報を記録部に記録する。サーバ装置Ｓのメッセージ統合手段１７は、グループ端末情報を参照して、当該グループに属するユーザのメッセージを統合し、統合メッセージを生成する。
【０３１３】
各端末装置Ｔ1、Ｔ2、Ｔ3のユーザは、オブジェクト２を撮像部４にて撮像する。オブジェクト認証手段６は、撮像されたオブジェクトが予め定められたオブジェクトと合致するかどうかを判断する。合致していれば、オブジェクト認証ＯＫとする。
【０３１４】
位置認証手段８は、オブジェクトが撮像された位置が予め定められた場所に合致するかどうかを判断する。合致していれば、位置認証ＯＫとする。
【０３１５】
開封日認証手段３２は、その日が開封可能日に該当するかどうかを判断する。該当すれば、開封日認証ＯＫとする。
【０３１６】
個別開封認証処理手段３０は、オブジェクト認証、位置認証、開封日認証が全てＯＫであれば、個別開封認証をＯＫとする。そうでなければ、個別開封認証をＮＧとする。さらに、この個別認証結果を、サーバ装置Ｓに送信する。
【０３１７】
したがって、サーバ装置Ｓには、各端末装置Ｔ1、Ｔ2、Ｔ3から個別認証結果が送られてくることになる。サーバ装置Ｓのメッセージ送信手段１１は、全ての端末装置Ｔ1、Ｔ2、Ｔ3からの個別認証結果がＯＫであれば（すなわち、開封可能日に全員がオブジェクトの前に集まっていれば）、統合メッセージを、各端末装置Ｔ1、Ｔ2、Ｔ3に送信する。
【０３１８】
各端末装置Ｔ1、Ｔ2、Ｔ3の開封手段３４は、統合メッセージを受信し、表示部３６に表示する。
【０３１９】
4.2システムのハードウエア構成
図４６に、スマートフォンＴのハードウエア構成を示す。ＣＰＵ５０には、メモリ５２、ＧＰＳ受信機５３、タッチスクリーン５４、カメラ５５、不揮発性メモリ５６、通信回路５８、ブルーツース通信回路５９、ＷｉＦｉ通信回路５７が接続されている。なお、通話回路などは省略している。
【０３２０】
タッチスクリーン５４は、表示を行うとともに、ユーザ操作による入力を受け付けるものである。通信回路５８は、インターネットと接続するためのものである。ブルーツース通信回路５９は、近距離通信を行うためのものである。ＧＰＳ受信機５３は、ＧＰＳ衛星からの信号を受信し、スマートフォンの現在の位置を出力するものである。
【０３２１】
不揮発性メモリ５６には、オペレーティングシステム６０、メッセージ・アプリケーション６３が記録されている。メッセージ・アプリケーション６３は、オペレーティングシステム６０と協働してその機能を発揮するものである。メッセージ・アプリケーション６３は、通信回路５８を介して、アプリケーション配信サイト（図示せず）からダウンロードしたものである。
【０３２２】
図４７に、サーバ装置Ｓのハードウエア構成を示す。ＣＰＵ８０には、メモリ８２、ディスプレイ８４、ハードディスク８６、通信回路８８、ＤＶＤ−ＲＯＭドライブ８９が接続されている。
【０３２３】
通信回路８８は、インターネットと接続するためのものである。ハードディスク８６には、オペレーティングシステム９０、サーバプログラム９２が記録されている。サーバプログラム９２は、オペレーティングシステム９０と協働してその機能を発揮するものである。これらプログラムは、ＤＶＤ−ＲＯＭ９４に記録されていたものを、ＤＶＤ−ＲＯＭドライブ８９を介して、ハードディスク８６にインストールしたものである。
【０３２４】
4.3ユーザ登録処理
ユーザ登録処理は、第１の実施形態（図６参照）と同じである。
【０３２５】
4.4メッセージ作成・送信処理
図４８に、メッセージ・アプリケーション６３におけるメッセージの作成と送信の処理フローチャートを示す。以下では、スマートフォンＴ1とＴ2のユーザがメッセージを作成し、スマートフォンＴ1、Ｔ2、Ｔ3のユーザが集まってメッセージを受信する場合を例に説明する。
【０３２６】
メッセージ送信側であるスマートフォンＴ1のユーザは、メッセージ・アプリケーション６３を起動する。ユーザは表示されたメニューからメッセージ作成処理を選択する。これを受けて、スマートフォンＴ1は、図４９に示すような入力画面を、タッチスクリーン５４に表示する。
【０３２７】
この画面においては、カプセル名の入力領域１００、シーンの入力領域１０１、開封可能日の入力領域１０２、オブジェクト入力領域１０３、メッセージの入力領域１０４が設けられている。ユーザは、スマートフォンＴ1を操作し、各領域に入力を行う（ステップＳ２２２、Ｓ２２３、Ｓ２２４）。なお、メッセージ入力領域１０４は、次のページに設けるようにしてもよい。
【０３２８】
カプセル名は、メッセージに付す名称である。シーンは、タイムカプセルの種類（誕生日、バレンタインデー、結婚記念日など）であり、選択して入力できるようになっている。開封可能日は、受け取ったユーザが将来開封を行うことのできる日である。開封可能となる開始日と終了日を設定することができる。オブジェクトは、開封時に撮像が必要となるオブジェクトである。
【０３２９】
オブジェクト入力欄１０３では、予め登録してあるオブジェクトの一覧から選択して入力することができるようになっている。図５１に、予め記録されているオブジェクト一覧のデータを示す。オブジェクトの名称、オブジェクトのある座標、オブジェクトの画像データ、その特徴データなどが記録されている。オブジェクト入力欄１０３には、このデータに基づいて、オブジェクト名によって一覧が表示される。
【０３３０】
メッセージは、メッセージの内容である。文字だけでなく、写真や図も入力することができる。
【０３３１】
各領域への入力が終わると、ユーザはカプセル作成ボタン１０６をクリックする。これを受けて、スマートフォンＴ1は、メッセージをキーによってロックしてカプセル化メッセージとする（ステップＳ２２５）。たとえば、キーを用いてメッセージを暗号化する。
【０３３２】
次に、スマートフォンＴ1は、カプセル名、開封可能日を付して、カプセル化したメッセージを不揮発性メモリ５６に記録する（ステップＳ２２６）。さらに、ロックを外すためのキーも不揮発性メモリ５６に記録する（ステップＳ２２７）。
【０３３３】
スマートフォンＴ1は、カプセル名、シーン、開封可能日、カプセル化メッセージ、キーを、インターネットを介してサーバ装置Ｓに送信する（ステップＳ２２８）。サーバ装置Ｓは、これを受信して、ハードディスク８６に記録する（ステップＳ３０１）。
【０３３４】
図５０Ａの上段に、スマートフォンＴ1において作成されたカプセル化メッセージのデータ構造を示す。カプセル名、送信元ユーザ、開封可能日が記録されている。また、開封時に撮像が必要なオブジェクトのＩＤ、カプセル化メッセージ、キーが記録されている。
【０３３５】
上記と同様にして、スマートフォンＴ2もカプセル化メッセージを作成し、不揮発性メモリ５６に記録する。さらに、サーバ装置Ｓに送信する。したがって、サーバ装置Ｓには、図５０Ａに示すように、スマートフォンＴ1、Ｔ2からのメッセージが記録されることになる。
【０３３６】
4.5開封処理
開封可能日になると、スマートフォンＴ1、Ｔ2、Ｔ3のユーザは、オブジェクトの場所に行って、メッセージの開封を行う。図５２〜図５５に、メッセージ・アプリケション６３の開封処理のフローチャートを示す。
【０３３７】
サーバ装置Ｓに登録したメッセージを送信したいユーザは、スマートフォンのメッセージ一覧画面から、メッセージを選択する。ここでは、スマートフォンＴ1、Ｔ2がメッセージを送信するものとする。スマートフォンＴ1、Ｔ2のユーザが図５６に示すメッセージ一覧画面から、記録されているメッセージのうちサーバ装置Ｓに登録済のもの（埋蔵メッセージ）のアイコン１３２を選択する（ステップＳ６４１ａ、Ｓ６４１ｂ）。この実施形態では、メッセージ一覧画面から選択できるメッセージは、開封可能日になっているものだけにしており、これによって開封日認証を兼ねている。なお、開封日認証を別途行うようにしてもよい。
【０３３８】
次に、メッセージを選択したユーザのスマートフォンＴ1、Ｔ2は、リーダになるか否かを決めるボタンを表示する。これに応じて、ボタンを押した者がリーダとなる（ステップＳ６４２ａ）。なお、この実施形態では、メッセージを送信するユーザの中からリーダを選択するようにしている。メッセージを送信するユーザが１人だけの場合には、自動的に当該ユーザがリーダとなるようにしてもよい。
【０３３９】
ここでは、スマートフォンＴ1がリーダになったものとして説明を進める。次に、リーダのスマートフォンＴ1は、ブルーツース通信回路により近傍にいるユーザの一覧を表示する（ステップＳ６４３ａ）。スマートフォンＴ1のユーザは、この画面から、グループを形成するユーザ（メッセージを送信するユーザと受信するユーザ）を選択する（ステップＳ６４４ａ、図１２参照）。ここでは、スマートフォンＴ2、Ｔ3のユーザを選択することになる。これにより、グループに属するユーザの識別情報がグループ端末情報として生成される。
【０３４０】
リーダ以外の送信側スマートフォンＴ2は、選択されたメッセージのＩＤをリーダのスマートフォンＴ1に送信する（ステップＳ６４２ｂ）。また、リーダのスマートフォンＴ1は、グループの他のスマートフォンＴ2、Ｔ3に、リーダが生成したメッセージの開封可能日、オブジェクトなどを送信する。スマートフォンＴ2、Ｔ3は、この開封可能日、オブジェクトを記録する。
【０３４１】
リーダのスマートフォンＴ1は、インターネットによりグループ端末情報をサーバ装置Ｓに送信する（ステップＳ６４５ａ）。また、スマートフォンＴ1、Ｔ2において選択されたメッセージのメッセージＩＤを、サーバ装置Ｓに送信する（ステップＳ６４５ａ）。
【０３４２】
サーバ装置Ｓは、リーダのスマートフォンＴ1から、グループ端末情報、メッセージＩＤを受信し、これらをハードディスク８６に記録する（ステップＳ６７１）。
【０３４３】
次に、サーバ装置Ｓは、受信したメッセージＩＤに基づいて、メッセージを統合する（ステップＳ６７２）。図５０Ａに示す２つのメッセージが、図５０Ｂに示す一つのメッセージに統合されることとなる。統合の際に、カプセル名は、各ユーザの入力した名前が接続されて新たなカプセル名とされる。シーンが異なる場合、開封可能日が異なる場合、指定されたオブジェクトが異なる場合等には、リーダの作成したメッセージに合致させるように統一する。キーについては新たなキーが生成される。
【０３４４】
次に、各スマートフォンＴ1、Ｔ2、Ｔ3は、カメラ５５を起動する（ステップＳ６４８ａ、Ｓ６４８ｂ、Ｓ６４８ｃ）。続いて、図１７に示すような、オブジェクト撮像画面を表示する（ステップＳ６４９ａ、Ｓ６４９ｂ、Ｓ６４９ｃ）。各スマートフォンＴ1、Ｔ2、Ｔ3は、撮像されたオブジェクト画像が、所定のオブジェクト（リーダのメッセージに記録されたオブジェクトＡ）の画像と合致するかどうかを判断する（ステップＳ６５０ａ、Ｓ６５０ｂ、Ｓ６５０ｃ）。合致しなければ、オブジェクト認証を繰り返し、所定回数繰り返してもＯＫとならなければ個別開封認証をＮＧとする。
【０３４５】
オブジェクト認証が正当であれば、各スマートフォンＴ1、Ｔ2、Ｔ3は、撮像時の位置をＧＰＳ受信機５３から取得する（ステップＳ６５１ａ、Ｓ６５１ｂ、Ｓ６５１ｃ）。取得した位置がオブジェクトについて定められた位置に合致するかどうかを判断する（ステップＳ６５２ａ、Ｓ６５２ｂ、Ｓ６５２ｃ）。合致すれば、個別開封認証をＯＫとする（ステップＳ６５３ａ、Ｓ６５３ｂ、Ｓ６５３ｃ）。合致しなければ、位置認証を繰り返し、所定回数繰り返してもＯＫとならなければ個別開封認証をＮＧとする。
【０３４６】
各スマートフォンＴ1、Ｔ2、Ｔ3は、個別開封認証結果をサーバ装置Ｓに送信する（ステップＳ６５４ａ、６５４ｂ、６５４ｃ）。サーバ装置Ｓは、グループ端末情報に示された全員が、個別開封認証結果ＯＫであるか否かを判断する（ステップＳ６７４）。１人でもＮＧのユーザがいる場合、各スマートフォンＴ1、Ｔ2、Ｔ3に通知を行い、処理を終了する。
【０３４７】
全員の個別開封処理認証がＯＫであれば、統合メッセージとキーを各スマートフォンＴ1、Ｔ2、Ｔ3に送信する（ステップＳ６７５）。各スマートフォンＴ1、Ｔ2、Ｔ3はこれを受信し、開封して、タッチスクリーン５４に表示する（ステップＳ６５５ａ、Ｓ６５５ｂ、Ｓ６５５ｃ）。
【０３４８】
4.6その他
(1)上記実施形態では、ブルーツース通信、ＷｉＦｉ通信による近距離通信を行っている。しかし、FeliCa(商標）などの電磁誘導に基づく通信、赤外線通信など通信可能範囲が短い（たとえば、送信者と受信者が声を交わすことができる程度の範囲以下（たとえば１０ｍ以下））通信方式を用いるようにしてもよい。
【０３４９】
(2)上記実施形態では、モニュメントを認証のためのオブジェクトとしている。しかし、所定場所における景色（山の稜線など）、人物（顔など）などをオブジェクトとしてもよい。
【０３５０】
(3)上記実施形態では、所定の方向から撮像したオブジェクト画像によって認証を行うようにしている。しかし、予めオブジェクトをいろいろな方向から撮像した画像の特徴データを用意しておくことで、ユーザがいずれの方向から撮像したオブジェクト画像であっても、認証を行えるようにすることができる。また、オブジェクトをポスターや絵画のような平面的なものとすることもできる。
【０３５１】
(4)上記実施形態では、オブジェクト画像データを記録しておき、これによって認証を行うようにしている。しかし、画像データそのものではなく、比較を行うために画像データを加工した比較用データ（二値化データや特徴データなど）を記録しておいて、認証を行うようにしてもよい。
【０３５２】
(5)上記実施形態では、オブジェクトの形状や色などによって認証を行うようにしている。しかし、オブジェクトにバーコードなどを設けておきこれを撮像して認証を行うようにしてもよい。また、二次元的な絵などをオブジェクトとする場合に、当該絵に透かし技術を使ってデータを埋め込んでおき、これを撮像してデータを復元し、当該復元データによって認証を行うようにしてもよい。
【０３５３】
(6)上記実施形態では、開封時にメッセージを表示する処理を行っている（ステップＳ６５５ａ、Ｓ６５５ｂ、Ｓ６５５ｃ）。これに加えて、商品やサービスの割引券・優待券・無料券などのチケットを表示するようにしてもよい。特に、開封のためのオブジェクトの近傍の（近傍でなくともアプリケーションの運営主体やスポンサーが関連する）商店やレストラン、施設などに関するチケットであることが好ましい。
【０３５４】
(7)上記実施形態では、開封のために一つのオブジェクトの認証を行うようにしている。しかし、開封のために複数のオブジェクト（同一場所もしくは異なる場所）による認証が必要であるようにしてもよい。
【０３５５】
(8)上記実施形態では、開封時に開封日認証、オブジェクト認証、位置認証を行って開封認証を行うようにしている。これらに加えて、あるいはこれらに代えて近距離認証を行うようにしてもよい。
【０３５６】
オブジェクト認証、位置認証に代えて、近距離認証を用いる場合、図５４に示す処理を、図５７に示すように置き換えるとよい（なお、この場合、図５３に示すカメラ起動は不要である）。
【０３５７】
また、開封日認証、オブジェクト認証、位置認証、近距離認証のいずれか一つ以上を組み合わせて発掘認証を行うようにしてもよい。なお、二つ以上の認証を組み合わせて用いることが好ましい。
【０３５８】
(9)上記実施形態では、送信側スマートフォンが２つ、受信側スマートフォンが１つである場合について説明した。しかし、受信側スマートフォンを複数としてもよい。
【０３５９】
また、送信側スマートフォンを１つとしてもよい。この場合には、送信されるメッセージは、１つだけでありこれが統合メッセージとして送信されることになる。
【０３６０】
(10)上記実施形態では、メッセージの作成と送信を分けて処理しているが、これらを同時に行うようにしてもよい。
【０３６１】
(11)上記実施形態においては開封日連絡を行っていないが、サーバ装置Ｓから各スマートフォンＴ1、Ｔ2、Ｔ3に対して開封日連絡を行うようにしてもよい。
【０３６２】
(12)上記変形例は、その本質に反しない限り、互いに組み合わせて実施することができる。また、上記実施形態、変形例は、その本質に反しない限り、他の実施形態と組み合わせて実施することができる。
【０３６３】
５．第４の実施形態
5.1システムの機能構成
図５８に、この発明の第４の実施形態によるメッセージシステムの機能ブロック図を示す。この実施形態では、メッセージ送受信時に、必ずしもサーバ装置Ｓを必要としない点が特徴である。以下、端末装置Ｔ1、Ｔ2がメッセージを作成し、これを統合したメッセージを端末装置Ｔ1、Ｔ2、Ｔ3が受信する場合について説明する。
【０３６４】
端末装置Ｔ1のメッセージ作成手段３１は、ユーザ操作によりメッセージを作成し、記録部に記録する。同様に、端末装置Ｔ2のメッセージ作成手段（図示せず）も、メッセージを作成して記録する。
【０３６５】
メッセージ開封可能日になると、端末装置Ｔ1、Ｔ2、Ｔ3のユーザは、所定のオブジェクトの前に集合する。そして、リーダの端末装置にて、近距離通信の通信範囲内にいるユーザの端末装置から、グループを形成したいユーザを選択する。
【０３６６】
たとえば、端末装置Ｔ1がリーダとなりユーザを選択してグループを形成し、グループ端末情報（選択されたユーザ、端末装置の情報）を生成したとする。グループに属する端末装置Ｔ2は、リーダの端末装置Ｔ1にメッセージを送信する。端末装置Ｔ3はグループに属しているがメッセージを作成していないので、メッセージは送信しない。
【０３６７】
リーダである端末装置Ｔ1のメッセージ統合手段１７は、自らのメッセージおよび端末装置Ｔ2から受信したメッセージを統合し、統合メッセージを生成する。
【０３６８】
各端末装置Ｔ1、Ｔ2、Ｔ3のユーザは、オブジェクト２を撮像部４にて撮像する。オブジェクト認証手段６は、撮像されたオブジェクトが予め定められたオブジェクトと合致するかどうかを判断する。合致していれば、オブジェクト認証ＯＫとする。
【０３６９】
位置認証手段８は、オブジェクトが撮像された位置が予め定められた場所に合致するかどうかを判断する。合致していれば、位置認証ＯＫとする。
【０３７０】
開封日認証手段３２は、その日が開封可能日に該当するかどうかを判断する。該当すれば、開封日認証ＯＫとする。
【０３７１】
個別開封認証処理手段３０は、オブジェクト認証、位置認証、開封日認証が全てＯＫであれば、個別開封認証をＯＫとする。そうでなければ、個別開封認証をＮＧとする。
【０３７２】
リーダ以外の端末装置Ｔ2、Ｔ3は、個別開封認証結果を、リーダの端末装置Ｔ1に送信する。したがって、リーダの端末装置Ｔ1には、各端末装置Ｔ1、Ｔ2、Ｔ3の個別認証結果が集約されることになる。端末装置Ｔ1のメッセージ送信手段１１は、全ての端末装置Ｔ1、Ｔ2、Ｔ3からの個別認証結果がＯＫであれば（すなわち、開封可能日に全員がオブジェクトの前に集まっていれば）、統合メッセージを、各端末装置Ｔ2、Ｔ3に送信する。
【０３７３】
各端末装置Ｔ2、Ｔ3の開封手段３４は、統合メッセージを受信し、表示部３６に表示する。端末装置Ｔ1の開封手段３４は、統合メッセージを表示部３６に表示する。
【０３７４】
5.2システムのハードウエア構成
システムのハードウエア構成は、図４６、図４７と同様である。
【０３７５】
5.3ユーザ登録処理
ユーザ登録処理は、第１の実施形態（図６参照）と同じである。
【０３７６】
5.4メッセージ作成・送信処理
図５９に、メッセージ・アプリケーション６３におけるメッセージ作成処理のフローチャートを示す。以下では、スマートフォンＴ1とＴ2のユーザがメッセージを作成し、スマートフォンＴ1、Ｔ2、Ｔ3のユーザが集まってメッセージを受信する場合を例に説明する。
【０３７７】
メッセージ送信側であるスマートフォンＴ1のユーザは、メッセージ・アプリケーション６３を起動する。ユーザは表示されたメニューからメッセージ作成処理を選択する。これを受けて、スマートフォンＴ1は、図４９に示すような入力画面を、タッチスクリーン５４に表示する。
【０３７８】
この画面においては、カプセル名の入力領域１００、シーンの入力領域１０１、開封可能日の入力領域１０２、オブジェクト入力領域１０３、メッセージの入力領域１０４が設けられている。ユーザは、スマートフォンＴ1を操作し、各領域に入力を行う（ステップＳ２２２、Ｓ２２３、Ｓ２２４）。
【０３７９】
各領域への入力が終わると、ユーザはカプセル作成ボタン１０６をクリックする。これを受けて、スマートフォンＴ1は、メッセージをキーによってロックしてカプセル化メッセージとする（ステップＳ２２５）。たとえば、キーを用いてメッセージを暗号化する。
【０３８０】
次に、スマートフォンＴ1は、カプセル名、開封可能日を付して、カプセル化したメッセージを不揮発性メモリ５６に記録する（ステップＳ２２６）。さらに、ロックを外すためのキーも不揮発性メモリ５６に記録する（ステップＳ２２７）。
【０３８１】
図５０Ａの上段に、スマートフォンＴ1において作成されたカプセル化メッセージのデータ構造を示す。カプセル名、送信元ユーザ、開封可能日が記録されている。また、開封時に撮像が必要なオブジェクトのＩＤ、カプセル化メッセージ、キーが記録されている。
【０３８２】
上記と同様にして、スマートフォンＴ2もカプセル化メッセージを作成し、不揮発性メモリ５６に記録する。図５０Ａの下段に、スマートフォンＴ2において作成されたカプセル化メッセージのデータ構造を示す。
【０３８３】
5.5開封処理
開封可能日になると、スマートフォンＴ1、Ｔ2、Ｔ3のユーザは、オブジェクトの場所に行って、メッセージの開封を行う。図６０〜図５３に、メッセージ・アプリケション６３の開封処理のフローチャートを示す。
【０３８４】
メッセージを送信するユーザは、スマートフォンのメッセージ一覧画面から、メッセージを選択する。ここでは、スマートフォンＴ1、Ｔ2がメッセージを送信するものとする。スマートフォンＴ1、Ｔ2のユーザが図５６に示すメッセージ一覧画面から、記録されているメッセージのアイコン１３２を選択する（ステップＳ６４１ａ、Ｓ６４１ｂ）。この実施形態では、メッセージ一覧画面から選択できるメッセージは、開封可能日になっているものだけにしており、これによって開封日認証を兼ねている。なお、開封日認証を別途行うようにしてもよい。
【０３８５】
次に、メッセージを選択したユーザのスマートフォンＴ1、Ｔ2は、リーダになるか否かを決めるボタンを表示する。これに応じて、ボタンを押した者がリーダとなる（ステップＳ６４２ａ）。なお、この実施形態では、メッセージを送信するユーザの中からリーダを選択するようにしている。メッセージを送信するユーザが１人だけの場合には、自動的に当該ユーザがリーダとなるようにしてもよい。
【０３８６】
ここでは、スマートフォンＴ1がリーダになったものとして説明を進める。次に、リーダのスマートフォンＴ1は、ブルーツース通信回路５９により近傍にいるユーザの一覧を表示する（ステップＳ６４３ａ）。スマートフォンＴ1のユーザは、この画面から、グループを形成するユーザ（メッセージを送信するユーザと受信するユーザ）を選択する（ステップＳ６４４ａ、図１２参照）。ここでは、スマートフォンＴ2、Ｔ3のユーザを選択することになる。これにより、グループに属するユーザの識別情報がグループ端末情報として生成される。
【０３８７】
リーダのスマートオフォンＴ1は、ブルーツース通信回路５９により、生成したグループ端末情報およびリーダが生成したメッセージの開封可能日、オブジェクトなどを送信する（ステップＳ６４５ａ）。スマートフォンＴ2、Ｔ3は、これらを記録する（ステップＳ６４６ｂ、Ｓ６４６ｃ）。
【０３８８】
リーダとならなかった送信側スマートフォンＴ2は、リーダのスマートフォンＴ1に対して、ＷｉＦｉ通信回路５７により、メッセージを送信する（ステップＳ６４３ｂ）。したがって、リーダのスマートフォンＴ1には、図５０Ａに示すように、スマートフォンＴ1、Ｔ2のメッセージが記録されることになる。
【０３８９】
リーダのスマートフォンＴ1は、自ら記録したメッセージとスマートフォンＴ2から送られてきたメッセージを統合する（ステップＳ６４７ａ）。図５０Ｂに統合メッセージを示す。統合対象である各メッセージの開封可能日、シーン、オブジェクトなどが異なる場合には、リーダのメッセージに合わせて統合が行われる。キーについては新たなキーが生成される。スマートフォンＴ1は、生成した統合メッセージを、不揮発性メモリ５６に記録する（ステップＳ６４７ａａ）。
【０３９０】
次に、各スマートフォンＴ1、Ｔ2、Ｔ3は、カメラ５５を起動する（ステップＳ６４８ａ、Ｓ６４８ｂ、Ｓ６４８ｃ）。続いて、図１７に示すような、オブジェクト撮像画面を表示する（ステップＳ６４９ａ、Ｓ６４９ｂ、Ｓ６４９ｃ）。各スマートフォンＴ1、Ｔ2、Ｔ3は、撮像されたオブジェクト画像が、所定のオブジェクト（リーダのメッセージに記録されたオブジェクトＡ）の画像と合致するかどうかを判断する（ステップＳ６５０ａ、Ｓ６５０ｂ、Ｓ６５０ｃ）。合致しなければ、オブジェクト認証を繰り返し、所定回数ＯＫとならなければ個別開封認証をＮＧとする。
【０３９１】
オブジェクト認証が正当であれば、各スマートフォンＴ1、Ｔ2、Ｔ3は、撮像時の位置をＧＰＳ受信機５３から取得する（ステップＳ６５１ａ、Ｓ６５１ｂ、Ｓ６５１ｃ）。取得した位置がオブジェクトについて定められた位置に合致するかどうかを判断する（ステップＳ６５２ａ、Ｓ６５２ｂ、Ｓ６５２ｃ）。合致すれば、個別開封認証をＯＫとする（ステップＳ６５３ａ、Ｓ６５３ｂ、Ｓ６５３ｃ）。合致しなければ、位置認証を繰り返し、所定回数ＯＫとならなければ個別開封認証をＮＧとする。
【０３９２】
リーダ以外のスマートフォンＴ2、Ｔ3は、個別開封認証結果をリーダのスマートフォンＴ1に、ブルーツース通信にて送信する（ステップ６５４ｂ、６５４ｃ）。スマートフォンＴ1は、グループ端末情報に示された全員について、個別開封認証結果がＯＫであるか否かを判断する（ステップＳ６５５ａ）。１人でもＮＧのユーザがいる場合、その旨を表示し処理を終了する。また、認証がＮＧの旨をスマートフォンＴ2、Ｔ3に通知する。
【０３９３】
全員の個別開封処理認証がＯＫであれば、ＷｉＦｉ通信にて、統合メッセージとキーを各スマートフォンＴ2、Ｔ3に送信する（ステップＳ６５６ａ）。各スマートフォンＴ2、Ｔ3はこれを受信し、開封して、タッチスクリーン５４に表示する（ステップＳ６５７ｂ、Ｓ６５７ｃ）。また、スマートフォンＴ1自身も、統合メッセージを開封して、タッチスクリーン５４に表示する（ステップＳ６５７ａ）。
【０３９４】
5.6その他
(1)上記実施形態では、ブルーツース通信、ＷｉＦｉ通信による近距離通信を行っている。しかし、FeliCa(商標）などの電磁誘導に基づく通信、赤外線通信など通信可能範囲が短い（たとえば、送信者と受信者が声を交わすことができる程度の範囲以下（たとえば１０ｍ以下））通信方式を用いるようにしてもよい。
【０３９５】
(2)上記実施形態では、モニュメントを認証のためのオブジェクトとしている。しかし、所定場所における景色（山の稜線など）、人物（顔など）などをオブジェクトとしてもよい。
【０３９６】
(3)上記実施形態では、所定の方向から撮像したオブジェクト画像によって認証を行うようにしている。しかし、予めオブジェクトをいろいろな方向から撮像した画像の特徴データを用意しておくことで、ユーザがいずれの方向から撮像したオブジェクト画像であっても、認証を行えるようにすることができる。また、オブジェクトをポスターや絵画のような平面的なものとすることもできる。
【０３９７】
(4)上記実施形態では、オブジェクト画像データを記録しておき、これによって認証を行うようにしている。しかし、画像データそのものではなく、比較を行うために画像データを加工した比較用データ（二値化データや特徴データなど）を記録しておいて、認証を行うようにしてもよい。
【０３９８】
(5)上記実施形態では、オブジェクトの形状や色などによって認証を行うようにしている。しかし、オブジェクトにバーコードなどを設けておきこれを撮像して認証を行うようにしてもよい。また、二次元的な絵などをオブジェクトとする場合に、当該絵に透かし技術を使ってデータを埋め込んでおき、これを撮像してデータを復元し、当該復元データによって認証を行うようにしてもよい。
【０３９９】
(6)上記実施形態では、開封時にメッセージを表示する処理を行っている（ステップＳ６５７ａ、Ｓ６５７ｂ、Ｓ６５７ｃ）。これに加えて、商品やサービスの割引券・優待券・無料券などのチケットを表示するようにしてもよい。特に、開封のためのオブジェクトの近傍の（近傍でなくともアプリケーションの運営主体やスポンサーが関連する）商店やレストラン、施設などに関するチケットであることが好ましい。
【０４００】
(7)上記実施形態では、開封のために一つのオブジェクトの認証を行うようにしている。しかし、開封のために複数のオブジェクト（同一場所もしくは異なる場所）による認証が必要であるようにしてもよい。
【０４０１】
(8)上記実施形態では、開封時に開封日認証、オブジェクト認証、位置認証を行って発掘認証を行うようにしている。これらに加えて、あるいはこれらに代えて近距離認証を行うようにしてもよい。
【０４０２】
オブジェクト認証、位置認証に代えて、近距離認証を用いる場合、図６２に示す処理を、図６４に示すように置き換えるとよい（なお、この場合、図６１に示すカメラ起動は不要である）。
【０４０３】
また、開封日認証、オブジェクト認証、位置認証、近距離認証のいずれか一つ以上を組み合わせて発掘認証を行うようにしてもよい。なお、二つ以上の認証を組み合わせて用いることが好ましい。
【０４０４】
(9)上記実施形態では、送信側スマートフォンが２つ、受信側スマートフォンが１つである場合について説明した。しかし、受信側スマートフォンを複数としてもよい。
【０４０５】
また、送信側スマートフォンを１つとしてもよい。この場合には、送信されるメッセージは、１つだけでありこれが統合メッセージとして送信されることになる。
【０４０６】
(10)上記実施形態では、メッセージの作成と送信を分けて処理しているが、これらを同時に行うようにしてもよい。
【０４０７】
(11)上記変形例は、その本質に反しない限り、互いに組み合わせて実施することができる。また、上記実施形態、変形例は、その本質に反しない限り、他の実施形態と組み合わせて実施することができる。
【０４０８】
（これ以下〜特許請求の範囲の前までは、チェックの必要はありません。念のため記載を残しておくものだからです）
６．第５の実施形態
6.1システムの機能構成
図６５に、第５の実施形態によるメッセージ・システムの機能ブロック図を示す。このメッセージ・システムでは、メッセージ送信側がメッセージを生成してカプセル化して、メッセージ受信側に送信する。メッセージ受信側では、開封可能日に、所定場所にあるオブジェクトを撮像することで、カプセル化したメッセージを開封して表示させることができる。
【０４０９】
図６５において、端末装置Ｔ1はメッセージ送信側であり、端末装置Ｔ2はメッセージ受信側である。端末装置Ｔ1のメッセージ生成手段３は、メッセージ７を生成して記録部５に記録する。送信手段９は、記録部５に記録されたメッセージをカプセル化し、開封可能日を付して端末装置Ｔ2に送信する。この実施形態では、近距離通信によってメッセージを送信するようにしている。
【０４１０】
端末装置Ｔ2の受信手段３８はカプセル化されたメッセージ２６を受信して、記録部２０に記録する。開封可能日になると、端末装置Ｔ2のユーザは、所定場所にあるオブジェクト２の前に行き、撮像部４によってオブジェクト２を撮像する。オブジェクト認証手段６は、撮像されたオブジェクトが予め指定されたオブジェクトであるかどうかのオブジェクト認証を行う。また、位置認証手段８は、オブジェクト２が撮像された場所が、所定の位置であるか否かの位置認証を行う。さらに、開封日認証手段３２は、撮像したその日が開封可能日であるかどうかの開封日認証を行う。
【０４１１】
開封認証処理手段３０は、オブジェクト認証、位置認証、開封日認証の全てが正当であれば、開封認証を正当であると判断する。開封認証が正当であると判断されると、開封手段３４は、記録部２０に記録されているカプセル化メッセージ２６を読み出し、キーによってロックを解除して、表示部３６にメッセージを表示する。
【０４１２】
このようにして、開封可能期間を指定し、所定場所のオブジェクトを撮像することで開封できるメッセージをやりとりすることができる。
【０４１３】
6.2システムのハードウエア構成
図６６に、この実施形態によるメッセージ・システムのハードウエア構成を示す。この実施形態では、送信側端末装置であるスマートフォンＴ1、受信側端末装置であるスマートフォンＴ2が設けられている。さらに、これらと通信可能なサーバ装置Ｓが設けられている。
【０４１４】
図６７に、スマートフォンＴのハードウエア構成を示す。ＣＰＵ５０には、メモリ５２、ＧＰＳ受信機５３、タッチスクリーン５４、カメラ５５、不揮発性メモリ５６、通信回路５８、ブルーツース通信回路５９が接続されている。なお、通話回路などは省略している。
【０４１５】
タッチスクリーン５４は、表示を行うとともに、ユーザ操作による入力を受け付けるものである。通信回路５８は、インターネットと接続するためのものである。ブルーツース通信回路５９は、近距離通信を行うためのものである。ＧＰＳ受信機５３は、ＧＰＳ衛星からの信号を受信し、スマートフォンの現在の位置を出力するものである。
【０４１６】
不揮発性メモリ５６には、オペレーティングシステム６０、メッセージ・アプリケーション６３が記録されている。メッセージ・アプリケーション６３は、オペレーティングシステム６０と協働してその機能を発揮するものである。メッセージ・アプリケーション６３は、通信回路５８を介して、アプリケーション配信サイト（図示せず）からダウンロードしたものである。
【０４１７】
図６８に、サーバ装置Ｓのハードウエア構成を示す。ＣＰＵ８０には、メモリ８２、ディスプレイ８４、ハードディスク８６、通信回路８８、ＤＶＤ−ＲＯＭドライブ８９が接続されている。
【０４１８】
通信回路８８は、インターネットと接続するためのものである。ハードディスク８６には、オペレーティングシステム９０、サーバプログラム９２が記録されている。サーバプログラム９２は、オペレーティングシステム９０と協働してその機能を発揮するものである。これらプログラムは、ＤＶＤ−ＲＯＭ９４に記録されていたものを、ＤＶＤ−ＲＯＭドライブ８９を介して、ハードディスク８６にインストールしたものである。
【０４１９】
6.3ユーザ登録処理
ユーザ登録処理は、第１の実施形態（図６参照）と同じである。
【０４２０】
6.4メッセージ作成・送信処理
図６９ａ、図６９ｂに、メッセージ・アプリケーション６３におけるメッセージの作成と送信の処理フローチャートを示す。
【０４２１】
メッセージ送信側であるスマートフォンＴ1のユーザは、メッセージ・アプリケーション６３を起動する。ユーザは表示されたメニューからメッセージ作成処理を選択する。これを受けて、スマートフォンＴ1は、図７０に示すような入力画面を、タッチスクリーン５４に表示する。
【０４２２】
この画面においては、カプセル名の入力領域１００、開封可能日の入力領域１０２、オブジェクト入力領域１０３、メッセージの入力領域１０４が設けられている。ユーザは、スマートフォンＴ1を操作し、各領域に入力を行う（ステップＳ２２２、Ｓ２２３、Ｓ２２４）。なお、メッセージ入力領域１０４は、次のページに設けるようにしてもよい。
【０４２３】
カプセル名は、メッセージに付す名称である。開封可能日は、受け取ったユーザが将来開封を行うことのできる日である。開封可能となる開始日と終了日を設定することができる。オブジェクトは、開封時に撮像が必要となるオブジェクトである。
【０４２４】
オブジェクト入力欄１０３では、予め登録してあるオブジェクトの一覧から選択して入力することができるようになっている。図７７に、予め記録されているオブジェクト一覧のデータを示す。オブジェクトの名称、オブジェクトのある座標、オブジェクトの画像データ、その特徴データなどが記録されている。オブジェクト入力欄１０３には、このデータに基づいて、オブジェクト名によって一覧が表示される。
【０４２５】
メッセージは、メッセージの内容である。文字だけでなく、写真や図も入力することができる。
【０４２６】
各領域への入力が終わると、ユーザはカプセル作成ボタン１０６をクリックする。これを受けて、スマートフォンＴ1は、メッセージをキーによってロックしてカプセル化メッセージとする（ステップＳ２２５）。たとえば、キーを用いてメッセージを暗号化する。
【０４２７】
次に、スマートフォンＴ1は、カプセル名、開封可能日を付して、カプセル化したメッセージを不揮発性メモリ５６に記録する（ステップＳ２２６）。さらに、ロックを外すためのキーも不揮発性メモリ５６に記録する（ステップＳ２２７）。
【０４２８】
スマートフォンＴ1は、カプセル名、開封可能日、カプセル化メッセージ、キーをバックアップのために、インターネットを介してサーバ装置Ｓに送信する（ステップＳ２２８）。サーバ装置Ｓは、これを受信して、ハードディスク８６に記録する（ステップＳ３０１）。
【０４２９】
このように、サーバ装置Ｓにカプセル化メッセージを保持しておくことにより、スマートフォンＴ2のユーザがスマートフォンを取り替えた場合であっても、カプセル化メッセージを復元することができる。
【０４３０】
図７１に、スマートフォンＴ1において作成されたカプセル化メッセージのデータ構造を示す。カプセル名、送信元ユーザ、開封可能日が記録されている。また、開封時に撮像が必要なオブジェクトのＩＤ、その場所（緯度、経度）、ロック化メッセージ、キーが記録されている。
【０４３１】
次に、スマートフォンＴ1のユーザは、カプセル化メッセージを送信先のユーザのスマートフォンＴ2に送信する。この実施形態では、ブル−ツース通信によってカプセル化メッセージを送信するようにしている。したがって、カプセル化メッセージを送信する際には、送信元のユーザと送信先のユーザが集まることが必要である。
【０４３２】
図６９ｂにおいて、スマートフォンＴ1はブル−ツース通信回路５９により、通信可能な範囲にいるスマートフォンの一覧を表示する（ステップＳ２２９）。次に、ユーザは、この一覧画面から送信先のユーザを選択し、送信ボタンをクリックする（ステップＳ２３０）。
【０４３３】
スマートフォンＴ1は、選択されたユーザのスマートフォンＴ2に対して、カプセル化メッセージ、キーを送信する（ステップＳ２３１）。スマートフォンＴ2は、これを受信し、不揮発性メモリ５６に記録する（ステップＳ４２２）。なお、カプセル化メッセージはキーがないと開封できないようになっている。また、スマートフォンＴ2にキーも送信されるが、メッセージ・アプリケーション６３の処理により、開封認証が正当であると判断されない限り、このキーを用いて開封は行われないようになっている。
【０４３４】
6.5開封可能日連絡
以上のようにして相手方のスマートフォンＴ2に記録されたメッセージにつき、メッセージ・アプリケーション６３は、予め設定した日に通知を行うようにしている。
【０４３５】
たとえば、開封開始日の当日、開封終了日の１日前などに通知を行うようにすることができる。この処理は、タイムカプセルに記録された開封可能日と内部のカレンダーの日付を比較することで実現することができる。また、通知は、オペレーティングシステムの通知機能（iPhone（商標）、iPad（商標）、Android(商標）などの通知機能）を用いて行うことができる。
【０４３６】
図７２に、メッセージ・アプリケーション６３の開封可能日連絡のフローチャートを示す。この処理は、常時実行される。スマートフォンＴ2は、まず、カレンダーから当日の日付を取得する（ステップＳ１０１）。続いて、メッセージの開封可能日（開始日／終了日）を読み出す（ステップＳ１０２）。
【０４３７】
スマートフォンＴ2は、当日が通知をすべき設定日かどうかを判断する（ステップＳ１０３）。たとえば、開始日が通知タイミングとして設定されていれば、当日が開始日であるかどうかを判断する。また、終了日から１日前が通知タイミングとして設定されていれば、当日が終了日の１日前であるかどうかを判断する。
【０４３８】
当日が通知タイミングであれば、スマートフォンＴ2は、オペレーティングシステムの通知機能を用いて、タッチスクリーン５４に開封可能日連絡を表示する（ステップＳ１０４）。当日が、いずれの通知タイミングにも合致しなければ、通知は行わない。開封可能日連絡１３０の表示例を図７３に示す。なお、通知は１日に２回以上は行わないように設定されている。
【０４３９】
6.6開封処理
メッセージを受け取ったスマートフォンＴ2のユーザは、開封可能日になると、オブジェクトの場所に行って、メッセージの開封を行う。図７５に、メッセージ・アプリケション６３の開封処理のフローチャートを示す。
【０４４０】
ユーザが図７４に示すメッセージ一覧画面から、開封したいメッセージのアイコン１３２を選択する（ステップＳ４４１）。これにより、スマートフォンＴ2は開封処理を開始する。この実施形態では、メッセージのアイコン１３２が開封ボタンを兼ねている。
【０４４１】
スマートフォンＴ2は、カレンダーによって取得した当日の日付と、メッセージと共に記録されている開封可能日（図７１参照）に基づいて、その日が開封可能日であるかどうかを判断する（ステップＳ４４２）。
【０４４２】
開封可能日でなければ、その旨を表示して処理を終了する。開封可能日であれば、スマートフォンＴ2は、カメラ５５を起動する（ステップＳ４４３）。さらに、オブジェクト撮像画面をタッチスクリーン５４に表示する（ステップＳ４４４）。
【０４４３】
図７６に、オブジェクト撮像画面の例を示す。この実施形態では、カメラのファインダー画面１２０に重ねて、オブジェクトの輪郭１２２をガイドとして表示するようにしている。
【０４４４】
ユーザがガイドに合わせてオブジェクトにカメラ５５を向けると、スマートフォンＴ2は、撮像したオブジェクトが、予め登録されたオブジェクトの画像と合致するかどうかを判断する（ステップＳ４４６）。すなわち、撮像したオブジェクト画像が、予め記録されたオブジェクト画像と所定の範囲内で合致するかどうかを判断する。
【０４４５】
合致しない場合、ステップＳ４４４以下を繰り返す。所定回数繰り返して合致しなければ、再度の認証を促すメッセージを表示する。合致した場合、オブジェクト認証はＯＫであるとし、次の位置認証に進む。
【０４４６】
スマートフォンＴ2は、ＧＰＳ受信機５３から、カメラ５５によって撮像が行われたときの、位置座標（緯度、経度）を取得する（ステップＳ４４７）。スマートフォンＴ2は、取得した座標位置が、オブジェクトの登録された座標位置（図７７参照）と、所定の範囲内にあるかどうかを判断する（ステップＳ４４８）。所定の範囲内になければ、ステップＳ４４４以下を繰り返す。所定の範囲内でないという結果が、所定回数繰り返されると、再度の認証を促すメッセージを表示する。
【０４４７】
所定範囲内にあると判断した場合、開封認証をＯＫとし、記録されているメッセージをキーを用いて開封する（ステップＳ４４９）。さらに、スマートフォンＴ2は、開封したメッセージをタッチスクリーン５４に表示する（ステップＳ４５０）。
【０４４８】
6.7バックアップ処理
この実施形態においては、カプセル化メッセージは、スマートフォンＴ1、Ｔ2に記録されるだけでなく、サーバ装置Ｓにも記録するようにしている（図６９ステップＳ２２８）。
【０４４９】
これにより、ユーザがスマートフォンを交換（機種変更）した場合に、いずれのユーザも、サーバ装置Ｓにユーザ名を指定してログインし、サーバ装置Ｓに記録されているカプセル化メッセージをダウンロードすることができる。
【０４５０】
6.8その他
(1)上記実施形態では、バックアップのためにサーバ装置Ｓに、メッセージなどを記録するようにしている。しかし、サーバ装置Ｓを設けなくともよい。この場合、受信側ユーザがスマートフォンの交換などでメッセージを紛失した場合には、送信側ユーザからもう一度メッセージを送るようにすればよい。
【０４５１】
(2)上記実施形態では、ブルーツース通信による近距離通信を行っている。しかし、WiFi通信、FeliCa(商標）などの電磁誘導に基づく通信、赤外線通信など通信可能範囲が短い（たとえば、送信者と受信者が声を交わすことができる程度の範囲以下（たとえば１０ｍ以下））通信方式を用いるようにしてもよい。
【０４５２】
(3)上記実施形態では、近距離通信によってメッセージを送信するようにしている。しかし、図２６に示すようにしてもよい。受信側のスマートフォンＴ2において、二次元バーコード（ＱＲコード（商標）など）の読取りアプリケーションを起動し、送信側のスマートフォンＴ1においては、メッセージをコード化した二次元バーコードをタッチスクリーン５４に表示する。
【０４５３】
スマートフォンＴ2のカメラ５５にて、スマートフォンＴ1の二次元バーコードを撮像し、読取りアプリケーションにてメッセージを取得する。
【０４５４】
(4)上記実施形態では、メッセージを他のスマートフォンに送信するために、ブルーツース通信回路５９を用いている（ステップＳ２２８）。しかし、その他の近距離通信を用いるようにしてもよい。また、サーバ装置Ｓを介してメッセージを他のスマートフォンに送信するようにしてもよい。メールによって送信するようにしてもよい。
【０４５５】
(5)上記実施形態では、開封日認証、オブジェクト認証、位置認証（ステップＳ４４２、Ｓ４４６、Ｓ４４８）を、受信側スマートフォンＴ2にて実行するようにしている。しかし、実体的判断に必要な情報を受信側スマートフォンＴ2からサーバ装置Ｓに送信し、サーバ装置Ｓにて実体的判断を行うようにしてもよい。この場合、判断結果は、サーバ装置ＳからスマートフォンＴ2に送信されることになる。また、各認証ごとに、スマートフォンＴ2にて実体的判断を行うか、サーバ装置Ｓにて実体判断を行うかを変えるようにしてもよい。
【０４５６】
(6)上記実施形態では、モニュメントを認証のためのオブジェクトとしている。しかし、所定場所における景色（山の稜線など）、人物（顔など）などをオブジェクトとしてもよい。
【０４５７】
(7)上記実施形態では、所定の方向から撮像したオブジェクト画像によって認証を行うようにしている。しかし、予めオブジェクトをいろいろな方向から撮像した画像の特徴データを用意しておくことで、ユーザがいずれの方向から撮像したオブジェクト画像であっても、認証を行えるようにすることができる。また、オブジェクトをポスターや絵画のような平面的なものとすることもできる。
【０４５８】
(10)上記実施形態では、オブジェクト画像データを記録しておき、これによって認証を行うようにしている。しかし、画像データそのものではなく、比較を行うために画像データを加工した比較用データ（二値化データや特徴データなど）を記録しておいて、認証を行うようにしてもよい。
【０４５９】
(9)上記実施形態では、オブジェクトの形状や色などによって認証を行うようにしている。しかし、オブジェクトにバーコードなどを設けておきこれを撮像して認証を行うようにしてもよい。また、二次元的な絵などをオブジェクトとする場合に、当該絵に透かし技術を使ってデータを埋め込んでおき、これを撮像してデータを復元し、当該復元データによって認証を行うようにしてもよい。
【０４６０】
(10)上記実施形態では、開封時にメッセージを表示する処理を行っている（ステップＳ１４５ａ、Ｓ１４５ｂ、Ｓ１４５ｃ）。これに加えて、商品やサービスの割引券・優待券・無料券などのチケットを表示するようにしてもよい。特に、開封のためのオブジェクトの近傍の（近傍でなくともアプリケーションの運営主体やスポンサーが関連する）商店やレストラン、施設などに関するチケットであることが好ましい。
【０４６１】
また、開封可能日通知（図７２ステップＳ１０４）の際に、このようなチケットを表示するようにしてもよい。この場合、開封のためのオブジェクトの近傍の（近傍でなくともアプリケーションの運営主体やスポンサーが関連する）商店やレストラン、施設などに関するチケットであることが好ましい。
【０４６２】
(11)上記実施形態では、開封のために一つのオブジェクトの認証を行うようにしている。しかし、開封のために複数のオブジェクト（同一場所もしくは異なる場所）による認証が必要であるようにしてもよい。
【０４６３】
(12)上記実施形態では、１つの開封期間を決定してメッセージを生成し送信するようにしている。しかし、複数の開封期間（第１の開封期間、第２の開封期間・・・）を設定してメッセージを送信するようにしてもよい。この場合、第１の開封期間に対応するメッセージ、第２の開封期間に対応するメッセージをそれぞれ記録するようにする。これにより、期間の進行とともに受信側において、その時期に応じたメッセージを開封することができる。
【０４６４】
(13)上記実施形態では、開封時に開封日認証、オブジェクト認証、位置認証を行って発掘認証を行うようにしている。しかし、これらいずれか一つ以上を組み合わせて発掘認証を行うようにしてもよい。なお、二つ以上の認証を組み合わせて用いることが好ましい。また、開封日認証は必須とすることが好ましい。
【０４６５】
(14)上記実施形態では、送信側スマートフォンが１つ、受信側スマートフォンも１つである場合について説明した。しかし、送信側スマートフォンまたは受信側スマートフォンを複数としたり、双方を複数とすることができる。
【０４６６】
複数人のスマートフォンでメッセージを作成しこれをカプセル化して送信する場合、たとえば、第１の実施形態のようにして個別メッセージを統合し、送信側ユーザが集合してオブジェクト認証などを行った後、メッセージをカプセル化するようにしてもよい。
【０４６７】
複数人のスマートフォンでメッセージを開封する場合、たとえば、第１の実施形態のようにして、指定された受信側ユーザが集合して近距離認証やオブジェクト認証などを行った後、メッセージを開封するようにしてもよい。
【０４６８】
なお、複数の受信側ユーザの指定は、送信先ユーザの選択時に複数ユーザを選択することにより行うことができる。開封の際には、指定された複数の受信側ユーザをグループとして近距離認証を行うことができる。
【０４６９】
複数の送信側や受信側とする場合には、第１の実施形態、第２の実施形態における複数人の処理を適用することができる。
【０４７０】
また、複数人のスマートフォンにメッセージを送信し、受け取った側は、それぞれのスマートフォン単独で開封できるようにしてもよい。
【０４７１】
(15)上記実施形態では、メッセージの作成と送信を分けて処理しているが、これらを同時に行うようにしてもよい。
【０４７２】
(16)上記変形例は、その本質に反しない限り、互いに組み合わせて実施することができる。また、上記実施形態、変形例は、その本質に反しない限り、他の実施形態と組み合わせて実施することができる。
【０４７３】
７．第６の実施形態
7.1システムの機能構成
図７８に、第６の実施形態によるメッセージ・システムの機能ブロック図を示す。第３の実施形態では、開封時にオブジェクト認証、位置認証を行うようにしているが、この実施形態では、開封時に送信者スマートフォンとの近距離認証を行うようにしている。
【０４７４】
開封時に、２人のユーザがそろわないと開封できないという点では、第１の実施形態などのタイム・カプセルシステムに類似している。
【０４７５】
図７８において、端末装置Ｔ1はメッセージ送信側であり、端末装置Ｔ2はメッセージ受信側である。端末装置Ｔ1のメッセージ生成手段３は、メッセージ７を生成して記録部５に記録する。送信手段９は、記録部５に記録されたメッセージをカプセル化し、開封可能日を付して端末装置Ｔ2に送信する。この実施形態では、近距離通信によってメッセージを送信するようにしている。
【０４７６】
端末装置Ｔ2の受信手段３８はカプセル化されたメッセージ２６を受信して、記録部２０に記録する。開封可能日になると、端末装置Ｔ2のユーザと端末装置Ｔ1のユーザは、近接した位置に集合する。近距離認証手段１０は、送信側である端末装置Ｔ1が所定距離内にいるかどうかの近距離認証を行う。さらに、開封日認証手段３２は、開封しようとするその日が開封可能日であるかどうかの開封日認証を行う。
【０４７７】
開封認証処理手段３０は、近距離認証、開封日認証の全てが正当であれば、開封認証を正当であると判断する。開封認証が正当であると判断されると、開封手段３４は、記録部２０に記録されているカプセル化メッセージ２６を読み出し、キーによってロックを解除して、表示部３６にメッセージを表示する。
【０４７８】
このようにして、開封可能期間を指定し、送信側と受信側ユーザが集合することで開封できるメッセージをやりとりすることができる。
【０４７９】
7.2システムのハードウエア構成
システムのハードウエア構成は、第３の実施形態と同様である（図６６〜図６８）。
【０４８０】
7.3ユーザ登録処理
ユーザ登録処理は、第１の実施形態（図６参照）と同じである。
【０４８１】
7.4メッセージ作成・送信処理
メッセージ作成・送信処理は、第３の実施形態と同様である。
【０４８２】
7.5開封可能日連絡
開封可能日連絡処理は、第３の実施形態と同様である。
【０４８３】
7.6開封処理
メッセージを受け取ったスマートフォンＴ2のユーザは、開封可能日になると、任意の場所に全員で集合して、メッセージの開封を行う。図７９に、メッセージ・アプリケーション６３の開封処理のフローチャートを示す。
【０４８４】
ユーザが図７４に示すメッセージ一覧画面から、開封したいメッセージのアイコン１３２を選択する（ステップＳ４４１）。これにより、スマートフォンＴ2は開封処理を開始する。この実施形態では、メッセージのアイコン１３２が開封ボタンを兼ねている。
【０４８５】
スマートフォンＴ2は、カレンダーによって取得した当日の日付と、メッセージと共に記録されている開封可能日（図７１参照）に基づいて、その日が開封可能日であるかどうかを判断する（ステップＳ４４２）。
【０４８６】
開封可能日でなければ、その旨を表示して処理を終了する。開封可能日であれば、スマートフォンＴ2は、ブルーツース通信回路５９により、送信元ユーザのスマートフォンＴ1が通信可能な範囲内にいるかどうかを判断する（ステップＳ４５１、Ｓ４５２）。通信範囲内になければ、何度かこの処理を繰り返す。所定回数繰り返しても、通信範囲内に送信元ユーザのスマートフォンＴ1をとらえることができなければ、再度の認証を促すメッセージを表示する。
【０４８７】
通信範囲内にあれば、近距離認証ＯＫとし、メッセージの開封（ステップＳ４４９）、メッセージの表示（ステップＳ４５０）を行う。
【０４８８】
7.7その他
(1)上記第４の実施形態は、他の実施形態およびその他の例と組み合わせて、あるいは一部交換して実施可能である。
【図１】
2018205831.tif 000003
【図２】
2018205831.tif 000004
【図３】
2018205831.tif 000005
【図４】
2018205831.tif 000006
【図５】
2018205831.tif 000007
【図６】
2018205831.tif 000008
【図７】
2018205831.tif 000009
【図８】
2018205831.tif 000010
【図９】
2018205831.tif 000011
【図１０】
2018205831.tif 000012
【図１１】
2018205831.tif 000013
【図１２】
2018205831.tif 000014
【図１３】
2018205831.tif 000015
【図１４】
2018205831.tif 000016
【図１５ａ】
2018205831.tif 000017
【図１５ｂ】
2018205831.tif 000018
【図１６】
2018205831.tif 000019
【図１７】
2018205831.tif 000020
【図１８】
2018205831.tif 000021
【図１９】
2018205831.tif 000022
【図２０】
2018205831.tif 000023
【図２１】
2018205831.tif 000024
【図２２】
2018205831.tif 000025
【図２３ａ】
2018205831.tif 000026
【図２３ｂ】
2018205831.tif 000027
【図２４】
2018205831.tif 000028
【図２５】
2018205831.tif 000029
【図２６】
2018205831.tif 000030
【図２７】
2018205831.tif 000031
【図２８】
2018205831.tif 000032
【図２９】
2018205831.tif 000033
【図３０】
2018205831.tif 000034
【図３１】
2018205831.tif 000035
【図３２】
2018205831.tif 000036
【図３３】
2018205831.tif 000037
【図３４】
2018205831.tif 000038
【図３５】
2018205831.tif 000039
【図３６】
2018205831.tif 000040
【図３７】
2018205831.tif 000041
【図３８】
2018205831.tif 000042
【図３９】
2018205831.tif 000043
【図４０】
2018205831.tif 000044
【図４１】
2018205831.tif 000045
【図４２】
2018205831.tif 000046
【図４３】
2018205831.tif 000047
【図４４】
2018205831.tif 000048
【図４５】
2018205831.tif 000049
【図４６】
2018205831.tif 000050
【図４７】
2018205831.tif 000051
【図４８】
2018205831.tif 000052
【図４９】
2018205831.tif 000053
【図５０】
2018205831.tif 000054
【図５１】
2018205831.tif 000055
【図５２】
2018205831.tif 000056
【図５３】
2018205831.tif 000057
【図５４】
2018205831.tif 000058
【図５５】
2018205831.tif 000059
【図５６】
2018205831.tif 000060
【図５７】
2018205831.tif 000061
【図５８】
2018205831.tif 000062
【図５９】
2018205831.tif 000063
【図６０】
2018205831.tif 000064
【図６１】
2018205831.tif 000065
【図６２】
2018205831.tif 000066
【図６３】
2018205831.tif 000067
【図６４】
2018205831.tif 000068
【図６５】
2018205831.tif 000069
【図６６】
2018205831.tif 000070
【図６７】
2018205831.tif 000071
【図６８】
2018205831.tif 000072
【図６９ａ】
2018205831.tif 000073
【図６９ｂ】
2018205831.tif 000074
【図７０】
2018205831.tif 000075
【図７１】
2018205831.tif 000076
【図７２】
2018205831.tif 000077
【図７３】
2018205831.tif 000078
【図７４】
2018205831.tif 000079
【図７５】
2018205831.tif 000080
【図７６】
2018205831.tif 000081
【図７７】
2018205831.tif 000082
【図７８】
2018205831.tif 000083
【図７９】
2018205831.tif 000084